(57)【要約】【課題】メンテナンス性を向上させることができる遊技台を提供することにある。【解決手段】第一の接続部が少なくとも実装された基板を備えた遊技台であって、前記第一の接続部は、第一の状態にある第二の接続部と少なくとも接続可能なものであり、前記第一の状態にある前記第二の接続部の向きは、第二の状態にある前記第二の接続部の向きとは異なる向きであり、前記基板は、前記第一の接続部と前記第二の状態にある前記第二の接続部が接続された場合に、該接続の痕跡を残存させる痕跡残存手段が設けられたものである、ことを特徴とする。【選択図】図１２
2014028055.tif 000002
【特許請求の範囲】
【請求項１】
第一の接続部が少なくとも実装された基板を備えた遊技台であって、
前記第一の接続部は、第一の状態にある第二の接続部と少なくとも接続可能なものであり、
前記第一の状態にある前記第二の接続部の向きは、第二の状態にある前記第二の接続部の向きとは異なる向きであり、
前記基板は、前記第一の接続部と前記第二の状態にある前記第二の接続部が接続された場合に、該接続の痕跡を残存させる痕跡残存手段が設けられたものである、
ことを特徴とする遊技台。
【請求項２】
請求項１に記載の遊技台であって、
前記第一の接続部は、少なくとも第一の導通部を有するものであり、
前記第二の接続部は、少なくとも第二の導通部を有するものであり、
前記第一の接続部と前記第一の状態にある前記第二の接続部が接続された場合に、前記第一の導通部は前記第二の導通部と少なくとも接触可能なものであり、
前記第一の接続部に前記第二の状態にある前記第二の接続部が接続された場合に、前記痕跡残存手段は前記第二の導通部と少なくとも接触可能なものであり、
前記痕跡残存手段は、前記第二の導通部との接触による痕跡を残存させることが可能なものである、
ことを特徴とする遊技台。
【請求項３】
請求項２に記載の遊技台であって、
前記痕跡残存手段は、前記第二の導通部と接触した場合に、少なくとも一部が破損可能なものである、
ことを特徴とする遊技台。
【請求項４】
請求項２または３に記載の遊技台であって、
前記痕跡残存手段は、前記第二の導通部よりも硬度の低い部材で構成されるものである、
ことを特徴とする遊技台。
【請求項５】
請求項１〜４の何れかに記載の遊技台であって、
前記第一の接続部は、前記痕跡残存手段を備えるものである、
ことを特徴とする遊技台。
【請求項６】
請求項１〜５の何れかに記載の遊技台であって、
前記痕跡残存手段は、前記基板に実装された部品に設けられていることで、前記基板に設けられているものである、
ことを特徴とする遊技台。
【発明の詳細な説明】
【技術分野】
【０００１】
本発明は、パチンコ機やスロットマシン（パチスロ機）、封入式遊技機に代表される遊技台に関する。
【背景技術】
【０００２】
従来、スロットマシンやパチンコ機などの遊技台では、基板同士を、コネクタを介して接続している（例えば、特許文献１参照）。
【先行技術文献】
【特許文献】
【０００３】
【特許文献１】特開２００８−２００３０２号公報
【発明の概要】
【発明が解決しようとする課題】
【０００４】
しかしながら、従来の遊技台では、遊技台の組み立て時や基板の交換時などにコネクタを接続する場合、誤ってコネクタを逆に接続してしまうことがあるが、コネクタが逆に接続されたか否かを判別できず、メンテナンス性が低下してしまうという問題があった。
【０００５】
本発明の目的は、メンテナンス性を向上させることができる遊技台を提供することにある。
【課題を解決するための手段】
【０００６】
本発明は上記の目的を達成するために、第一の接続部が少なくとも実装された基板を備えた遊技台であって、前記第一の接続部は、第一の状態にある第二の接続部と少なくとも接続可能なものであり、前記第一の状態にある前記第二の接続部の向きは、第二の状態にある前記第二の接続部の向きとは異なる向きであり、前記基板は、前記第一の接続部と前記第二の状態にある前記第二の接続部が接続された場合に、該接続の痕跡を残存させる痕跡残存手段が設けられたものである、ことを特徴とする。
【発明の効果】
【０００７】
本発明によれば、メンテナンス性を向上させることができる遊技台を提供することができる。
【図面の簡単な説明】
【０００８】
【図１】パチンコ機１００を正面側（遊技者側）から見た外観斜視図である。
【図２】図１のパチンコ機１００を背面側から見た外観図である。
【図３】遊技盤２００を正面から見た略示正面図である。
【図４】パチンコ機１００の制御部の回路ブロック図である。
【図５】（ａ）は特図の停止表示態様の一例を、（ｂ）は装飾図柄の一例を、（ｃ）は普図の停止表示態様の一例を、それぞれ示した図である。
【図６】主制御部３００のＣＰＵ３０４が実行する主制御部メイン処理の流れを示すフローチャートである。
【図７】主制御部３００のＣＰＵ３０４が実行する主制御部タイマ割り込み処理の流れを示すフローチャートである。
【図８】（ａ）は第１副制御部メイン処理の流れを示すフローチャートであり、（ｂ）は第１副制御部コマンド受信割込処理の流れを示すフローチャートであり、（ｃ）は第１副制御部タイマ割込処理の流れを示すフローチャートであり、（ｄ）は第１副制御部画像制御処理の流れを示すフローチャートである。
【図９】（ａ）は、第２副制御部メイン処理のフローチャートであり、（ｂ）は、第２副制御部コマンド受信割込処理のフローチャートであり、（ｃ）は、第２副制御部タイマ割込処理のフローチャートである。
【図１０】基板に実装した電子機器と他の装置とを電気的に導通する導通部を有する接続部としてのコネクタの一例を示す図であって、（ａ）は斜視図であり、（ｂ）は平面図であり、（ｃ）は側面図であり、（ｄ）は（ｂ）のＡ−Ａ断面図である。
【図１１】図１０に示したコネクタ７０５と接続するコネクタの一例を示す図であって、（ａ）は斜視図であり、（ｂ）は平面図であり、（ｃ）は側面図であり、（ｄ）は（ｂ）のＢ−Ｂ断面図である。
【図１２】図１０に示したコネクタ７０５の導通部７０７と、図１１に示したコネクタ８０５の導通部８０７とを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部７０７と導通部８０７とを接続した状態を示す斜視図であり、（ｄ）は（ｂ）の状態の側面図であり、（ｅ）は（ｄ）のＡ−Ａ断面図である。
【図１３】コネクタ７０５にコネクタ８０５を誤った向きで接続した場合について説明する図であり、（ａ）は図１２（ｅ）に相当する断面図であり、（ｂ）は誤った向きで接続した後に、コネクタ７０５から取り外したコネクタ８０５の平面図であり、（ｃ）は誤った向きで接続した後に、コネクタ７０５から取り外したコネクタ８０５の斜視図である。
【図１４】基板に実装した電子機器と他の装置とを電気的に導通する導通部を有する接続部としてのコネクタの別の例を示す図であって、（ａ）は斜視図であり、（ｂ）は平面図であり、（ｃ）は側面図であり、（ｄ）は（ｂ）のＡ−Ａ断面図である。
【図１５】図１４に示したコネクタ１７０５の導通部１７０７と、図１１に示したコネクタ８０５の導通部８０７とを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部１７０７と導通部８０７とを接続した状態を示す斜視図であり、（ｄ）は（ｂ）の状態の側面図であり、（ｅ）は（ｄ）のＢ−Ｂ断面図である。
【図１６】コネクタ１７０５にコネクタ８０５を誤った向きで接続した場合について説明する図であり、（ａ）は図１５（ｅ）に相当する断面図であり、（ｂ）は誤った向きで接続した後に、コネクタ５７０５から取り外したコネクタ８０５の平面図であり、（ｃ）は誤った向きで接続した後に、コネクタ５７０５から取り外したコネクタ８０５の斜視図である。
【図１７】基板に実装した電子機器と他の装置とを電気的に導通する導通部を有する接続部としてのコネクタの別の例を示す図であって、（ａ）は斜視図であり、（ｂ）は平面図であり、（ｃ）は（ｂ）のＣ−Ｃ断面図であり、（ｄ）は（ｂ）のＡ−Ａ断面図である。
【図１８】図１７に示したコネクタ２７０５と接続するコネクタの一例を示す図であって、（ａ）は斜視図であり、（ｂ）は平面図であり、（ｃ）は（ｂ）のＤ−Ｄ断面図であり、（ｄ）は（ｂ）のＢ−Ｂ断面図である。
【図１９】図１７に示したコネクタ２７０５の導通部７０７と、図１８に示したコネクタ２８０５の導通部８０７とを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部７０７と導通部８０７とを接続した状態を示す斜視図であり、（ｄ）は（ｂ）の状態の側面図であり、（ｅ）は（ｄ）のＣ−Ｃ断面図であり、（ｆ）は（ｃ）の側断面図である。
【図２０】コネクタ２７０５にコネクタ２８０５を誤った向きで接続した場合について説明する図であり、（ａ）は図１９（ｅ）に相当する断面図であり、（ｂ）は誤った向きで接続した後に、コネクタ２７０５から取り外したコネクタ２８０５の平面図であり、（ｃ）は誤った向きで接続した後に、コネクタ２７０５から取り外したコネクタ２８０５の斜視図である。
【図２１】基板に実装した電子機器と他の装置とを電気的に導通する導通部を有する接続部としてのコネクタの別の例を示す図であって、（ａ）は斜視図であり、（ｂ）は平面図であり、（ｃ）は（ｂ）のＣ−Ｃ断面図であり、（ｄ）は（ｂ）のＡ−Ａ断面図である。
【図２２】図２１に示したコネクタ３７０５と接続するコネクタの一例を示す図であって、（ａ）は斜視図であり、（ｂ）は平面図であり、（ｃ）は（ｂ）のＤ−Ｄ断面図であり、（ｄ）は（ｂ）のＢ−Ｂ断面図である。
【図２３】図２１に示したコネクタ３７０５の導通部７０７と、図２２に示したコネクタ３８０５の導通部８０７とを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部７０７と導通部８０７とを接続した状態を示す斜視図であり、（ｄ）は（ｂ）の状態の側面図であり、（ｅ）は（ｄ）のＥ−Ｅ断面図であり、（ｆ）は（ｃ）の側断面図である。
【図２４】コネクタ３７０５にコネクタ３８０５を誤った向きで接続した場合について説明する図であり、（ａ）は図２３（ｅ）に相当する断面図であり、（ｂ）は誤った向きで接続した後に、コネクタ３７０５から取り外したコネクタ３８０５の平面図であり、（ｃ）は誤った向きで接続した後に、コネクタ３７０５から取り外したコネクタ３８０５の斜視図である。
【図２５】基板に実装した電子機器と他の装置とを電気的に導通する導通部を有する接続部としてのコネクタの別の例を示す図であって、（ａ）は斜視図であり、（ｂ）は平面図であり、（ｃ）は（ｂ）のＣ−Ｃ断面図であり、（ｄ）は（ｂ）のＡ−Ａ断面図である。
【図２６】図２５に示したコネクタ４７０５と接続するコネクタの一例を示す図であって、（ａ）は斜視図であり、（ｂ）は平面図であり、（ｃ）は（ｂ）のＤ−Ｄ断面図であり、（ｄ）は（ｂ）のＢ−Ｂ断面図である。
【図２７】図２５に示したコネクタ４７０５の導通部７０７と、図２６に示したコネクタ４８０５の導通部８０７とを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部７０７と導通部８０７とを接続した状態を示す斜視図であり、（ｄ）は（ｂ）の状態の側面図であり、（ｅ）は（ｄ）のＤ−Ｄ断面図であり、（ｆ）は（ｃ）の側断面図である。
【図２８】コネクタ４７０５にコネクタ４８０５を誤った向きで接続した場合について説明する図であり、（ａ）は図２７（ｅ）に相当する断面図であり、（ｂ）は誤った向きで接続した後に、コネクタ４７０５から取り外したコネクタ４８０５の平面図であり、（ｃ）は誤った向きで接続した後に、コネクタ４７０５から取り外したコネクタ４８０５の斜視図である。
【図２９】基板に実装した電子機器と他の装置とを電気的に導通する導通部を有する接続部としてのコネクタの一例を示す図であって、（ａ）は斜視図であり、（ｂ）は平面図であり、（ｃ）は側面図であり、（ｄ）は（ｂ）のＡ−Ａ断面図である。
【図３０】図２９に示したコネクタ５７０５と接続するコネクタの一例を示す図であって、（ａ）は斜視図であり、（ｂ）は平面図であり、（ｃ）は側面図であり、（ｄ）は（ｂ）のＢ−Ｂ断面図である。
【図３１】図２９に示したコネクタ５７０５と接続するコネクタの一例を示す図であって、（ａ）は斜視図であり、（ｂ）は平面図であり、（ｃ）は側面図であり、（ｄ）は（ｂ）のＢ−Ｂ断面図である。
【図３２】コネクタ５７０５にコネクタ５８０５を誤った向きで接続した場合について説明する図であり、（ａ）は図３１（ｅ）に相当する断面図であり、（ｂ）は誤った向きで接続した後に、コネクタ５７０５から取り外したコネクタ５８０５の平面図であり、（ｃ）は誤った向きで接続した後に、コネクタ５７０５から取り外したコネクタ５８０５の斜視図である。
【図３３】（ａ）は、基板に実装した電子機器と他の装置とを電気的に導通する導通部を有する接続部としてのコネクタの一例の斜視図であり、（ｂ）は（ａ）の平面図であり、（ｃ）は（ｂ）の側面図であり、（ｄ）は（ｂ）のＡ−Ａ断面図であり、（ｅ）は（ａ）に示したコネクタと接続するコネクタの一例の斜視図であり、（ｆ）は（ｅ）の平面図であり、（ｇ）は（ｆ）の側面図であり、（ｈ）は（ｆ）のＢ−Ｂ断面図である。
【図３４】（ａ）〜（ｄ）は、図３３に示したコネクタ６７０５の導通部６７０７ａと、図３３に示したコネクタ６８０５の導通部６８０７ａとを接続し、導通部６７０７ｂと導通部６８０７ｂとを接続し、導通部６７０７ｃと導通部６８０７ｃとを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部６７０７ａと導通部６８０７ａとを接続し、導通部６７０７ｂと導通部６８０７ｂとを接続し、導通部６７０７ｃと導通部６８０７ｃとを接続した状態を示す斜視図であり、（ｄ）は（ｃ）の状態の平断面図であり、（ｅ）〜（ｇ）は、コネクタ６７０５にコネクタ６８０５を誤った向きで接続した場合について説明する図であり、（ｅ）は（ｄ）に相当する平断面図であり、（ｆ）は誤った向きで接続した後に、コネクタ６７０５から取り外したコネクタ６８０５の平面図であり、（ｇ）は誤った向きで接続した後に、コネクタ６７０５から取り外したコネクタ６８０５の斜視図である。
【図３５】（ａ）は、基板に実装した電子機器と他の装置とを電気的に導通する導通部を有する接続部としてのコネクタの一例の斜視図であり、（ｂ）は（ａ）の平面図であり、（ｃ）は（ｂ）の側面図であり、（ｄ）は（ｂ）のＡ−Ａ断面図であり、（ｅ）は（ａ）に示したコネクタと接続するコネクタの一例の斜視図であり、（ｆ）は（ｅ）の平面図であり、（ｇ）は（ｆ）の側面図であり、（ｈ）は（ｆ）のＢ−Ｂ断面図である。
【図３６】（ａ）〜（ｅ）は、図３５に示したコネクタ７７０５の導通部７７０７ａと、図３５に示したコネクタ７８０５の導通部７８０７ａとを接続し、導通部７７０７ｂと導通部７８０７ｂとを接続し、導通部７７０７ｃと導通部７８０７ｃとを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部７７０７ａと導通部７８０７ａとを接続し、導通部７７０７ｂと導通部７８０７ｂとを接続し、導通部７７０７ｃと導通部７８０７ｃとを接続した状態を示す斜視図であり、（ｄ）は（ｂ）の状態の側面図であり、（ｅ）は（ｄ）のＨ−Ｈ断面図であり、（ｆ）〜（ｈ）は、コネクタ７７０５にコネクタ７８０５を誤った向きで接続した場合について説明する図であり、（ｆ）は（ｅ）に相当する断面図であり、（ｇ）は誤った向きで接続した後に、コネクタ７７０５から取り外したコネクタ７８０５の平面図であり、（ｈ）は誤った向きで接続した後に、コネクタ７７０５から取り外したコネクタ７８０５の斜視図である。
【図３７】（ａ）は、基板に実装した電子機器と他の装置とを電気的に導通する導通部を有する接続部としてのコネクタの一例の斜視図であり、（ｂ）は（ａ）の平面図であり、（ｃ）は（ｂ）の側面図であり、（ｄ）は（ｂ）のＢ−Ｂ断面図であり、（ｅ）は（ａ）に示したコネクタと接続するコネクタの一例の斜視図であり、（ｆ）は（ｅ）の平面図であり、（ｇ）は（ｆ）の側面図であり、（ｈ）は（ｆ）のＡ−Ａ断面図である。
【図３８】（ａ）〜（ｅ）は、図３７に示したコネクタ８７０５の導通部８７０７ａと、図３７に示したコネクタ８８０５の導通部８８０７ａとを接続し、導通部８７０７ｂと導通部８８０７ｂとを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部８７０７ａと導通部８８０７ａとを接続し、導通部８７０７ｂと導通部８８０７ｂとを接続した状態を示す斜視図であり、（ｄ）は（ｂ）の状態の側面図であり、（ｅ）は（ｄ）のＪ−Ｊ断面図であり、（ｆ）〜（Ｊ）は、コネクタ８７０５にコネクタ８８０５を誤った向きで接続した場合について説明する図であり、（ｆ）は（ｅ）に相当する断面図であり、（ｇ）は誤った向きで接続した後に、コネクタ８７０５から取り外したコネクタ８８０５の平面図であり、（ｇ）は誤った向きで接続した後に、コネクタ８８０５を取り外したコネクタ８７０５の平面図であり、（ｈ）は誤った向きで接続した後に、コネクタ８７０５から取り外したコネクタ８８０５の平面図であり、（ｉ）は誤った向きで接続した後に、コネクタ８８０５を取り外したコネクタ８７０５の斜視図であり、（ｊ）は誤った向きで接続した後に、コネクタ８７０５から取り外したコネクタ８８０５の斜視図である。
【図３９】基板に実装した電子機器と他の装置とを電気的に導通する導通部を有する接続部としてのコネクタの一例を示す図であって、（ａ）はコネクタ９８０５の平面図であり、（ｂ）は（ａ）のコネクタの側面図であり、（ｃ）は（ａ）のコネクタの正面図であり、（ｄ）は（ａ）のコネクタに接続されるコネクタ９７０５の平面図であり、（ｅ）は（ｄ）のコネクタの側面図であり、（ｆ）は（ｄ）のコネクタの正面図であり、（ｇ）は（ｄ）のＡ−Ａ断面図である。（ｈ）はコネクタ９８０５とコネクタ９７０５とを向きをそろえて接続した状態を示す平断面図であり、（ｉ）はコネクタ９８０５とコネクタ９７０５とを誤った向きで接続した状態を示す平断面図であり、（ｊ）は誤った向きで接続した後に、コネクタ９８０５から取り外したコネクタ９７０５の平面図である。
【図４０】基板に実装した電子機器と他の基板に実装した他の装置とを電気的に導通する導通部を有する接続部としてのコネクタの一例を示す図であって、（ａ）は基板１０８００に実装したコネクタ１０８０５の平面図であり、（ｂ）は他の基板１０７００に実装したコネクタ１０７０５の平面図であり、（ｃ）〜（ｅ）は、コネクタ１０７０５の導通部１０７０７と、コネクタ１０８０５の導通部１０８０７とを接続する様子を示す図であり、（ｃ）は向きをそろえて接続する前の状態を示す斜視図であり、（ｄ）はガイド部１０７０６と被ガイド部１０８０６とが接触した状態を示す斜視図であり、（ｅ）は導通部１０７０７と導通部１０８０７とを接続した状態を示す斜視図であり、（ｆ）は誤った向きで接続した後に、コネクタ１０７０５から取り外したコネクタ１０８０５の斜視図である。
【図４１】基板に実装した電子機器と他の装置とを電気的に導通する導通部を有する接続部としてのコネクタの別の例を示す図であって、（ａ）は斜視図であり、（ｂ）は平面図であり、（ｃ）は正面図である。
【図４２】図４１に示したコネクタ１１７０５と接続するコネクタの一例を示す図であって、（ａ）は斜視図であり、（ｂ）は平面図であり、（ｃ）は正面図である。
【図４３】コネクタ１１７０５にコネクタ１１８０５を誤った向きで接続した場合について説明する図であり、誤った向きで接続した後に、コネクタ１１７０５から取り外したコネクタ１１８０５の平面図である。
【図４４】基板に実装した電子機器と他の装置とを電気的に導通する導通部を有する接続部としてのコネクタを基板ケースに収納した場合を示す図であって、（ａ）は図１１に示したコネクタ８０５を示す斜視図であり、（ｂ）は図１０に示したコネクタ７０５を実装する基板７００を基板ケースに収納した状態で示す斜視図であり、（ｃ）は向きをそろえて接続する前の状態を示す斜視図であり、（ｄ）はガイド部７０６と被ガイド部８０６とが接触した状態を示す斜視図であり、（ｅ）は導通部７０７と導通部８０７とを接続した状態を示す斜視図である。
【図４５】パチンコ機１００を背面側から見た概略外観図であって、コネクタの配置と、コネクタ同士を誤った向きで接続した場合の痕跡の視認しやすさを説明する図である。
【図４６】本発明に係る構成をスロットマシンに適用する例を示す斜視図である。
【図４７】（ａ）〜（ｄ）は本発明に係る構成を適用可能な遊技台の例を示す図である。
【発明を実施するための形態】
【０００９】
以下、図面を用いて、本発明の実施形態に係る遊技台（例えば、パチンコ機１００等の弾球遊技機やスロット機等の回胴遊技機）について詳細に説明する。
【００１０】
＜全体構成＞
まず、図１を用いて、本発明の実施形態１に係るパチンコ機１００の全体構成について説明する。なお、同図はパチンコ機１００を正面側（遊技者側）から見た外観斜視図である。
【００１１】
パチンコ機１００は、外部的構造として、外枠１０２と、本体１０４と、前面枠扉１０６と、球貯留皿付扉１０８と、発射装置１１０と、遊技盤２００と、をその前面に備える。
【００１２】
外枠１０２は、遊技機設置営業店に設けられた設置場所（島設備等）へと固定させるための縦長方形状から成る木製の枠部材である。
【００１３】
本体１０４は、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。
【００１４】
前面枠扉１０６は、ロック機能付きで且つ開閉自在となるようにパチンコ機１００の前面側となる本体１０４の前面に対しヒンジ部１１２を介して装着され、枠状に構成されることでその内側を開口部１１６とした扉部材である。なお、この前面枠扉１０６には、開口部１１６にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。
【００１５】
球貯留皿付扉１０８は、パチンコ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を不図示の遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６（図３参照）の演出態様に変化を与えるチャンスボタン１３６と、チャンスボタン１３６を発光させるチャンスボタンランプ１３８と、遊技店に設置された不図示のカードユニット（ＣＲユニット）に対して球貸し指示を行う球貸操作ボタン１４０と、カードユニットに対して遊技者の残高の返却指示を行う返却操作ボタン１４２と、遊技者の残高やカードユニットの状態を表示する球貸表示部１４４と、を備える。
【００１６】
発射装置１１０は、本体１０４の下方に取り付けられ、球発射ハンドル１３４が遊技者に操作されることによって回動する発射杆１４６と、遊技球を発射杆１４６の先端で打突する発射槌１４８と、を備える。
【００１７】
遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部１１６から観察することができる。
【００１８】
図２は、図１のパチンコ機１００を背面側から見た外観図である。
【００１９】
パチンコ機１００の背面上部には、上方に開口した開口部を有し、遊技球を一時的に貯留するための球タンク１５０と、この球タンク１５０の下方に位置し、球タンク１５０の底部に形成した連通孔を通過して落下する球を背面右側に位置する払出装置１５２に導くためのタンクレール１５４とを配設している。
【００２０】
払出装置１５２は、筒状の部材からなり、その内部には、不図示の払出モータとスプロケットと払出センサとを備えている。
【００２１】
スプロケットは、払出モータによって回転可能に構成されており、タンクレール１５４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００２２】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を不図示の払出制御部６００へ出力する。なお、この払出センサを通過した遊技球は、不図示の球レールを通過してパチンコ機１００の表側に配設した上皿１２６に到達するように構成しており、パチンコ機１００は、この構成により遊技者に対して球の払い出しを行う。
【００２３】
払出装置１５２の図中左側には、遊技全般の制御処理を行う主制御部３００を構成する主基板１５６を収納する主基板ケース１５８、主制御部３００が生成した処理情報に基づいて演出に関する制御処理を行う第１副制御部４００を構成する第１副基板１６０を収納する第１副基板ケース１６２、第１副制御部４００が生成した処理情報に基づいて演出に関する制御処理を行う第２副制御部５００を構成する第２副基板１６４を収納する第２副基板ケース１６６、遊技球の払出に関する制御処理を行う払出制御部６００を構成するとともに遊技店員の操作によってエラーを解除するエラー解除スイッチ１６８を備える払出基板１７０を収納する払出基板ケース１７２、遊技球の発射に関する制御処理を行う発射制御部６３０を構成する発射基板１７４を収納する発射基板ケース１７６、各種電気的遊技機器に電源を供給する電源管理部６６０を構成するとともに遊技店員の操作によって電源をオンオフする電源スイッチ１７８と電源投入時に操作されることによってＲＡＭクリア信号を主制御部３００に出力するＲＡＭクリアスイッチ１８０とを備える電源基板１８２を収納する電源基板ケース１８４、および、払出制御部６００とカードユニットとの信号の送受信を行うＣＲインタフェース部１８６を配設している。
【００２４】
図３は、遊技盤２００を正面から見た略示正面図である。
【００２５】
遊技盤２００には、外レール２０２と内レール２０４とを配設し、遊技球が転動可能な遊技領域１２４を区画形成している。
【００２６】
遊技領域１２４の略中央には、演出装置２０６を配設している。この演出装置２０６には、略中央に装飾図柄表示装置２０８を配設し、装飾図柄表示装置２０８の下部に、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２と、を配設し、装飾図柄表示装置２０８の右側に演出可動体２２４を配設している。なお、以下、普通図柄を「普図」、特別図柄を「特図」と称する場合がある。
【００２７】
装飾図柄表示装置２０８は、装飾図柄ならびに演出に用いる様々な表示を行うための表示装置であり、本実施例では液晶表示装置（Ｌｉｑｕｉｄ  Ｃｒｙｓｔａｌ  Ｄｉｓｐｌａｙ）によって構成する。この装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００２８】
普図表示装置２１０は、普図の表示を行うための表示装置であり、本実施例では７セグメントＬＥＤによって構成する。第１特図表示装置２１２および第２特図表示装置２１４は、特図の表示を行うための表示装置であり、本実施例では７セグメントＬＥＤによって構成する。
【００２９】
普図保留ランプ２１６は、保留している普図変動遊技（詳細は後述）の数を示すためのランプであり、本実施例では、普図変動遊技を所定数（例えば、２つ）まで保留することを可能としている。第１特図保留ランプ２１８および第２特図保留ランプ２２０は、保留している特図変動遊技（詳細は後述）の数を示すためのランプであり、本実施例では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００３０】
また、この演出装置２０６の周囲には、一般入賞口２２６と、普図始動口２２８と、第１特図始動口２３０と、第２特図始動口２３２と、可変入賞口２３４と、を配設している。
【００３１】
一般入賞口２２６は、本実施例では遊技盤２００に複数配設しており、この一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。
【００３２】
なお、一般入賞口２２６に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００３３】
普図始動口２２８は、ゲートやスルーチャッカーと呼ばれる、遊技領域１２４の所定の領域を球が通過したか否かを判定するための装置で構成しており、本実施例では遊技盤２００の左側に１つ配設している。普図始動口２２８を通過した球は一般入賞口２２６に入球した球と違って、遊技島側に排出することはない。球が普図始動口２２８を通過したことを所定の球検出センサが検出した場合、パチンコ機１００は、普図表示装置２１０による普図変動遊技を開始する。
【００３４】
第１特図始動口２３０は、本実施例では遊技盤２００の中央に１つだけ配設している。この第１特図始動口２３０への入球を所定の球検出センサが検出した場合、後述する払出装置１５２を駆動し、所定の個数（例えば、３個）の球を賞球として上皿１２６に排出するとともに、第１特図表示装置２１２による特図変動遊技を開始する。なお、第１特図始動口２３０に入球した球は、パチンコ機１００の裏側に誘導した後、遊技島側に排出する。
【００３５】
第２特図始動口２３２は、電動チューリップ（電チュー）と呼ばれ、本実施例では第１特図始動口２３０の真下に１つだけ配設している。この第２特図始動口２３２は、左右に開閉自在な羽根２３２ａを備え、羽根２３２ａの閉鎖中は球の入球が不可能であり、普図変動遊技に当選し、普図表示装置２１０が当たり図柄を停止表示した場合に羽根２３２ａが所定の時間間隔、所定の回数で開閉する。第２特図始動口２３２への入球を所定の球検出センサが検出した場合、払出装置１５２を駆動し、所定の個数（例えば、４個）の球を賞球として上皿１２６に排出するとともに、第２特図表示装置２１４による特図変動遊技を開始する。なお、第２特図始動口２３２に入球した球は、パチンコ機１００の裏側に誘導した後、遊技島側に排出する。
【００３６】
可変入賞口２３４は、大入賞口またはアタッカーと呼ばれ、本実施例では遊技盤２００の中央部下方に１つだけ配設している。この可変入賞口２３４は、開閉自在な扉部材２３４ａを備え、扉部材２３４ａの閉鎖中は球の入球が不可能であり、特図変動遊技に当選して特図表示装置２１２、２１４が大当たり図柄を停止表示した場合に扉部材２３４ａが所定の時間間隔（例えば、開放時間２９秒、閉鎖時間１．５秒）、所定の回数（例えば１５回）で開閉する。
【００３７】
可変入賞口２３４への入球を所定の球検出センサが検出した場合、払出装置１５２を駆動し、所定の個数（例えば、１５個）の球を賞球として上皿１２６に排出する。なお、可変入賞口２３４に入球した球は、パチンコ機１００の裏側に誘導した後、遊技島側に排出する。
【００３８】
さらに、これらの入賞口や始動口の近傍には、風車と呼ばれる円盤状の打球方向変換部材２３６や、遊技釘２３８を複数個、配設していると共に、内レール２０４の最下部には、いずれの入賞口や始動口にも入賞しなかった球をパチンコ機１００の裏側に誘導した後、遊技島側に排出するためのアウト口２４０を設けている。
【００３９】
このパチンコ機１００は、遊技者が上皿１２６に貯留している球を発射レールの発射位置に供給し、遊技者の球発射ハンドル１３４の操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（第１特図始動口２３０、第２特図始動口２３２）に入賞するか、いずれの入賞口や始動口にも入賞することなく、または普図始動口２２８を通過するのみでアウト口２４０に到達する。
【００４０】
＜演出装置２０６＞
次に、パチンコ機１００の演出装置２０６について説明する。演出装置２０６は、第１副制御部４００や第２副制御部５００により駆動制御される。
【００４１】
この演出装置２０６の前面側には、遊技球の転動可能な領域にワープ装置２４２およびステージ２４４を配設し、遊技球の転動不可能な領域に演出可動体２２４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽装置２４６は、ワープ装置２４２、ステージ２４４、および演出可動体２２４の後方に位置することとなる。
【００４２】
ワープ装置２４２は、演出装置２０６の左上方に設けたワープ入口２４２ａに入った遊技球を演出装置２０６の前面下方のステージ２４４にワープ出口２４２ｂから排出する。
【００４３】
ステージ２４４は、ワープ出口２４２ｂから排出された球や、遊技盤２００の遊技釘２３８などによって乗り上げた球などが転動可能であり、ステージ２４４の中央部には、通過した球が第１特図始動口２３０へ入球し易くなるスペシャルルート２４４ａを設けている。
【００４４】
演出可動体２２４は、本実施例では人間の右腕の上腕と前腕を模した上腕部２２４ａと前腕部２２４ｂとからなり、肩の位置に上腕部２２４ａを回動させる不図示の上腕モータと肘の位置に前腕部２２４ｂを回動させる不図示の前腕モータを備える。演出可動体２２４は、上腕モータと前腕モータによって装飾図柄表示装置２０８の前方を移動する。
【００４５】
遮蔽装置２４６は、格子状の左扉２４６ａおよび右扉２４６ｂからなり、装飾図柄表示装置２０８および前面ステージ２４４の間に配設する。左扉２４６ａおよび右扉２４６ｂの上部には、不図示の２つのプーリに巻き回したベルトをそれぞれ固定している。すなわち、左扉２４６ａおよび右扉２４６ｂは、モータによりプーリを介して駆動するベルトの動作に伴って左右にそれぞれ移動する。
【００４６】
遮蔽装置２４６は、左扉２４６ａおよび右扉２４６ｂを閉じた状態ではそれぞれの内側端部が重なり、遊技者が装飾図柄表示装置２０８を視認し難いように遮蔽する。左扉２４６ａおよび右扉２４６ｂを開いた状態ではそれぞれの内側端部が装飾図柄表示装置２０８の表示画面の外側端部と若干重なるが、遊技者は装飾図柄表示装置２０８の表示の全てを視認可能である。また、左扉２４６ａおよび右扉２４６ｂは、それぞれ任意の位置で停止可能であり、例えば、表示した装飾図柄がどの装飾図柄であるかを遊技者が識別可能な程度に、装飾図柄の一部だけを遮蔽するようなことができる。
【００４７】
なお、左扉２４６ａおよび右扉２４６ｂは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００４８】
＜制御部＞
次に、図４を用いて、このパチンコ機１００の制御部の回路構成について詳細に説明する。なお、同図は制御部の回路ブロック図を示したものである。
【００４９】
パチンコ機１００の制御部は、大別すると、遊技の中枢部分を制御する主制御部３００と、主制御部３００が送信するコマンド信号（以下、単に「コマンド」と呼ぶ）に応じて主に演出の制御を行う第１副制御部４００と、第１副制御部４００より送信されたコマンドに基づいて各種機器を制御する第２副制御部５００と、主制御部３００が送信するコマンドに応じて主に遊技球の払い出しに関する制御を行う払出制御部６００と、遊技球の発射制御を行う発射制御部６３０と、パチンコ機１００に供給される電源を制御する電源管理部６６０と、によって構成している。
【００５０】
＜主制御部＞
まず、パチンコ機１００の主制御部３００について説明する。
【００５１】
主制御部３００は、主制御部３００の全体を制御する基本回路３０２を備えており、この基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２と、プログラム処理の異常を監視するＷＤＴ３１４を搭載している。なお、ＲＯＭ３０６やＲＡＭ３０８については他の記憶装置を用いてもよく、この点は後述する第１副制御部４００についても同様である。この基本回路３０２のＣＰＵ３０４は、水晶発振器３１６ｂが出力する所定周期のクロック信号をシステムクロックとして入力して動作する。
【００５２】
また、基本回路３０２には、水晶発振器３１６ａが出力するクロック信号を受信する度に０〜６５５３５の範囲で数値を変動させるハードウェア乱数カウンタとして使用しているカウンタ回路３１８（この回路には２つのカウンタを内蔵しているものとする）と、所定の球検出センサ、例えば各始動口、入賞口、可変入賞口を通過する遊技球を検出するセンサや、前面枠扉開放センサや内枠開放センサや下皿満タンセンサを含む各種センサ３２０が出力する信号を受信し、増幅結果や基準電圧との比較結果をカウンタ回路３１８および基本回路３０２に出力するためのセンサ回路３２２と、所定の図柄表示装置、例えば第１特図表示装置２１２や第２特図表示装置２１４の表示制御を行うための駆動回路３２４と、所定の図柄表示装置、例えば普図表示装置２１０の表示制御を行うための駆動回路３２６と、各種状態表示部３２８（例えば、普図保留ランプ２１６、第１特図保留ランプ２１８、第２特図保留ランプ２２０、高確中ランプ２２２等）の表示制御を行うための駆動回路３３０と、所定の可動部材、例えば第２特図始動口２３２の羽根部材２３２ａや可変入賞口２３４の扉部材２３４ａ等を開閉駆動する各種ソレノイド３３２を制御するための駆動回路３３４と、各種ランプ３５６（例えば、チャンスボタンランプ１３８）の制御を行うための駆動回路３５５と、を接続している。
【００５３】
なお、第１特図始動口２３０に球が入賞したことを球検出センサ３２０が検出した場合には、センサ回路３２２は球を検出したことを示す信号をカウンタ回路３１８に出力する。この信号を受信したカウンタ回路３１８は、第１特図始動口２３０に対応するカウンタのそのタイミングにおける値をラッチし、ラッチした値を、第１特図始動口２３０に対応する内蔵のカウンタ値記憶用レジスタに記憶する。また、カウンタ回路３１８は、第２特図始動口２３２に球が入賞したことを示す信号を受信した場合も同様に、第２特図始動口２３２に対応するカウンタのそのタイミングにおける値をラッチし、ラッチした値を、第２特図始動口２３２に対応する内蔵のカウンタ値記憶用レジスタに記憶する。
【００５４】
さらに、基本回路３０２には、情報出力回路３３６を接続しており、主制御部３００は、この情報出力回路３３６を介して、外部のホールコンピュータ（図示省略）等が備える情報入力回路３５０にパチンコ機１００の遊技情報（例えば、遊技状態）を出力する。
【００５５】
また、主制御部３００には、電源管理部６６０から主制御部３００に供給している電源の電圧値を監視する電圧監視回路３３８を設けており、この電圧監視回路３３８は、電源の電圧値が所定の値（本実施例では９ｖ）未満である場合に電圧が低下したことを示す低電圧信号を基本回路３０２に出力する。
【００５６】
また、主制御部３００には、電源が投入されると起動信号（リセット信号）を出力する起動信号出力回路（リセット信号出力回路）３４０を設けており、ＣＰＵ３０４は、この起動信号出力回路３４０から起動信号を入力した場合に、遊技制御を開始する（後述する主制御部メイン処理を開始する）。
【００５７】
また、主制御部３００は、第１副制御部４００にコマンドを送信するための出力インタフェースと、払出制御部６００にコマンドを送信するための出力インタフェースをそれぞれ備えており、この構成により、第１副制御部４００および払出制御部６００との通信を可能としている。なお、主制御部３００と第１副制御部４００および払出制御部６００との情報通信は一方向の通信であり、主制御部３００は第１副制御部４００および払出制御部６００にコマンド等の信号を送信できるように構成しているが、第１副制御部４００および払出制御部６００からは主制御部３００にコマンド等の信号を送信できないように構成している。
【００５８】
＜副制御部＞
次に、パチンコ機１００の第１副制御部４００について説明する。第１副制御部４００は、主に主制御部３００が送信したコマンド等に基づいて第１副制御部４００の全体を制御する基本回路４０２を備えており、この基本回路４０２には、ＣＰＵ４０４と、制御プログラムや各種演出データを記憶するためのＲＯＭ４０６と、一時的にデータを記憶するためのＲＡＭ４０８と、各種デバイスの入出力を制御するためのＩ／Ｏ４１０と、時間や回数等を計測するためのカウンタタイマ４１２と、プログラム処理の異常を監視するＷＤＴ４１４を搭載している。この基本回路４０２のＣＰＵ４０４は、水晶発振器４１５が出力する所定周期のクロック信号をシステムクロックとして入力して動作する。なお、ＲＯＭ４０６は、制御プログラムと各種演出データとを別々のＲＯＭに記憶させてもよい。
【００５９】
また、基本回路４０２には、スピーカ１２０（およびアンプ）の制御を行うための音源ＩＣ４１６と、各種ランプ４１８（例えば、チャンスボタンランプ１３８）の制御を行うための駆動回路４２０と、遮蔽装置２４６の駆動制御を行うための駆動回路４３２と、遮蔽装置２４６の現在位置を検出する遮蔽装置センサ４３０やチャンスボタン１３６の押下を検出するチャンスボタン検出センサ４２６からの検出信号を基本回路４０２に出力するセンサ回路４２８と、ＣＰＵ４０４からの信号に基づいてＲＯＭ４０６に記憶された画像データ等を読み出してＶＲＡＭ４３６のワークエリアを使用して表示画像を生成して装飾図柄表示装置２０８に画像を表示するＶＤＰ（ビデオ・ディスプレイ・プロセッサー）４３４と、を接続している。
【００６０】
次に、パチンコ機１００の第２副制御部５００について説明する。第２副制御部５００は、第１副制御部４００が送信した制御コマンドを入力インタフェースを介して受信し、この制御コマンドに基づいて第２副制御部５００の全体を制御する基本回路５０２を備えており、この基本回路５０２は、ＣＰＵ５０４と、一時的にデータを記憶するためのＲＡＭ５０８と、各種デバイスの入出力を制御するためのＩ／Ｏ５１０と、時間や回数等を計測するためのカウンタタイマ５１２を搭載している。基本回路５０２のＣＰＵ５０４は、水晶発振器５１４が出力する所定周期のクロック信号をシステムクロックとして入力して動作する。また、第２副制御部５００には、第２副制御部５００の全体を制御するための制御プログラム及びデータ、画像表示用のデータ等が記憶されたＲＯＭ５０６が設けられている。
【００６１】
また、基本回路５０２には、演出可動体２２４の駆動制御を行うための駆動回路５１６と、演出可動体２２４の現在位置を検出する演出可動体センサ４２４からの検出信号を基本回路５０２に出力するセンサ回路５１８と、遊技盤用ランプ５３２の制御を行うための遊技盤用ランプ駆動回路５３０と、遊技台枠用ランプ５４２（例えば枠ランプ１２２）の制御を行うための遊技台枠用ランプ駆動回路５４０と、遊技盤用ランプ駆動回路５３０と遊技台枠用ランプ駆動回路５４０との間でシリアル通信による点灯制御を行うシリアル通信制御回路５２０と、時刻を出力するＲＴＣ（Ｒｅａｌ  Ｔｉｍｅ  Ｃｌｏｃｋ）５１９と、を接続している。ＲＴＣ５１９としては、例えば、１つのＩＣで構成されるＲＴＣモジュールを用いることができ、遊技台１００としては、遊技店員等がＲＴＣに例えば現在時刻を設定する設定手段や、遊技店員等がＲＴＣから得た時刻との比較対象である比較時刻を設定する手段や、ＲＴＣから得た時刻や設定した比較時刻を記憶する記憶手段や、ＲＴＣから得た時刻と設定した比較時刻とを比較して判定する判定手段などを有する場合がある。
【００６２】
＜払出制御部、発射制御部、電源管理部＞
次に、パチンコ機１００の払出制御部６００、発射制御部６３０、電源管理部６６０について説明する。
【００６３】
払出制御部６００は、主に主制御部３００が送信したコマンド等の信号に基づいて払出装置１５２の払出モータ６０２を制御すると共に、払出センサ６０４が出力する制御信号に基づいて賞球または貸球の払い出しが完了したか否かを検出すると共に、インタフェース部６０６を介して、パチンコ機１００とは別体で設けられたカードユニット６０８との通信を行う。
【００６４】
発射制御部６３０は、払出制御部６００が出力する、発射許可または停止を指示する制御信号や、球発射ハンドル１３４内に設けた発射強度出力回路が出力する、遊技者による球発射ハンドル１３４の操作量に応じた発射強度を指示する制御信号に基づいて、発射杆１４６および発射槌１４８を駆動する発射モータ６３２の制御や、上皿１２６から発射装置１１０に球を供給する球送り装置６３４の制御を行う。
【００６５】
電源管理部６６０は、パチンコ機１００に外部から供給される交流電源を直流化し、所定の電圧に変換して主制御部３００、第１副制御部４００等の各制御部や払出装置１５２等の各装置に供給する。さらに、電源管理部６６０は、外部からの電源が断たれた後も所定の部品（例えば主制御部３００のＲＡＭ３０８等）に所定の期間（例えば１０日間）電源を供給するための蓄電回路（例えば、コンデンサ）を備えている。なお、本実施形態では、電源管理部６６０から払出制御部６００と第２副制御部５００に所定電圧を供給し、払出制御部６００から主制御部３００と第２副制御部５００と発射制御部６３０に所定電圧を供給しているが、各制御部や各装置に他の電源経路で所定電圧を供給してもよい。
【００６６】
＜図柄の種類＞
次に、図５（ａ）〜（ｃ）を用いて、パチンコ機１００の第１特別図柄表示装置２１２、第２特別図柄表示装置２１４、装飾図柄表示装置２０８、普通図柄表示装置２１０が停止表示する特図および普図の種類について説明する。
【００６７】
図５（ａ）は特図の停止図柄態様の一例を示したものである。
【００６８】
第１特図始動口２３０に球が入球したことを第１始動口センサが検出したことを条件として特図１変動遊技が開始され、第２特図始動口２３２に球が入球したことを第２始動口センサが検出したことを条件として特図２変動遊技が開始される。
【００６９】
特図１変動遊技が開始されると、第１特別図柄表示装置２１２は、７個のセグメントの全点灯と、中央の１個のセグメントの点灯を繰り返す「特図１の変動表示」を行う。また、特図２変動遊技が開始されると、第２特別図柄表示装置２１４は、７個のセグメントの全点灯と、中央の１個のセグメントの点灯を繰り返す「特図２の変動表示」を行う。これらの「特図１の変動表示」および「特図２の変動表示」が本発明にいう図柄の変動表示の一例に相当する。
【００７０】
そして、特図１の変動開始前に決定した変動時間（本発明にいう変動時間が相当）が経過すると、第１特別図柄表示装置２１２は特図１の停止図柄態様を停止表示し、特図２の変動開始前に決定した変動時間（これも本発明にいう変動時間が相当）が経過すると、第２特別図柄表示装置２１４は特図２の停止図柄態様を停止表示する。
【００７１】
したがって、「特図１の変動表示」を開始してから特図１の停止図柄態様を停止表示するまで、あるいは「特図２の変動表示」を開始してから特図２の停止図柄態様を停止表示するまでが本発明にいう図柄変動停止表示の一例に相当し、以下、この「特図１又は２の変動表示」を開始してから特図１又は２の停止図柄態様を停止表示するまでの一連の表示を図柄変動停止表示と称する。後述するように、図柄変動停止表示は複数回、連続して行われることがある。
【００７２】
図５（ａ）には、図柄変動停止表示における停止図柄態様として「特図Ａ」から「特図Ｊ」までの１０種類の特図が示されている。図５（ａ）においては、図中の白抜きの部分が消灯するセグメントの場所を示し、黒塗りの部分が点灯するセグメントの場所を示している。
【００７３】
「特図Ａ」は１５ラウンド（１５Ｒ）特別大当たり図柄であり、「特図Ｂ」は１５Ｒ大当たり図柄である。本実施形態のパチンコ機１００では、後述するように、特図変動遊技における大当りか否かの決定はハードウェア乱数の抽選によって行い、特別大当りか否かの決定はソフトウェア乱数の抽選によって行う。大当りと特別大当りの違いは、次回の特図変動遊技で、大当りに当選する確率が高い（特別大当り）か、低い（大当り）かの違いである。以下、この大当りに当選する確率が高い状態のことを特図高確率状態と称し、その確率が低い状態のことを特図低確率状態と称する。また、１５Ｒ特別大当たり遊技終了後および１５Ｒ大当たり遊技終了後はいずれも時短状態に移行する。時短については詳しくは後述するが、時短状態に移行する状態のことを普図高確率状態と称し、時短状態に移行しない状態のことを普図低確率状態と称する。１５Ｒ特別大当たり図柄である「特図Ａ」は、特図高確率普図高確率状態であり、１５Ｒ大当たり図柄である「特図Ｂ」は、特図低確率普図高確率状態である。これらの「特図Ａ」および「特図Ｂ」は、遊技者に付与する利益量が相対的に大きな利益量になる図柄である。
【００７４】
「特図Ｃ」は突然確変と称される２Ｒ大当たり図柄であり、特図高確率普図高確率状態である。すなわち、１５Ｒである「特図Ａ」と比べて、「特図Ｃ」は２Ｒである点が異なる。「特図Ｄ」は突然時短と称される２Ｒ大当たり図柄であり、特図低確率普図高確率状態である。すなわち、１５Ｒである「特図Ｂ」と比べて、「特図Ｄ」は２Ｒである点が異なる。
【００７５】
「特図Ｅ」は隠れ確変と称される２Ｒ大当たり図柄であり、特図高確率普図低確率状態である。「特図Ｆ」は突然通常と称される２Ｒ大当たり図柄であり、特図低確率普図低確率状態である。これら「特図Ｅ」および「特図Ｆ」はいずれも、２Ｒであるとともに、時短状態に移行しない状態である。
【００７６】
「特図Ｇ」は第１小当たり図柄であり、「特図Ｈ」は第２小当たり図柄であり、何れも特図低確率普図低確率状態である。ここにいう小当たりは、２Ｒ時短無し大当たりと同じものに相当する。すなわち、この「特図Ｇ」、「特図Ｈ」は「特図Ｆ」と同じ状態であるが、両者では装飾図柄表示装置２０８に表示される演出が異なり、あえて、同じ状態でも「特図Ｇ」、「特図Ｈ」と「特図Ｆ」を設けておくことで、遊技の興趣を高めている。
【００７７】
また、「特図Ｉ」は第１はずれ図柄であり、「特図Ｊ」は第２はずれ図柄であり、遊技者に付与する利益量が相対的に小さな利益量になる図柄である。
【００７８】
なお、本実施形態のパチンコ機１００には、１５Ｒ特別大当たり図柄として「特図Ａ」以外の図柄も用意されており、１５Ｒ大当たり図柄等の他の図柄についても同様である。
【００７９】
図５（ｂ）は装飾図柄の一例を示したものである。本実施形態の装飾図柄には、「装飾１」〜「装飾１０」の１０種類がある。第１特図始動口２３０または第２特図始動口２３２に球が入賞したこと、すなわち、第１特図始動口２３０に球が入球したことを第１始動口センサが検出したこと、あるいは第２特図始動口２３２に球が入球したことを第２始動口センサが検出したことを条件にして、装飾図柄表示装置２０８の左図柄表示領域２０８ａ、中図柄表示領域２０８ｂ、右図柄表示領域２０８ｃの各図柄表示領域に、「装飾１」→「装飾２」→「装飾３」→・・・・「装飾９」→「装飾１０」→「装飾１」→・・・の順番で表示を切り替える「装飾図柄の変動表示」を行う。
【００８０】
そして、「特図Ｂ」の１５Ｒ大当たりを報知する場合には、図柄表示領域２０８ａ〜２０８ｃに１５Ｒ大当たりに対応する、同じ装飾図柄が３つ並んだ図柄組合せ（例えば「装飾１−装飾１−装飾１」や「装飾２−装飾２−装飾２」等）を停止表示する。「特図Ａ」の１５Ｒ特別大当たりを報知する場合には、同じ奇数の装飾図柄が３つ並んだ図柄組合せ（例えば「装飾３−装飾３−装飾３」や「装飾７−装飾７−装飾７」等）を停止表示する。
【００８１】
また、「特図Ｅ」の隠れ確変と称される２Ｒ大当たり、「特図Ｆ」の突然通常と称される２Ｒ大当たり、あるいは「特図Ｇ」の第１小当たり、「特図Ｈ」の第２小当たりを報知する場合には、「装飾１−装飾２−装飾３」を停止表示する。さらに、「特図Ｃ」の突然確変と称される２Ｒ大当たり、あるいは「特図Ｄ」の突然時短と称される２Ｒ大当たりを報知する場合には、「装飾１−装飾３−装飾５」を停止表示する。
【００８２】
一方、「特図Ｉ」の第１はずれ、「特図Ｊ」の第２はずれを報知する場合には、図柄表示領域２０８ａ〜２０８ｃに図５（ｂ）に示す図柄組合せ以外の図柄組合せを停止表示する。
【００８３】
図５（ｃ）は普図の停止表示図柄の一例を示したものである。本実施形態の普図の停止表示態様には、当たり図柄である「普図Ａ」と、外れ図柄である「普図Ｂ」の２種類がある。普図始動口２２８を球が通過したことを上述のゲートセンサが検出したことに基づいて、普通図柄表示装置２１０は、７個のセグメントの全点灯と、中央の１個のセグメントの点灯を繰り返す「普図の変動表示」を行う。そして、普図変動遊技の当選を報知する場合には「普図Ａ」を停止表示し、普図変動遊技の外れを報知する場合には「普図Ｂ」を停止表示する。この図５（ｃ）においても、図中の白抜きの部分が消灯するセグメントの場所を示し、黒塗りの部分が点灯するセグメントの場所を示している。
【００８４】
＜主制御部メイン処理＞
次に、図６を用いて、主制御部３００のＣＰＵ３０４が実行する主制御部メイン処理について説明する。なお、同図は主制御部メイン処理の流れを示すフローチャートである。
【００８５】
上述したように、主制御部３００には、電源が投入されると起動信号（リセット信号）を出力する起動信号出力回路（リセット信号出力回路）３４０を設けている。この起動信号を入力した基本回路３０２のＣＰＵ３０４は、リセット割込によりリセットスタートしてＲＯＭ３０６に予め記憶している制御プログラムに従って図６に示す主制御部メイン処理を実行する。
【００８６】
ステップ１００１では、初期設定１を行う。この初期設定１では、ＣＰＵ３０４のスタックポインタ（ＳＰ）へのスタック初期値の設定（仮設定）、割込マスクの設定、Ｉ／Ｏ３１０の初期設定、ＲＡＭ３０８に記憶する各種変数の初期設定、ＷＤＴ３１４への動作許可及び初期値の設定等を行う。なお、本実施形態では、ＷＤＴ３１４に、初期値として３２．８ｍｓに相当する数値を設定する。
【００８７】
ステップ１００３では、ＷＤＴ３１４のカウンタの値をクリアし、ＷＤＴ３１４による時間計測を再始動する。
【００８８】
ステップ１００５では、低電圧信号がオンであるか否か、すなわち、電圧監視回路３３８が、電源管理部６６０から主制御部３００に供給している電源の電圧値が所定の値（本実施形態では９ｖ）未満である場合に電圧が低下したことを示す低電圧信号を出力しているか否かを監視する。そして、低電圧信号がオンの場合（ＣＰＵ３０４が電源の遮断を検知した場合）にはステップ１００３に戻り、低電圧信号がオフの場合（ＣＰＵ３０４が電源の遮断を検知していない場合）にはステップ１００７に進む。なお、電源が投入された直後で未だ上記所定の値（９Ｖ）に達しない場合にもステップ１００３に戻り、供給電圧がその所定の値以上になるまで、ステップ１００５は繰り返し実行される。
【００８９】
ステップ１００７では、初期設定２を行う。この初期設定２では、後述する主制御部タイマ割込処理を定期毎に実行するための周期を決める数値をカウンタタイマ３１２に設定する処理、Ｉ／Ｏ３１０の所定のポート（例えば試験用出力ポート、第１副制御部４００への出力ポート）からクリア信号を出力する処理、ＲＡＭ３０８への書き込みを許可する設定等を行う。
【００９０】
ステップ１００９では、電源の遮断前（電断前）の状態に復帰するか否かの判定を行い、電断前の状態に復帰しない場合（主制御部３００の基本回路３０２を初期状態にする場合）には初期化処理（ステップ１０１３）に進む。
【００９１】
具体的には、最初に、電源基板に設けたＲＡＭクリアスイッチ１８０を遊技店の店員などが操作した場合に送信されるＲＡＭクリア信号がオン（操作があったことを示す）であるか否か、すなわちＲＡＭクリアが必要であるか否かを判定し、ＲＡＭクリア信号がオンの場合（ＲＡＭクリアが必要な場合）には、基本回路３０２を初期状態にすべくステップ１０１３に進む。一方、ＲＡＭクリア信号がオフの場合（ＲＡＭクリアが必要でない場合）には、ＲＡＭ３０８に設けた電源ステータス記憶領域に記憶した電源ステータスの情報を読み出し、この電源ステータスの情報がサスペンドを示す情報であるか否かを判定する。そして、電源ステータスの情報がサスペンドを示す情報でない場合には、基本回路３０２を初期状態にすべくステップ１０１３に進み、電源ステータスの情報がサスペンドを示す情報である場合には、ＲＡＭ３０８の所定の領域（例えば全ての領域）に記憶している１バイトデータを初期値が０である１バイト構成のレジスタに全て加算することによりチェックサムを算出し、算出したチェックサムの結果が特定の値（例えば０）であるか否か（チェックサムの結果が正常であるか否か）を判定する。そして、チェックサムの結果が特定の値（例えば０）の場合（チェックサムの結果が正常である場合）には電断前の状態に復帰すべくステップ１０１１に進み、チェックサムの結果が特定の値（例えば０）以外である場合（チェックサムの結果が異常である場合）には、パチンコ機１００を初期状態にすべくステップ１０１３に進む。同様に電源ステータスの情報が「サスペンド」以外の情報を示している場合にもステップ１０１３に進む。
【００９２】
ステップ１０１１では、復電時処理を行う。この復電時処理では、電断時にＲＡＭ３０８に設けられたスタックポインタ退避領域に記憶しておいたスタックポインタの値を読み出し、スタックポインタに再設定（本設定）する。また、電断時にＲＡＭ３０８に設けられたレジスタ退避領域に記憶しておいた各レジスタの値を読み出し、各レジスタに再設定した後、割込許可の設定を行う。以降、ＣＰＵ３０４が、再設定後のスタックポインタやレジスタに基づいて制御プログラムを実行する結果、パチンコ機１００は電源断時の状態に復帰する。すなわち、電断直前にタイマ割込処理（後述）に分岐する直前に行った（ステップ１０１５内の所定の）命令の次の命令から処理を再開する。また、図４に示す主制御部３００における基本回路３０２に搭載されているＲＡＭ３０８には、送信情報記憶領域が設けられている。このステップ１０１１では、その送信情報記憶領域に、復電コマンドをセットする。この復電コマンドは、電源断時の状態に復帰したことを表すコマンドであり、後述する、主制御部３００のタイマ割込処理におけるステップ２０３３において、第１副制御部４００へ送信される。
【００９３】
ステップ１０１３では、初期化処理を行う。この初期化処理では、割込禁止の設定、スタックポインタへのスタック初期値の設定（本設定）、ＲＡＭ３０８の全ての記憶領域の初期化などを行う。さらにここで、主制御部３００のＲＡＭ３０８に設けられた送信情報記憶領域に正常復帰コマンドをセットする。この正常復帰コマンドは、主制御部３００の初期化処理（ステップ１０１３）が行われたことを表すコマンドであり、復電コマンドと同じく、主制御部３００のタイマ割込処理におけるステップ２０３３において、第１副制御部４００へ送信される。
【００９４】
ステップ１０１５では、割込禁止の設定を行った後、基本乱数初期値更新処理を行う。この基本乱数初期値更新処理では、普図当選乱数カウンタ、および特図乱数値カウンタの初期値をそれぞれ生成するための２つの初期値生成用乱数カウンタと、普図タイマ乱数値、および特図タイマ乱数値それぞれを生成するための２つの乱数カウンタを更新する。例えば、普図タイマ乱数値として取り得る数値範囲が０〜１００とすると、ＲＡＭ３０８に設けた普図タイマ乱数値を生成するための乱数カウンタ記憶領域から値を取得し、取得した値に１を加算してから元の乱数カウンタ記憶領域に記憶する。このとき、取得した値に１を加算した結果が１０１であれば０を元の乱数カウンタ記憶領域に記憶する。他の初期値生成用乱数カウンタ、乱数カウンタもそれぞれ同様に更新する。なお、初期値生成用乱数カウンタは、後述するステップ２００７でも更新する。
【００９５】
主制御部３００は、所定の周期ごとに開始するタイマ割込処理を行っている間を除いて、ステップ１０１５の処理を繰り返し実行する。
【００９６】
＜主制御部タイマ割込処理＞
次に、図７を用いて、主制御部３００のＣＰＵ３０４が実行する主制御部タイマ割込処理について説明する。なお、同図は主制御部タイマ割込処理の流れを示すフローチャートである。
【００９７】
主制御部３００は、所定の周期（本実施形態では約２ｍｓに１回）でタイマ割込信号を発生するカウンタタイマ３１２を備えており、このタイマ割込信号を契機として主制御部タイマ割込処理を所定の周期で開始する。
【００９８】
ステップ２００１では、タイマ割込開始処理を行う。このタイマ割込開始処理では、ＣＰＵ３０４の各レジスタの値をスタック領域に一時的に退避する処理などを行う。
【００９９】
ステップ２００３では、ＷＤＴ３１４のカウント値が初期設定値（本実施形態では３２．８ｍｓ）を超えてＷＤＴ割込が発生しないように（処理の異常を検出しないように）、ＷＤＴを定期的に（本実施形態では、主制御部タイマ割込の周期である約２ｍｓに１回）リスタートを行う。
【０１００】
ステップ２００５では、入力ポート状態更新処理を行う。この入力ポート状態更新処理では、Ｉ／Ｏ３１０の入力ポートを介して、上述の前面枠扉開放センサや内枠開放センサや下皿満タンセンサ、各種の球検出センサを含む各種センサ３２０の検出信号を入力して検出信号の有無を監視し、ＲＡＭ３０８に各種センサ３２０ごとに区画して設けた信号状態記憶領域に記憶する。球検出センサの検出信号を例にして説明すれば、前々回のタイマ割込処理（約４ｍｓ前）で検出した各々の球検出センサの検出信号の有無の情報を、ＲＡＭ３０８に各々の球検出センサごとに区画して設けた前回検出信号記憶領域から読み出し、この情報をＲＡＭ３０８に各々の球検出センサごとに区画して設けた前々回検出信号記憶領域に記憶し、前回のタイマ割込処理（約２ｍｓ前）で検出した各々の球検出センサの検出信号の有無の情報を、ＲＡＭ３０８に各々の球検出センサごとに区画して設けた今回検出信号記憶領域から読み出し、この情報を上述の前回検出信号記憶領域に記憶する。また、今回検出した各々の球検出センサの検出信号を、上述の今回検出信号記憶領域に記憶する。
【０１０１】
また、ステップ２００５では、上述の前々回検出信号記憶領域、前回検出信号記憶領域、および今回検出信号記領域の各記憶領域に記憶した各々の球検出センサの検出信号の有無の情報を比較し、各々の球検出センサにおける過去３回分の検出信号の有無の情報が入賞判定パターン情報と一致するか否かを判定する。一個の遊技球が一つの球検出センサを通過する間に、約２ｍｓという非常に短い間隔で起動を繰り返すこの主制御部タイマ割込処理は何回か起動する。このため、主制御部タイマ割込処理が起動する度に、上述のステップ２００５では、同じ遊技球が同じ球検出センサを通過したことを表す検出信号を確認することになる。この結果、上述の前々回検出信号記憶領域、前回検出信号記憶領域、および今回検出信号記領域それぞれに、同じ遊技球が同じ球検出センサを通過したことを表す検出信号が記憶される。すなわち、遊技球が球検出センサを通過し始めたときには、前々回検出信号無し、前回検出信号有り、今回検出信号有りになる。本実施形態では、球検出センサの誤検出やノイズを考慮して、検出信号無しの後に検出信号が連続して２回記憶されている場合には、入賞があったと判定する。図４に示す主制御部３００のＲＯＭ３０６には、入賞判定パターン情報（本実施形態では、前々回検出信号無し、前回検出信号有り、今回検出信号有りであることを示す情報）が記憶されている。このステップ２００５では、各々の球検出センサにおいて過去３回分の検出信号の有無の情報が、予め定めた入賞判定パターン情報（本実施形態では、前々回検出信号無し、前回検出信号有り、今回検出信号有りであることを示す情報）と一致した場合に、一般入賞口２２６、可変入賞口２３４、第１特図始動口２３０、および第２特図始動口２３２への入球、または普図始動口２２８の通過があったと判定する。すなわち、これらの入賞口２２６、２３４やこれらの始動口２３０、２３２、２２８への入賞があったと判定する。例えば、一般入賞口２２６への入球を検出する一般入賞口センサにおいて過去３回分の検出信号の有無の情報が上述の入賞判定パターン情報と一致した場合には、一般入賞口２２６へ入賞があったと判定し、以降の一般入賞口２２６への入賞に伴う処理を行うが、過去３回分の検出信号の有無の情報が上述の入賞判定パターン情報と一致しなかった場合には、以降の一般入賞口２２６への入賞に伴う処理を行わずに後続の処理に分岐する。なお、主制御部３００のＲＯＭ３０６には、入賞判定クリアパターン情報（本実施形態では、前々回検出信号有り、前回検出信号無し、今回検出信号無しであることを示す情報）が記憶されている。入賞が一度あったと判定した後は、各々の球検出センサにおいて過去３回分の検出信号の有無の情報が、その入賞判定クリアパターン情報に一致するまで入賞があったとは判定せず、入賞判定クリアパターン情報に一致すれば、次からは上記入賞判定パターン情報に一致するか否かの判定を行う。
【０１０２】
ステップ２００７およびステップ２００９では、基本乱数初期値更新処理および基本乱数更新処理を行う。これらの基本乱数初期値更新処理および基本乱数更新処理では、上記ステップ１０１５で行った初期値生成用乱数カウンタの値の更新を行い、次に主制御部３００で使用する、普図当選乱数値、特図１乱数値、および特図２乱数値をそれぞれ生成するための２つの乱数カウンタを更新する。例えば、普図当選乱数値として取り得る数値範囲が０〜１００とすると、ＲＡＭ３０８に設けた普図当選乱数値を生成するための乱数カウンタ記憶領域から値を取得し、取得した値に１を加算してから元の乱数カウンタ記憶領域に記憶する。このとき、取得した値に１を加算した結果が１０１であれば０を元の乱数カウンタ記憶領域に記憶する。また、取得した値に１を加算した結果、乱数カウンタが一周していると判定した場合にはそれぞれの乱数カウンタに対応する初期値生成用乱数カウンタの値を取得し、乱数カウンタの記憶領域にセットする。例えば、０〜１００の数値範囲で変動する普図当選乱数値生成用の乱数カウンタから値を取得し、取得した値に１を加算した結果が、ＲＡＭ３０８に設けた所定の初期値記憶領域に記憶している前回設定した初期値と等しい値（例えば７）である場合に、普図当選乱数値生成用の乱数カウンタに対応する初期値生成用乱数カウンタから値を初期値として取得し、普図当選乱数値生成用の乱数カウンタにセットすると共に、普図当選乱数値生成用の乱数カウンタが次に１周したことを判定するために、今回設定した初期値を上述の初期値記憶領域に記憶しておく。また、普図当選乱数値生成用の乱数カウンタが次に１周したことを判定するための上述の初期値記憶領域とは別に、特図乱数生成用の乱数カウンタが１周したことを判定するための初期値記憶領域をＲＡＭ３０８に設けている。なお、本実施形態では特図１の乱数値を取得するためのカウンタと特図２の乱数値を取得するためのカウンタとを別に設けたが、同一のカウンタを用いてもよい。
【０１０３】
ステップ２０１１では、演出乱数更新処理を行う。この演出乱数更新処理では、主制御部３００で使用する演出用乱数値を生成するための乱数カウンタを更新する。
【０１０４】
ステップ２０１３では、タイマ更新処理を行う。このタイマ更新処理では、普通図柄表示装置２１０に図柄を変動・停止表示する時間を計時するための普図表示図柄更新タイマ、第１特別図柄表示装置２１２に図柄を変動・停止表示する時間を計時するための特図１表示図柄更新タイマ、第２特図表示装置２１４に図柄を変動・停止表示する時間を計時するための特図２表示図柄更新タイマ、所定の入賞演出時間、所定の開放時間、所定の閉鎖時間、所定の終了演出期間などを計時するためのタイマなどを含む各種タイマを更新する。
【０１０５】
ステップ２０１５では、入賞口カウンタ更新処理を行う。この入賞口カウンタ更新処理では、入賞口２２６、２３４や始動口２３０、２３２、２２８に入賞があった場合に、ＲＡＭ３０８に各入賞口ごと、あるいは各始動口ごとに設けた賞球数記憶領域の値を読み出し、１を加算して、元の賞球数記憶領域に設定する。
【０１０６】
また、ステップ２０１７では、入賞受付処理を行う。この入賞受付処理では、第１特図始動口２３０、第２特図始動口２３２、普図始動口２２８および可変入賞口２３４への入賞があったか否かを判定する。ここでは、ステップ２００３における入賞判定パターン情報と一致するか否かの判定結果を用いて判定する。第１特図始動口２３０へ入賞があった場合且つＲＡＭ３０８に設けた対応する保留数記憶領域が満タンでない場合、カウンタ回路３１８の当選用カウンタ値記憶用レジスタから値を特図１当選乱数値として取得するとともに特図１乱数値生成用の乱数カウンタから値を特図１乱数値として取得して対応する乱数値記憶領域に格納する。第２特図始動口２３２へ入賞があった場合且つＲＡＭ３０８に設けた対応する保留数記憶領域が満タンでない場合、カウンタ回路３１８の当選用カウンタ値記憶用レジスタから値を特図２当選乱数値として取得するとともに特図２乱数値生成用の乱数カウンタから値を特図２乱数値として取得して対応する乱数値記憶領域に格納する。普図始動口２２８へ入賞があった場合且つＲＡＭ３０８に設けた対応する保留数記憶領域が満タンでない場合、普図当選乱数値生成用の乱数カウンタから値を普図当選乱数値として取得して対応する乱数値記憶領域に格納する。可変入賞口２３４へ入賞があった場合には、可変入賞口用の入賞記憶領域に、可変入賞口２３４に球が入球したことを示す情報を格納する。
【０１０７】
ステップ２０１９では、払出要求数送信処理を行う。なお、払出制御部６００に出力する出力予定情報および払出要求情報は、例えば１バイトで構成しており、ビット７にストローブ情報（オンの場合、データをセットしていることを示す）、ビット６に電源投入情報（オンの場合、電源投入後一回目のコマンド送信であることを示す）、ビット４〜５に暗号化のための今回加工種別（０〜３）、およびビット０〜３に暗号化加工後の払出要求数を示すようにしている。
【０１０８】
ステップ２０２１では、普図状態更新処理を行う。この普図状態更新処理は、普図の状態に対応する複数の処理のうちの１つの処理を行う。例えば、普図変動表示の途中（上述する普図表示図柄更新タイマの値が１以上）における普図状態更新処理では、普通図柄表示装置２１０を構成する７セグメントＬＥＤの点灯と消灯を繰り返す点灯・消灯駆動制御を行う。この制御を行うことで、普通図柄表示装置２１０は普図の変動表示（普図変動遊技）を行う。
【０１０９】
また、普図変動表示時間が経過したタイミング（普図表示図柄更新タイマの値が１から０になったタイミング）における普図状態更新処理では、当りフラグがオンの場合には、当たり図柄の表示態様となるように普通図柄表示装置２１０を構成する７セグメントＬＥＤの点灯・消灯駆動制御を行い、当りフラグがオフの場合には、外れ図柄の表示態様となるように普通図柄表示装置２１０を構成する７セグメントＬＥＤの点灯・消灯駆動制御を行う。また、主制御部３００のＲＡＭ３０８には、普図状態更新処理に限らず各種の処理において各種の設定を行う設定領域が用意されている。ここでは、上記点灯・消灯駆動制御を行うとともに、その設定領域に普図停止表示中であることを示す設定を行う。この制御を行うことで、普通図柄表示装置２１０は、当り図柄（図５（ｃ）に示す普図Ａ）および外れ図柄（図５（ｃ）に示す普図Ｂ）いずれか一方の図柄の確定表示を行う。さらにその後、所定の停止表示期間（例えば５００ｍｓ間）、その表示を維持するためにＲＡＭ３０８に設けた普図停止時間管理用タイマの記憶領域に停止期間を示す情報を設定する。この設定により、確定表示された図柄が所定期間停止表示され、普図変動遊技の結果が遊技者に報知される。
【０１１０】
また、普図変動遊技の結果が当りであれば、後述するように、普図当りフラグがオンされる。この普図当りフラグがオンの場合には、所定の停止表示期間が終了したタイミング（普図停止時間管理用タイマの値が１から０になったタイミング）における普図状態更新処理では、ＲＡＭ３０８の設定領域に普図作動中を設定するとともに、所定の開放期間（例えば２秒間）、第２特図始動口２３２の羽根部材２３２ａの開閉駆動用のソレノイド３３２に、羽根部材２３２ａを開放状態に保持する信号を出力するとともに、ＲＡＭ３０８に設けた羽根開放時間管理用タイマの記憶領域に開放期間を示す情報を設定する。
【０１１１】
また、所定の開放期間が終了したタイミング（羽根開放時間管理用タイマの値が１から０になったタイミング）で開始する普図状態更新処理では、所定の閉鎖期間（例えば５００ｍｓ間）、羽根部材の開閉駆動用のソレノイド３３２に、羽根部材を閉鎖状態に保持する信号を出力するとともに、ＲＡＭ３０８に設けた羽根閉鎖時間管理用タイマの記憶領域に閉鎖期間を示す情報を設定する。
【０１１２】
また、所定の閉鎖期間が終了したタイミング（羽根閉鎖時間管理用タイマの値が１から０になったタイミング）で開始する普図状態更新処理では、ＲＡＭ３０８の設定領域に普図非作動中を設定する。さらに、普図変動遊技の結果が外れであれば、後述するように、普図外れフラグがオンされる。この普図外れフラグがオンの場合には、上述した所定の停止表示期間が終了したタイミング（普図停止時間管理用タイマの値が１から０になったタイミング）における普図状態更新処理でも、ＲＡＭ３０８の設定領域に普図非作動中を設定する。普図非作動中の場合における普図状態更新処理では、何もせずに次のステップ２０２３に移行するようにしている。
【０１１３】
ステップ２０２３では、普図関連抽選処理を行う。この普図関連抽選処理では、普図変動遊技および第２特図始動口２３２の開閉制御を行っておらず（普図の状態が非作動中）、且つ、保留している普図変動遊技の数が１以上である場合に、上述の乱数値記憶領域に記憶している普図当選乱数値に基づいた乱数抽選により普図変動遊技の結果を当選とするか、不当選とするかを決定する当り判定をおこない、当選とする場合にはＲＡＭ３０８に設けた当りフラグにオンを設定する。不当選の場合には、当りフラグにオフを設定する。また、当り判定の結果に関わらず、次に上述の普図タイマ乱数値生成用の乱数カウンタの値を普図タイマ乱数値として取得し、取得した普図タイマ乱数値に基づいて複数の変動時間のうちから普図表示装置２１０に普図を変動表示する時間を１つ選択し、この変動表示時間を、普図変動表示時間として、ＲＡＭ３０８に設けた普図変動時間記憶領域に記憶する。なお、保留している普図変動遊技の数は、ＲＡＭ３０８に設けた普図保留数記憶領域に記憶するようにしており、当り判定をするたびに、保留している普図変動遊技の数から１を減算した値を、この普図保留数記憶領域に記憶し直すようにしている。また当り判定に使用した乱数値を消去する。
【０１１４】
次いで、特図１および特図２それぞれについての特図状態更新処理を行うが、最初に、特図２についての特図状態更新処理（特図２状態更新処理）を行う（ステップ２０２５）。この特図２状態更新処理は、特図２の状態に応じて、次の８つの処理のうちの１つの処理を行う。例えば、特図２変動表示の途中（上述の特図２表示図柄更新タイマの値が１以上）における特図２状態更新処理では、第２特別図柄表示装置２１４を構成する７セグメントＬＥＤの点灯と消灯を繰り返す点灯・消灯駆動制御を行う。この制御を行うことで、第２特別図柄表示装置２１４は特図２の変動表示（特図２変動遊技）を行う。
【０１１５】
また、コマンド設定送信処理（後述のステップ２０３３）で回転開始設定送信処理を実行させることを示す所定の送信情報を上述の送信情報記憶領域に追加記憶してから処理を終了する。
【０１１６】
また、主制御部３００のＲＡＭ３０８には、１５Ｒ大当りフラグ、２Ｒ大当たりフラグ、第１小当たりフラグ、第２小当たりフラグ、第１はずれフラグ、第２はずれフラグ、特図確率変動フラグ、および普図確率変動フラグそれぞれのフラグが用意されている。特図２変動表示時間が経過したタイミング（特図２表示図柄更新タイマの値が１から０になったタイミング）で開始する特図２状態更新処理では、１５Ｒ大当りフラグはオン、特図確率変動フラグもオン、普図確率変動フラグもオンの場合には図５（ａ）に示す特図Ａ、１５Ｒ大当りフラグはオン、特図確率変動フラグはオフ、普図確率変動フラグはオンの場合には特図Ｂ、２Ｒ大当りフラグはオン、特図確率変動フラグもオン、普図確率変動フラグもオンの場合には特図Ｃ、２Ｒ大当りフラグはオン、特図確率変動フラグはオフ、普図確率変動フラグはオンの場合には特図Ｄ、２Ｒ大当りフラグはオン、特図確率変動フラグもオン、普図確率変動フラグはオンの場合には特図Ｅ、２Ｒ大当りフラグはオン、特図確率変動フラグはオフ、普図確率変動フラグもオフの場合には特図Ｆ、第１小当たりフラグがオンの場合には特図Ｇ、第２小当たりフラグがオンの場合には特図Ｈ、第１はずれフラグがオンの場合には特図Ｉ、第２はずれフラグがオンの場合には特図Ｊそれぞれの態様となるように、第２特別図柄表示装置２１４を構成する７セグメントＬＥＤの点灯・消灯駆動制御を行い、ＲＡＭ３０８の設定領域に特図２停止表示中であることを表す設定を行う。この制御を行うことで、第２特別図柄表示装置２１４は、１５Ｒ特別大当たり図柄（特図Ａ）、１５Ｒ大当たり図柄（特図Ｂ）、突然確変図柄（特図Ｃ）、突然時短図柄（特図Ｄ）、隠れ確変図柄（特図Ｅ）、突然通常図柄（特図Ｆ）、第１小当たり図柄（特図Ｇ）、第２小当たり図柄（特図Ｈ）、第１はずれ図柄（特図Ｉ）、および第２はずれ図柄（特図Ｊ）のいずれか一つの図柄の確定表示を行う。さらにその後、所定の停止表示期間（例えば５００ｍｓ間）その表示を維持するためにＲＡＭ３０８に設けた特図２停止時間管理用タイマの記憶領域に停止期間を示す情報を設定する。この設定により、確定表示された特図２が所定期間停止表示され、特図２変動遊技の結果が遊技者に報知される。また、ＲＡＭ３０８に設けられた時短回数記憶部に記憶された時短回数が１以上であれば、その時短回数から１を減算し、減算結果が１から０となった場合は、特図確率変動中（詳細は後述）でなければ、時短フラグをオフする。さらに、大当り遊技中（特別遊技状態中）にも、時短フラグをオフする。
【０１１７】
また、コマンド設定送信処理（後述のステップ２０３３）で回転停止設定送信処理を実行させることを示す所定の送信情報を上述の送信情報記憶領域に追加記憶するとともに、変動表示を停止する図柄が特図２であることを示す特図２識別情報を、後述するコマンドデータに含める情報としてＲＡＭ３０８に追加記憶してから処理を終了する。
【０１１８】
また、特図２変動遊技の結果が大当りであれば、後述するように、大当りフラグがオンされる。この大当りフラグがオンの場合には、所定の停止表示期間が終了したタイミング（特図２停止時間管理用タイマの値が１から０になったタイミング）における特図２状態更新処理では、ＲＡＭ３０８の設定領域に特図２作動中を設定するとともに、所定の入賞演出期間（例えば３秒間）すなわち装飾図柄表示装置２０８による大当りを開始することを遊技者に報知する画像を表示している期間待機するためにＲＡＭ３０８に設けた特図２待機時間管理用タイマの記憶領域に入賞演出期間を示す情報を設定する。また、コマンド設定送信処理（後述のステップ２０３３）で入賞演出設定送信処理を実行させることを示す所定の送信情報を上述の送信情報記憶領域に追加記憶する。
【０１１９】
また、所定の入賞演出期間が終了したタイミング（特図２待機時間管理用タイマの値が１から０になったタイミング）で開始する特図２状態更新処理では、所定の開放期間（例えば２９秒間、または可変入賞口２３４に所定球数（例えば１０球）の遊技球の入賞を検出するまで）可変入賞口２３４の扉部材２３４ａの開閉駆動用のソレノイド３３２に、扉部材２３４ａを開放状態に保持する信号を出力するとともに、ＲＡＭ３０８に設けた扉開放時間管理用タイマの記憶領域に開放期間を示す情報を設定する。また、コマンド設定送信処理（後述のステップ２０３３）で大入賞口開放設定送信処理を実行させることを示す所定の送信情報を上述の送信情報記憶領域に追加記憶する。
【０１２０】
また、所定の開放期間が終了したタイミング（扉開放時間管理用タイマの値が１から０になったタイミング）で開始する特図２状態更新処理では、所定の閉鎖期間（例えば１．５秒間）可変入賞口２３４の扉部材２３４ａの開閉駆動用のソレノイド３３２に、扉部材２３４ａを閉鎖状態に保持する信号を出力するとともに、ＲＡＭ３０８に設けた扉閉鎖時間管理用タイマの記憶領域に閉鎖期間を示す情報を設定する。また、コマンド設定送信処理（後述のステップ２０３３）で大入賞口閉鎖設定送信処理を実行させることを示す所定の送信情報を上述の送信情報記憶領域に追加記憶する。
【０１２１】
また、この扉部材の開放・閉鎖制御を所定回数（本実施例では１５ラウンドか２ラウンド）繰り返し、終了したタイミングで開始する特図２状態更新処理では、所定の終了演出期間（例えば３秒間）すなわち装飾図柄表示装置２０８による大当りを終了することを遊技者に報知する画像を表示している期間待機するように設定するためにＲＡＭ３０８に設けた演出待機時間管理用タイマの記憶領域に演出待機期間を示す情報を設定する。また、普図確率変動フラグがオンに設定されていれば、この大当たり遊技の終了と同時に、ＲＡＭ３０８に設けられた時短回数記憶部に時短回数１００回をセットするともに、ＲＡＭ３０８に設けられた時短フラグをオンする。なお、その普図確率変動フラグがオフに設定されていれば、時短回数記憶部に時短回数をセットすることもなく、また時短フラグをオンすることもない。ここにいう時短とは、特図変動遊技における大当りを終了してから、次の大当りを開始するまでの時間を短くするため、パチンコ機が遊技者にとって有利な状態になることをいう。この時短フラグがオンに設定されていると、普図高確率状態である。普図高確率状態では普図低確率状態に比べて、普図変動遊技に大当りする可能性が高い。また、普図高確率状態の方が、普図低確率状態に比べて普図変動遊技の変動時間および特図変動遊技の変動時間は短くなる。さらに、普図高確率状態では普図低確率状態に比べて、第２特図始動口２３２の一対の羽根部材２３２ａの１回の開放における開放時間が長くなりやすい。加えて、普図高確率状態では普図低確率状態に比べて、一対の羽根部材２３２ａは多く開きやすい。また、上述のごとく、時短フラグは、大当り遊技中（特別遊技状態中）にはオフに設定される。したがって、大当たり遊技中には、普図低確率状態が維持される。これは、大当たり遊技中に普図高確率状態であると、大当たり遊技中に可変入賞口２３４に所定の個数、遊技球が入球するまでの間に第２特図始動口２３２に多くの遊技球が入球し、大当たり中に獲得することができる遊技球の数が多くなってしまい射幸性が高まってしまうという問題があり、これを解決するためのものである。
【０１２２】
さらに、コマンド設定送信処理（後述のステップ２０３３）で終了演出設定送信処理を実行させることを示す所定の送信情報を上述の送信情報記憶領域に追加記憶する。
【０１２３】
また、所定の終了演出期間が終了したタイミング（演出待機時間管理用タイマの値が１から０になったタイミング）で開始する特図２状態更新処理では、ＲＡＭ３０８の設定領域に特図２非作動中を設定する。さらに、特図２変動遊技の結果が外れであれば、後述するように、はずれフラグがオンされる。このはずれフラグがオンの場合には、上述した所定の停止表示期間が終了したタイミング（特図２停止時間管理用タイマの値が１から０になったタイミング）における特図２状態更新処理でも、ＲＡＭ３０８の設定領域に特図２非作動中を設定する。特図２非作動中の場合における特図２状態更新処理では、何もせずに次のステップ２０２７に移行するようにしている。
【０１２４】
続いて、特図１についての特図状態更新処理（特図１状態更新処理）を行う（ステップ２０２７）。この特図１状態更新処理では、特図１の状態に応じて、上述の特図２状態更新処理で説明した各処理を行う。この特図１状態更新処理で行う各処理は、上述の特図２状態更新処理で説明した内容の「特図２」を「特図１」と読み替えた処理と同一であるため、その説明は省略する。なお、特図２状態更新処理と特図１状態更新処理の順番は逆でもよい。
【０１２５】
ステップ２０２５およびステップ２０２７における特図状態更新処理が終了すると、今度は、特図１および特図２それぞれについての特図関連抽選処理を行う。ここでも先に、特図２についての特図関連抽選処理（特図２関連抽選処理）を行い（ステップ２０２９）、その後で、特図１についての特図関連抽選処理（特図１関連抽選処理）を行う（ステップ２０３１）。これらの特図関連抽選処理についても、主制御部３００が特図２関連抽選処理を特図１関連抽選処理よりも先に行うことで、特図２変動遊技の開始条件と、特図１変動遊技の開始条件が同時に成立した場合でも、特図２変動遊技が先に変動中となるため、特図１変動遊技は変動を開始しない。また、装飾図柄表示装置２０８による、特図変動遊技の大当り判定の結果の報知は、第１副制御部４００によって行われ、第２特図始動口２３２への入賞に基づく抽選の抽選結果の報知が、第１特図始動口２３０への入賞に基づく抽選の抽選結果の報知よりも優先して行われる。
【０１２６】
ステップ２０３３では、コマンド設定送信処理を行い、各種のコマンドが第１副制御部４００に送信される。なお、第１副制御部４００に送信する出力予定情報は例えば１６ビットで構成しており、ビット１５はストローブ情報（オンの場合、データをセットしていることを示す）、ビット１１〜１４はコマンド種別（本実施形態では、基本コマンド、図柄変動開始コマンド、図柄変動停止コマンド、入賞演出開始コマンド、終了演出開始コマンド、大当りラウンド数指定コマンド、復電コマンド、ＲＡＭクリアコマンドなどコマンドの種類を特定可能な情報）、ビット０〜１０はコマンドデータ（コマンド種別に対応する所定の情報）で構成している。
【０１２７】
具体的には、ストローブ情報は上述のコマンド設定送信処理でオン、オフするようにしている。また、コマンド種別が図柄変動開始コマンドの場合であればコマンドデータに、１５Ｒ大当りフラグや２Ｒ大当たりフラグの値、特図確率変動フラグの値、特図関連抽選処理で選択したタイマ番号などを示す情報を含み、図柄変動停止コマンドの場合であれば、１５Ｒ大当りフラグや２Ｒ大当たりフラグの値、特図確率変動フラグの値などを含み、入賞演出コマンドおよび終了演出開始コマンドの場合であれば、特図確率変動フラグの値などを含み、大当りラウンド数指定コマンドの場合であれば特図確率変動フラグの値、大当りラウンド数などを含むようにしている。コマンド種別が基本コマンドを示す場合は、コマンドデータにデバイス情報、第１特図始動口２３０への入賞の有無、第２特図始動口２３２への入賞の有無、可変入賞口２３４への入賞の有無などを含む。
【０１２８】
また、上述の回転開始設定送信処理では、コマンドデータにＲＡＭ３０８に記憶している、１５Ｒ大当りフラグや２Ｒ大当たりフラグの値、特図確率変動フラグの値、特図１関連抽選処理および特図２関連抽選処理で選択したタイマ番号、保留している第１特図変動遊技または第２特図変動遊技の数などを示す情報を設定する。
【０１２９】
上述の回転停止設定送信処理では、コマンドデータにＲＡＭ３０８に記憶している、１５Ｒ大当りフラグや２Ｒ大当たりフラグの値、特図確率変動フラグの値などを示す情報を設定する。
【０１３０】
上述の入賞演出設定送信処理では、コマンドデータに、ＲＡＭ３０８に記憶している、入賞演出期間中に装飾図柄表示装置２０８・各種ランプ４１８・スピーカ１２０に出力する演出制御情報、特図確率変動フラグの値、保留している第１特図変動遊技または第２特図変動遊技の数などを示す情報を設定する。
【０１３１】
上述の終了演出設定送信処理では、コマンドデータに、ＲＡＭ３０８に記憶している、演出待機期間中に装飾図柄表示装置２０８・各種ランプ４１８・スピーカ１２０に出力する演出制御情報、特図確率変動フラグの値、保留している第１特図変動遊技または第２特図変動遊技の数などを示す情報を設定する。
【０１３２】
上述の大入賞口開放設定送信処理では、コマンドデータにＲＡＭ３０８に記憶している大当りラウンド数、特図確率変動フラグの値、保留している第１特図変動遊技または第２特図変動遊技の数などを示す情報を設定する。
【０１３３】
上述の大入賞口閉鎖設定送信処理では、コマンドデータにＲＡＭ３０８に記憶している大当りラウンド数、特図確率変動フラグの値、保留している第１特図変動遊技または第２特図変動遊技の数などを示す情報を設定する。
【０１３４】
また、このステップ２０３３では一般コマンド特図保留増加処理も行われる。この一般コマンド特図保留増加処理では、コマンドデータにＲＡＭ３０８の送信用情報記憶領域に記憶している特図識別情報（特図１または特図２を示す情報）、予告情報（事前予告情報、偽事前予告情報、または事前予告無情報のいずれか）を設定する。
【０１３５】
第１副制御部４００では、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することができるようになる。
【０１３６】
ステップ２０３５では、外部出力信号設定処理を行う。この外部出力信号設定処理では、ＲＡＭ３０８に記憶している遊技情報を、情報出力回路３３６を介してパチンコ機１００とは別体の情報入力回路３５０に出力する。
【０１３７】
ステップ２０３７では、デバイス監視処理を行う。このデバイス監視処理では、ステップ２００５において信号状態記憶領域に記憶した各種センサの信号状態を読み出して、所定のエラーの有無、例えば前面枠扉開放エラーの有無または下皿満タンエラーの有無などを監視し、前面枠扉開放エラーまたは下皿満タンエラーを検出した場合に、第１副制御部４００に送信すべき送信情報に、前面枠扉開放エラーの有無または下皿満タンエラーの有無を示すデバイス情報を設定する。また、各種ソレノイド３３２を駆動して第２特図始動口２３２や、可変入賞口２３４の開閉を制御したり、駆動回路３２４、３２６、３３０を介して第１特別図柄表示装置２１２、第２特別図柄表示装置２１４、普通図柄表示装置２１０、各種状態表示部３２８などに出力する表示データを、Ｉ／Ｏ３１０の出力ポートに設定する。また、払出要求数送信処理（ステップ２０１９）で設定した出力予定情報を出力ポート（Ｉ／Ｏ３１０）を介して第１副制御部４００に出力する。
【０１３８】
ステップ２０３９では、低電圧信号がオンであるか否かを監視する。そして、低電圧信号がオンの場合（電源の遮断を検知した場合）にはステップ２０４３に進み、低電圧信号がオフの場合（電源の遮断を検知していない場合）にはステップ２０４１に進む。
【０１３９】
ステップ２０４１では、タイマ割込終了処理を行う。このタイマ割込終了処理では、ステップ２００１で一時的に退避した各レジスタの値を元の各レジスタに設定したり、割込許可の設定などを行い、その後、図６に示す主制御部メイン処理に復帰する。
【０１４０】
一方、ステップ２０４３では、復電時に電断時の状態に復帰するための特定の変数やスタックポインタを復帰データとしてＲＡＭ３０８の所定の領域に退避し、入出力ポートの初期化等の電断処理を行い、その後、図６に示す主制御部メイン処理に復帰する。
【０１４１】
＜第１副制御部４００の処理＞
図８を用いて、第１副制御部４００の処理について説明する。
【０１４２】
なお、図８（ａ）は、第１副制御部４００のＣＰＵ４０４が実行するメイン処理のフローチャートである。図８（ｂ）は、第１副制御部４００のコマンド受信（ストローブ）割込み処理のフローチャートである。図８（ｃ）は、第１副制御部４００のタイマ割込処理のフローチャートである。図８（ｄ）は、第１副制御部４００の画像制御処理のフローチャートである。
【０１４３】
図８（ａ）を参照すると、第１副制御部４００では、電源投入が行われると、まず、ステップ３００１で初期化処理が実行される。この初期化処理では、入出力ポートの初期設定や、ＲＡＭ４０８内の記憶領域の初期化処理等を行う。
【０１４４】
ステップ３００３では、タイマ変数が１０以上か否かを判定し、タイマ変数が１０となるまでこの処理を繰り返し、タイマ変数が１０以上となったときには、ステップ３００５の処理に移行する。
【０１４５】
ステップ３００５では、タイマ変数に０を代入する。
【０１４６】
ステップ３００７では、コマンド処理を行う。第１副制御部４００のＣＰＵ４０４は、主制御部３００からコマンドを受信したか否かを判別する。
【０１４７】
ステップ３００９では、演出制御処理を行う。例えば、３００７で新たなコマンドがあった場合には、このコマンドに対応する演出データをＲＯＭ４０６から読み出す等の処理を行い、演出データの更新が必要な場合には演出データの更新処理を行う。
【０１４８】
ステップ３０１１では、チャンスボタン１３６の押下を検出していた場合、ステップ３００９で更新した演出データをチャンスボタン１３６の押下に応じた演出データに変更する処理を行う。
【０１４９】
ステップ３０１３では、３００９で読み出した演出データの中にＶＤＰ４３４への命令がある場合には、この命令をＶＤＰ４３４に出力する（詳細は後述）。
【０１５０】
ステップ３０１５では、３００９で読み出した演出データの中に音源ＩＣ４１６への命令がある場合には、この命令を音源ＩＣ４１６に出力する。
【０１５１】
ステップ３０１７では、３００９で読み出した演出データの中に各種ランプ４１８への命令がある場合には、この命令を駆動回路４２０に出力する。
【０１５２】
ステップ３０１９では、３００９で読み出した演出データの中に遮蔽装置２４６への命令がある場合には、この命令を駆動回路４３２に出力する。
【０１５３】
ステップ３０２１では、３００９で読み出した演出データの中に第２副制御部５００に送信する制御コマンドがある場合には、この制御コマンドを出力する設定を行う。
【０１５４】
ステップ３０２１を実行した後、ステップ３００３へ戻り、処理を繰り返す。
【０１５５】
次に、図８（ｂ）を用いて、第１副制御部４００のコマンド受信割込処理について説明する。このコマンド受信割込処理は、第１副制御部４００が、主制御部３００が出力するストローブ信号を検出した場合に実行する処理である。コマンド受信割込処理のステップ４００１では、主制御部３００が出力したコマンドを未処理コマンドとしてＲＡＭ４０８に設けたコマンド記憶領域に記憶する。
【０１５６】
次に、図８（ｃ）を用いて、第１副制御部４００のＣＰＵ４０４によって実行する第１副制御部タイマ割込処理について説明する。第１副制御部４００は、所定の周期（本実施例では２ｍｓに１回）でタイマ割込を発生するハードウェアタイマを備えており、このタイマ割込を契機として、第１副制御部タイマ割込処理を所定の周期で実行する。
【０１５７】
第１副制御部タイマ割込処理のステップ５００１では、図８（ａ）に示す第１副制御部メイン処理におけるステップ３００３において説明したＲＡＭ４０８のタイマ変数記憶領域の値に、１を加算して元のタイマ変数記憶領域に記憶する。従って、ステップ３００３において、タイマ変数の値が１０以上と判定されるのは２０ｍｓ毎（２ｍｓ×１０）となる。
【０１５８】
第１副制御部タイマ割込処理のステップ５００３では、ステップ３０１９で設定された第２副制御部５００への制御コマンドの送信や、演出用乱数値の更新処理等を行う。
【０１５９】
次に、図８（ｄ）を用いて、第１副制御部４００のメイン処理におけるステップ３０１３の画像制御処理について説明する。図８（ｄ）は、画像制御処理の流れを示すフローチャートを示した図である。
【０１６０】
ステップ６００１では、画像データの転送指示を行う。ここでは、ＣＰＵ４０４は、まず、ＶＲＡＭ４３６の表示領域Ａと表示領域Ｂの描画領域の指定をスワップする。これにより、描画領域に指定されていない表示領域に記憶された１フレームの画像が装飾図柄表示装置２０８に表示される。次に、ＣＰＵ４０４は、ＶＤＰ４３４のアトリビュートレジスタに、位置情報等テーブルに基づいてＲＯＭ座標（ＲＯＭ４０６の転送元アドレス）、ＶＲＡＭ座標（ＶＲＡＭ４３６の転送先アドレス）などを設定した後、ＲＯＭ４０６からＶＲＡＭ４３６への画像データの転送開始を指示する命令を設定する。ＶＤＰ４３４は、アトリビュートレジスタに設定された命令に基づいて画像データをＲＯＭ４０６からＶＲＡＭ４３６に転送する。その後、ＶＤＰ４３４は、転送終了割込信号をＣＰＵ４０４に対して出力する。
【０１６１】
ステップ６００３では、ＶＤＰ４３４からの転送終了割込信号が入力されたか否かを判定し、転送終了割込信号が入力された場合はステップ６００５に進み、そうでない場合は転送終了割込信号が入力されるのを待つ。
【０１６２】
ステップ６００５では、演出シナリオ構成テーブルおよびアトリビュートデータなどに基づいて、パラメータ設定を行う。ここでは、ＣＰＵ４０４は、ステップ６００１でＶＲＡＭ４３６に転送した画像データに基づいてＶＲＡＭ４３６の表示領域ＡまたはＢに表示画像を形成するために、表示画像を構成する画像データの情報（ＶＲＡＭ４３６の座標軸、画像サイズ、ＶＲＡＭ座標（配置座標）など）をＶＤＰ４３４に指示する。ＶＤＰ４３４はアトリビュートレジスタに格納された命令に基づいてアトリビュートに従ったパラメータ設定を行う。
【０１６３】
ステップ６００７では、描画指示を行う。この描画指示では、ＣＰＵ４０４は、ＶＤＰ４３４に画像の描画開始を指示する。ＶＤＰ４３４は、ＣＰＵ４０４の指示に従ってフレームバッファにおける画像描画を開始する。
【０１６４】
ステップ６００９では、画像の描画終了に基づくＶＤＰ４３４からの生成終了割込み信号が入力されたか否かを判定し、生成終了割込み信号が入力された場合はステップ６０１１に進み、そうでない場合は生成終了割込み信号が入力されるのを待つ。
【０１６５】
ステップ６０１１では、ＲＡＭ４０８の所定の領域に設定され、何シーンの画像を生成したかをカウントするシーン表示カウンタをインクリメント（＋１）して処理を終了する。
【０１６６】
＜第２副制御部５００の処理＞
図９を用いて、第２副制御部５００の処理について説明する。なお、同図（ａ）は、第２副制御部５００のＣＰＵ５０４が実行するメイン処理のフローチャートである。同図（ｂ）は、第２副制御部５００のコマンド受信割込処理のフローチャートである。同図（ｃ）は、第２副制御部５００のタイマ割込処理のフローチャートである。
【０１６７】
まず、同図（ａ）のステップ７００１では、各種の初期設定を行う。電源投入が行われると、まず７００１で初期化処理が実行される。この初期化処理では、入出力ポートの初期設定や、ＲＡＭ５０８内の記憶領域の初期化処理等を行う。
【０１６８】
ステップ７００３では、タイマ変数が１０以上か否かを判定し、タイマ変数が１０となるまでこの処理を繰り返し、タイマ変数が１０以上となったときには、ステップ７００５の処理に移行する。
【０１６９】
ステップ７００５では、タイマ変数に０を代入する。
ステップ７００７では、コマンド処理を行う。第２副制御部５００のＣＰＵ５０４は、第１副制御部４００のＣＰＵ４０４からコマンドを受信したか否かを判別する。
【０１７０】
ステップ７００９では、演出制御処理を行う。例えば、ステップ７００７で新たなコマンドがあった場合には、このコマンドに対応する演出データをＲＯＭ５０６から読み出す等の処理を行い、演出データの更新が必要な場合には演出データの更新処理を行う。
【０１７１】
ステップ７０１１では、第１副制御部４００からの遊技盤用ランプ５３２や遊技台枠用ランプ５４２への命令がある場合には、この命令をシリアル通信制御回路５２０に出力する。
【０１７２】
ステップ７０１３では、第１副制御部４００からの演出可動体２２４への命令がある場合には、この命令を駆動回路５１６に出力し、７００３に戻る。
【０１７３】
次に、同図（ｂ）を用いて、第２副制御部５００のコマンド受信割込処理について説明する。このコマンド受信割込処理は、第２副制御部５００が、第１副制御部４００が出力するストローブ信号を検出した場合に実行する処理である。コマンド受信割込処理のステップ８００１では、第１副制御部４００が出力したコマンドを未処理コマンドとしてＲＡＭ５０８に設けたコマンド記憶領域に記憶する。
【０１７４】
次に、同図（ｃ）を用いて、第２副制御部５００のＣＰＵ５０４によって実行する第２副制御部タイマ割込処理について説明する。第２副制御部５００は、所定の周期（本実施例では２ｍｓに１回）でタイマ割込を発生するハードウェアタイマを備えており、このタイマ割込を契機として、タイマ割込処理を所定の周期で実行する。
【０１７５】
第２副制御部タイマ割込処理のステップ９００１では、図８（ａ）に示す第２副制御部メイン処理におけるステップ７００３において説明したＲＡＭ５０８のタイマ変数記憶領域の値に、１を加算して元のタイマ変数記憶領域に記憶する。従って、ステップ７００３において、タイマ変数の値が１０以上と判定されるのは２０ｍｓ毎（２ｍｓ×１０）となる。
【０１７６】
第２副制御部タイマ割込処理のステップ９００３では、演出用乱数値の更新処理等を行う。
【０１７７】
＜導通部の構造＞
次に、本発明に係る導通部の構造について説明する。
【０１７８】
ここでは、例えば、基板に実装した電子機器と他の装置とを電気的に導通する構成について説明する。
【０１７９】
＜実施例１＞
図１０は、基板に実装した電子機器と他の装置とを電気的に導通する導通部を有する接続部としてのコネクタの一例を示す図であって、（ａ）は斜視図であり、（ｂ）は平面図であり、（ｃ）は側面図であり、（ｄ）は（ｂ）のＡ−Ａ断面図である。
【０１８０】
本例においては、基板７００上にコネクタ７０５を設けている。基板７００は、例えばネジ７０１によって基板ケース内に固定される場合があり、また例えばネジ７０１によって遊技台の所定位置に固定される場合がある。
【０１８１】
コネクタ７０５は、基板７００に実装した電子機器と他の装置とを電気的に導通する導通部７０７を有する。コネクタ７０５は、後述するコネクタ８０５と接続することで、導通部７０７を介して、コネクタ８０５に接続した他の装置と、基板７００に実装した電子機器とを電気的に接続する。導通部７０７は例えば先端が鋭利な金属で構成される。
【０１８２】
また、コネクタ７０５は、コネクタ８０５と接続する際に、コネクタ８０５をガイドするガイド部７０６を有する。本例では、ガイド部７０６は平面であり、このガイド部７０６の面に沿ってコネクタ８０５を移動させて、コネクタ７０５にコネクタ８０５を嵌合して接続する。
【０１８３】
図１１は、図１０に示したコネクタ７０５と接続するコネクタの一例を示す図であって、（ａ）は斜視図であり、（ｂ）は平面図であり、（ｃ）は側面図であり、（ｄ）は（ｂ）のＢ−Ｂ断面図である。
【０１８４】
本例においては、導線であるハーネス８００の一端にコネクタ８０５を設けている。ハーネス８００の他端は、基板７００に実装した電子機器と接続すべき他の装置に接続する。
【０１８５】
コネクタ８０５は、ハーネス８００と電気的に導通する導通部８０７を有する。コネクタ８０５は、コネクタ７０５と接続することで、導通部８０７を介して、ハーネス８００の他端に接続した他の装置と、基板７００に実装した電子機器とを電気的に接続する。導通部８０７は例えば平板状の金属で構成される。
【０１８６】
また、コネクタ８０５は、コネクタ７０５と接続する際に、コネクタ７０５のガイド部７０６に対向して設けた被ガイド部８０６を有する。本例では、ガイド部７０６と被ガイド部８０６とが摺りあってコネクタ７０５にコネクタ８０５を嵌合して接続する。
【０１８７】
図１２は、図１０に示したコネクタ７０５の導通部７０７と、図１１に示したコネクタ８０５の導通部８０７とを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部７０７と導通部８０７とを接続した状態を示す斜視図であり、（ｄ）は（ｂ）の状態の側面図であり、（ｅ）は（ｄ）のＡ−Ａ断面図である。
【０１８８】
コネクタ７０５にコネクタ８０５を正しい向きで接続すると、コネクタ８０５の被ガイド部８０６が、コネクタ７０５のガイド部７０６にガイドされて、コネクタ７０５にコネクタ８０５が嵌め込まれ、このとき導通部８０７に対して導通部７０７の先端が接触して導通が実現される。
【０１８９】
これに対して、コネクタ７０５にコネクタ８０５を誤った向きで接続した場合について図１３を参照して説明する。
【０１９０】
図１３は、コネクタ７０５にコネクタ８０５を誤った向きで接続した場合について説明する図であり、（ａ）は図１２（ｅ）に相当する断面図であり、（ｂ）は誤った向きで接続した後に、コネクタ７０５から取り外したコネクタ８０５の平面図であり、（ｃ）は誤った向きで接続した後に、コネクタ７０５から取り外したコネクタ８０５の斜視図である。
【０１９１】
図１３では、コネクタ７０５に対して、正しい向きから１８０度回転させた誤った向きでコネクタ８０５を接続した場合を示している。
【０１９２】
コネクタ８０５は、コネクタ７０５にコネクタ８０５を誤った向きで接続した証拠（痕跡）を残存させる痕跡残存手段８０８を備えている。本例では、この痕跡残存手段８０８は、例えば樹脂製であり、コネクタ７０５の導通部７０７よりも軟らかな部材であって、被ガイド部８０６が兼ね、コネクタ７０５にコネクタ８０５を誤った向きで接続した場合に導通部７０７が接触し、この導通部７０７の接触によって部分的あるいは全体的に破損し、その破損状態を保持する。この破損形状は、導通部７０７の形状に応じたものである。
【０１９３】
コネクタ７０５にコネクタ８０５を誤った向きで接続した場合には、コネクタ７０５からコネクタ８０５を取り外した後にも、痕跡残存手段８０８には破損状態が保持され、それを例えば目視することによって、そのコネクタ８０５を誤った向きで接続したことがあるという履歴を知り得ることができる。
【０１９４】
痕跡残存手段８０８は、その破損状態によってコネクタ７０５にコネクタ８０５を誤った向きで接続した証拠を保持するものに限られるものではなく、例えば、感圧インクの発色によって証拠を保持するものや、その他のいかなる手段によってその証拠を保持するものであってもよい場合がある。
【０１９５】
＜実施例２＞
図１４は、基板に実装した電子機器と他の装置とを電気的に導通する導通部を有する接続部としてのコネクタの別の例を示す図であって、（ａ）は斜視図であり、（ｂ）は平面図であり、（ｃ）は側面図であり、（ｄ）は（ｂ）のＡ−Ａ断面図である。
【０１９６】
本例においては、基板７００上にコネクタ１７０５を設けている。基板７００は、例えばネジ７０１によって基板ケース内に固定される場合があり、また例えばネジ７０１によって遊技台の所定位置に固定される場合がある。
【０１９７】
本例のコネクタ１７０５と接続する相手のコネクタは、図１１に示したコネクタ８０５を用いる。
【０１９８】
コネクタ１７０５は、基板７００に実装した電子機器と他の装置とを電気的に導通する導通部１７０７を有する。コネクタ１７０５は、図１１に示したコネクタ８０５と接続することで、導通部１７０７を介して、コネクタ８０５に接続した他の装置と、基板７００に実装した電子機器とを電気的に接続する。導通部１７０７は例えば先端が鋭利な金属で構成される。
【０１９９】
コネクタ１７０５は、コネクタ８０５と接続する際に、コネクタ８０５をガイドするガイド部７０６を有する。本例では、ガイド部７０６は平面であり、このガイド部７０６の面に沿ってコネクタ８０５を移動させて、コネクタ７０５にコネクタ８０５を嵌合して接続する。
【０２００】
図１０の例の導通部７０７は、コネクタ８０５の導通部８０７と同等の高さを有するものであったが、この図１４の例では、導通部１７０７の高さが低く、導通部１７０７の上部にもガイド部７０６を有する。これによってガイド部７０６によるコネクタ８０５のガイドの確実性を高める場合がある。
【０２０１】
図１５は、図１４に示したコネクタ１７０５の導通部１７０７と、図１１に示したコネクタ８０５の導通部８０７とを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部１７０７と導通部８０７とを接続した状態を示す斜視図であり、（ｄ）は（ｂ）の状態の側面図であり、（ｅ）は（ｄ）のＢ−Ｂ断面図である。
【０２０２】
コネクタ１７０５にコネクタ８０５を正しい向きで接続すると、コネクタ８０５の被ガイド部８０６が、コネクタ１７０５のガイド部７０６にガイドされて、コネクタ１７０５にコネクタ８０５が嵌め込まれ、このとき導通部８０７に対して導通部１７０７の先端が接触して導通が実現される。
【０２０３】
これに対して、コネクタ１７０５にコネクタ８０５を誤った向きで接続した場合について図１６を参照して説明する。
【０２０４】
図１６は、コネクタ１７０５にコネクタ８０５を誤った向きで接続した場合について説明する図であり、（ａ）は図１５（ｅ）に相当する断面図であり、（ｂ）は誤った向きで接続した後に、コネクタ５７０５から取り外したコネクタ８０５の平面図であり、（ｃ）は誤った向きで接続した後に、コネクタ５７０５から取り外したコネクタ８０５の斜視図である。
【０２０５】
図１６では、コネクタ１７０５に対して、正しい向きから１８０度回転させた誤った向きでコネクタ８０５を接続した場合を示している。
【０２０６】
コネクタ８０５は、コネクタ１７０５にコネクタ８０５を誤った向きで接続した証拠（痕跡）を残存させる痕跡残存手段８０８を備えている。本例では、この痕跡残存手段８０８は、例えば樹脂製であり、コネクタ１７０５の導通部１７０７よりも軟らかな部材であって、被ガイド部８０６が兼ね、コネクタ１７０５にコネクタ８０５を誤った向きで接続した場合に導通部１７０７が接触し、この導通部１７０７の接触によって部分的あるいは全体的に破損し、その破損状態を保持する。この破損形状は、導通部１７０７の形状に応じたものである。
【０２０７】
コネクタ１７０５にコネクタ８０５を誤った向きで接続した場合には、コネクタ１７０５からコネクタ８０５を取り外した後にも、痕跡残存手段８０８には破損状態が保持され、それを例えば目視することによって、そのコネクタ８０５を誤った向きで接続したことがあるという履歴を知り得ることができる。
【０２０８】
痕跡残存手段８０８は、その破損状態によってコネクタ１７０５にコネクタ８０５を誤った向きで接続した証拠を保持するものに限られるものではなく、例えば、感圧インクの発色によって証拠を保持するものや、その他のいかなる手段によってその証拠を保持するものであってもよい場合がある。
【０２０９】
＜実施例３＞
図１７は、基板に実装した電子機器と他の装置とを電気的に導通する導通部を有する接続部としてのコネクタの別の例を示す図であって、（ａ）は斜視図であり、（ｂ）は平面図であり、（ｃ）は（ｂ）のＣ−Ｃ断面図であり、（ｄ）は（ｂ）のＡ−Ａ断面図である。
【０２１０】
本例においては、基板７００上にコネクタ２７０５を設けている。基板７００は、例えばネジ７０１によって基板ケース内に固定される場合があり、また例えばネジ７０１によって遊技台の所定位置に固定される場合がある。
【０２１１】
コネクタ２７０５は、全体の側面を覆う枠部材２７０５ａを有する。
【０２１２】
コネクタ２７０５は、基板７００に実装した電子機器と他の装置とを電気的に導通する導通部７０７を有する。コネクタ２７０５は、後述するコネクタ２８０５と接続することで、導通部７０７を介して、コネクタ２８０５に接続した他の装置と、基板７００に実装した電子機器とを電気的に接続する。導通部７０７は例えば先端が鋭利な金属で構成される。
【０２１３】
また、コネクタ２７０５は、コネクタ２８０５と接続する際に、コネクタ２８０５をガイドするガイド部７０６を有する。本例では、ガイド部７０６は平面であり、このガイド部７０６の面に沿ってコネクタ２８０５を移動させて、コネクタ２７０５にコネクタ２８０５を嵌合して接続する。
【０２１４】
図１８は、図１７に示したコネクタ２７０５と接続するコネクタの一例を示す図であって、（ａ）は斜視図であり、（ｂ）は平面図であり、（ｃ）は（ｂ）のＤ−Ｄ断面図であり、（ｄ）は（ｂ）のＢ−Ｂ断面図である。
【０２１５】
本例においては、導線であるハーネス８００の一端にコネクタ２８０５を設けている。ハーネス８００の他端は、基板７００に実装した電子機器と接続すべき他の装置に接続する。
【０２１６】
コネクタ２８０５は、全体の側面を覆う枠部材２８０５ａを有する。
【０２１７】
コネクタ２８０５は、ハーネス８００と電気的に導通する導通部８０７を有する。コネクタ２８０５は、コネクタ２７０５と接続することで、導通部８０７を介して、ハーネス８００の他端に接続した他の装置と、基板７００に実装した電子機器とを電気的に接続する。導通部８０７は例えば平板状の金属で構成される。
【０２１８】
また、コネクタ２８０５は、コネクタ２７０５と接続する際に、コネクタ２７０５のガイド部７０６に対向して設けた被ガイド部８０６を有する。本例では、ガイド部７０６と被ガイド部８０６とが摺りあってコネクタ２７０５にコネクタ２８０５を嵌合して接続する。
【０２１９】
図１９は、図１７に示したコネクタ２７０５の導通部７０７と、図１８に示したコネクタ２８０５の導通部８０７とを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部７０７と導通部８０７とを接続した状態を示す斜視図であり、（ｄ）は（ｂ）の状態の側面図であり、（ｅ）は（ｄ）のＣ−Ｃ断面図であり、（ｆ）は（ｃ）の側断面図である。
【０２２０】
コネクタ２７０５にコネクタ２８０５を正しい向きで接続すると、コネクタ２８０５の被ガイド部８０６が、コネクタ２７０５のガイド部７０６にガイドされ、また、枠部材２７０５ａの内面に枠部材２８０５ａの外面がガイドされて、コネクタ２７０５にコネクタ２８０５が嵌め込まれ、このとき導通部８０７に対して導通部７０７の先端が接触して導通が実現される。
【０２２１】
これに対して、コネクタ２７０５にコネクタ２８０５を誤った向きで接続した場合について図２０を参照して説明する。
【０２２２】
図２０は、コネクタ２７０５にコネクタ２８０５を誤った向きで接続した場合について説明する図であり、（ａ）は図１９（ｅ）に相当する断面図であり、（ｂ）は誤った向きで接続した後に、コネクタ２７０５から取り外したコネクタ２８０５の平面図であり、（ｃ）は誤った向きで接続した後に、コネクタ２７０５から取り外したコネクタ２８０５の斜視図である。
【０２２３】
図２０では、コネクタ２７０５に対して、正しい向きから１８０度回転させた誤った向きでコネクタ２８０５を接続した場合を示している。
【０２２４】
コネクタ２８０５は、コネクタ２７０５にコネクタ２８０５を誤った向きで接続した証拠（痕跡）を残存させる痕跡残存手段８０８を備えている。本例では、この痕跡残存手段８０８は、例えば樹脂製であり、コネクタ２７０５の導通部７０７よりも軟らかな部材であって、被ガイド部８０６が兼ね、コネクタ２７０５にコネクタ２８０５を誤った向きで接続した場合に導通部７０７が接触し、この導通部７０７の接触によって部分的あるいは全体的に破損し、その破損状態を保持する。この破損形状は、導通部７０７の形状に応じたものである。
【０２２５】
コネクタ２７０５にコネクタ２８０５を誤った向きで接続した場合には、コネクタ２７０５からコネクタ２８０５を取り外した後にも、痕跡残存手段８０８には破損状態が保持され、それを例えば目視することによって、そのコネクタ２８０５を誤った向きで接続したことがあるという履歴を知り得ることができる。
【０２２６】
痕跡残存手段８０８は、その破損状態によってコネクタ２７０５にコネクタ２８０５を誤った向きで接続した証拠を保持するものに限られるものではなく、例えば、感圧インクの発色によって証拠を保持するものや、その他のいかなる手段によってその証拠を保持するものであってもよい場合がある。
【０２２７】
＜実施例４＞
図２１は、基板に実装した電子機器と他の装置とを電気的に導通する導通部を有する接続部としてのコネクタの別の例を示す図であって、（ａ）は斜視図であり、（ｂ）は平面図であり、（ｃ）は（ｂ）のＣ−Ｃ断面図であり、（ｄ）は（ｂ）のＡ−Ａ断面図である。
【０２２８】
本例においては、基板７００上にコネクタ３７０５を設けている。基板７００は、例えばネジ７０１によって基板ケース内に固定される場合があり、また例えばネジ７０１によって遊技台の所定位置に固定される場合がある。
【０２２９】
コネクタ３７０５は、全体の側面を覆う枠部材３７０５ａを有する。また、コネクタ３７０５は、後述するコネクタ３８０５の係合部３８０５ｂと係合可能な被係合部３７０５ｂを有する。被係合部３７０５ｂは、例えば、枠部材３７０５ａよりも外側に突出している。本例では、例えば導通部７０７の鋭利な先端部分が向く側に被係合部３７０５ｂを設けている。
【０２３０】
コネクタ３７０５は、基板７００に実装した電子機器と他の装置とを電気的に導通する導通部７０７を有する。コネクタ３７０５は、コネクタ３８０５と接続することで、導通部７０７を介して、コネクタ３８０５に接続した他の装置と、基板７００に実装した電子機器とを電気的に接続する。導通部７０７は例えば先端が鋭利な金属で構成される。
【０２３１】
また、コネクタ３７０５は、コネクタ３８０５と接続する際に、コネクタ３８０５をガイドするガイド部７０６を有する。本例では、ガイド部７０６は平面であり、このガイド部７０６の面に沿ってコネクタ３８０５を移動させて、コネクタ３７０５にコネクタ３８０５を嵌合して接続する。
【０２３２】
図２２は、図２１に示したコネクタ３７０５と接続するコネクタの一例を示す図であって、（ａ）は斜視図であり、（ｂ）は平面図であり、（ｃ）は（ｂ）のＤ−Ｄ断面図であり、（ｄ）は（ｂ）のＢ−Ｂ断面図である。
【０２３３】
本例においては、導線であるハーネス８００の一端にコネクタ３８０５を設けている。ハーネス８００の他端は、基板７００に実装した電子機器と接続すべき他の装置に接続する。
【０２３４】
コネクタ３８０５は、全体の側面を覆う枠部材３８０５ａを有する。また、コネクタ３８０５は、コネクタ３７０５の被係合部３７０５ｂと係合可能な係合部３８０５ｂを有する。係合部３８０５ｂは、例えば、枠部材３８０５ａの外側に配置され、内側に突出している。被係合部３７０５ｂと係合部３８０５ｂとが係合することによってコネクタ３７０５とコネクタ３８０５とが係止される。係合部３８０５ｂの先端の、係合時に被係合部３７０５ｂと接触する箇所にはテーパ３８０５ｃを設けて係合がスムーズに行えるようにしている。係合部３８０５ｂは、支点３８０５ｄを中心に例えば撓んで回動可能に構成されており、操作部３８０５ｅを内側に押す（操作する）ことによって、係合部３８０５ｂが外側に移動し、被係合部３７０５ｂとの係合を解除することが可能である。この係合解除がされない限りコネクタ３７０５とコネクタ３８０５とは取り外し不可能である。本例では、例えば痕跡残存手段８０８が向く側に係合部３８０５ｂを設けている。
【０２３５】
コネクタ３８０５は、ハーネス８００と電気的に導通する導通部８０７を有する。コネクタ３８０５は、コネクタ３７０５と接続することで、導通部８０７を介して、ハーネス８００の他端に接続した他の装置と、基板７００に実装した電子機器とを電気的に接続する。導通部８０７は例えば平板状の金属で構成される。
【０２３６】
また、コネクタ３８０５は、コネクタ３７０５と接続する際に、コネクタ３７０５のガイド部７０６に対向して設けた被ガイド部８０６を有する。本例では、ガイド部７０６と被ガイド部８０６とが摺りあってコネクタ３７０５にコネクタ３８０５を嵌合して接続する。
【０２３７】
図２３は、図２１に示したコネクタ３７０５の導通部７０７と、図２２に示したコネクタ３８０５の導通部８０７とを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部７０７と導通部８０７とを接続した状態を示す斜視図であり、（ｄ）は（ｂ）の状態の側面図であり、（ｅ）は（ｄ）のＥ−Ｅ断面図であり、（ｆ）は（ｃ）の側断面図である。
【０２３８】
コネクタ３７０５にコネクタ３８０５を正しい向きで接続すると、コネクタ３８０５の被ガイド部８０６が、コネクタ３７０５のガイド部７０６にガイドされ、また、枠部材３７０５ａの内面に枠部材３８０５ａの外面がガイドされて、コネクタ３７０５にコネクタ３８０５が嵌め込まれ、このとき導通部８０７に対して導通部７０７の先端が接触して導通が実現される。また、このとき係合部３８０５ｂの先端のテーパ３８０５ｃは被係合部３７０５ｂに当接し、係合部３８０５ｂは外側に広げられ（図２３（ｂ）参照）、コネクタ３７０５にコネクタ３８０５の嵌め込みが完了すると、係合部３８０５ｂが被係合部３７０５ｂに係合し、コネクタ３８０５はコネクタ３７０５に係止される（図２３（ｄ）参照）。
【０２３９】
これに対して、コネクタ３７０５にコネクタ３８０５を誤った向きで接続した場合について図２４を参照して説明する。
【０２４０】
図２４は、コネクタ３７０５にコネクタ３８０５を誤った向きで接続した場合について説明する図であり、（ａ）は図２３（ｅ）に相当する断面図であり、（ｂ）は誤った向きで接続した後に、コネクタ３７０５から取り外したコネクタ３８０５の平面図であり、（ｃ）は誤った向きで接続した後に、コネクタ３７０５から取り外したコネクタ３８０５の斜視図である。
【０２４１】
図２４では、コネクタ３７０５に対して、正しい向きから１８０度回転させた誤った向きでコネクタ３８０５を接続した場合を示している。
【０２４２】
コネクタ３８０５は、コネクタ３７０５にコネクタ３８０５を誤った向きで接続した証拠（痕跡）を残存させる痕跡残存手段８０８を備えている。本例では、この痕跡残存手段８０８は、例えば樹脂製であり、コネクタ３７０５の導通部７０７よりも軟らかな部材であって、被ガイド部８０６が兼ね、コネクタ３７０５にコネクタ３８０５を誤った向きで接続した場合に導通部７０７が接触し、この導通部７０７の接触によって部分的あるいは全体的に破損し、その破損状態を保持する。この破損形状は、導通部７０７の形状に応じたものである。
【０２４３】
コネクタ３７０５にコネクタ３８０５を誤った向きで接続した場合には、コネクタ３７０５からコネクタ３８０５を取り外した後にも、痕跡残存手段８０８には破損状態が保持され、それを例えば目視することによって、そのコネクタ３８０５を誤った向きで接続したことがあるという履歴を知り得ることができる。
【０２４４】
本例では、係合部３８０５ｂの係合の解除操作を行うことが可能な操作部３８０５ｅに向いた側に痕跡残存手段８０８を設けており、これにより、痕跡残存手段８０８の状態を視認しやすい場合がある。
【０２４５】
＜実施例５＞
図２５は、基板に実装した電子機器と他の装置とを電気的に導通する導通部を有する接続部としてのコネクタの別の例を示す図であって、（ａ）は斜視図であり、（ｂ）は平面図であり、（ｃ）は（ｂ）のＣ−Ｃ断面図であり、（ｄ）は（ｂ）のＡ−Ａ断面図である。
【０２４６】
本例においては、基板７００上にコネクタ４７０５を設けている。基板７００は、例えばネジ７０１によって基板ケース内に固定される場合があり、また例えばネジ７０１によって遊技台の所定位置に固定される場合がある。
【０２４７】
コネクタ４７０５は、全体の側面を覆う枠部材４７０５ａを有する。また、コネクタ４７０５は、後述するコネクタ４８０５の係合部４８０５ｂと係合可能な被係合部４７０５ｂを有する。被係合部４７０５ｂは、例えば、枠部材４７０５ａよりも外側に突出している。本例では、例えば導通部７０７の鋭利な先端部分が向く側の逆側に被係合部４７０５ｂを設けている。
【０２４８】
コネクタ４７０５は、基板７００に実装した電子機器と他の装置とを電気的に導通する導通部７０７を有する。コネクタ４７０５は、コネクタ４８０５と接続することで、導通部７０７を介して、コネクタ４８０５に接続した他の装置と、基板７００に実装した電子機器とを電気的に接続する。導通部７０７は例えば先端が鋭利な金属で構成される。
【０２４９】
また、コネクタ４７０５は、コネクタ４８０５と接続する際に、コネクタ４８０５をガイドするガイド部７０６を有する。本例では、ガイド部７０６は平面であり、このガイド部７０６の面に沿ってコネクタ３８０５を移動させて、コネクタ４７０５にコネクタ４８０５を嵌合して接続する。
【０２５０】
図２６は、図２５に示したコネクタ４７０５と接続するコネクタの一例を示す図であって、（ａ）は斜視図であり、（ｂ）は平面図であり、（ｃ）は（ｂ）のＤ−Ｄ断面図であり、（ｄ）は（ｂ）のＢ−Ｂ断面図である。
【０２５１】
本例においては、導線であるハーネス８００の一端にコネクタ４８０５を設けている。ハーネス８００の他端は、基板７００に実装した電子機器と接続すべき他の装置に接続する。
【０２５２】
コネクタ４８０５は、全体の側面を覆う枠部材４８０５ａを有する。また、コネクタ４８０５は、コネクタ４７０５の被係合部４７０５ｂと係合可能な係合部４８０５ｂを有する。係合部４８０５ｂは、例えば、枠部材４８０５ａの外側に配置され、内側に突出している。被係合部４７０５ｂと係合部４８０５ｂとが係合することによってコネクタ４７０５とコネクタ４８０５とが係止される。係合部４８０５ｂの先端の、係合時に被係合部４７０５ｂと接触する箇所にはテーパ４８０５ｃを設けて係合がスムーズに行えるようにしている。係合部４８０５ｂは、支点４８０５ｄを中心に例えば撓んで回動可能に構成されており、操作部４８０５ｅを内側に押す（操作する）ことによって、係合部４８０５ｂが外側に移動し、被係合部４７０５ｂとの係合を解除することが可能である。この係合解除がされない限りコネクタ４７０５とコネクタ４８０５とは取り外し不可能である。本例では、例えば痕跡残存手段８０８が向く側の逆側に係合部４８０５ｂを設けている。
【０２５３】
コネクタ４８０５は、ハーネス８００と電気的に導通する導通部８０７を有する。コネクタ４８０５は、コネクタ４７０５と接続することで、導通部８０７を介して、ハーネス８００の他端に接続した他の装置と、基板７００に実装した電子機器とを電気的に接続する。導通部８０７は例えば平板状の金属で構成される。
【０２５４】
また、コネクタ４８０５は、コネクタ４７０５と接続する際に、コネクタ４７０５のガイド部７０６に対向して設けた被ガイド部８０６を有する。本例では、ガイド部７０６と被ガイド部８０６とが摺りあってコネクタ４７０５にコネクタ４８０５を嵌合して接続する。
【０２５５】
図２７は、図２５に示したコネクタ４７０５の導通部７０７と、図２６に示したコネクタ４８０５の導通部８０７とを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部７０７と導通部８０７とを接続した状態を示す斜視図であり、（ｄ）は（ｂ）の状態の側面図であり、（ｅ）は（ｄ）のＤ−Ｄ断面図であり、（ｆ）は（ｃ）の側断面図である。
【０２５６】
コネクタ４７０５にコネクタ４８０５を正しい向きで接続すると、コネクタ４８０５の被ガイド部８０６が、コネクタ４７０５のガイド部７０６にガイドされ、また、枠部材４７０５ａの内面に枠部材４８０５ａの外面がガイドされて、コネクタ４７０５にコネクタ４８０５が嵌め込まれ、このとき導通部８０７に対して導通部７０７の先端が接触して導通が実現される。また、このとき係合部４８０５ｂの先端のテーパ４８０５ｃは被係合部４７０５ｂに当接し、係合部４８０５ｂは外側に広げられ（図２７（ｂ）参照）、コネクタ４７０５にコネクタ４８０５の嵌め込みが完了すると、係合部４８０５ｂが被係合部４７０５ｂに係合し、コネクタ４８０５はコネクタ４７０５に係止される（図２７（ｄ）参照）。
【０２５７】
これに対して、コネクタ４７０５にコネクタ４８０５を誤った向きで接続した場合について図２８を参照して説明する。
【０２５８】
図２８は、コネクタ４７０５にコネクタ４８０５を誤った向きで接続した場合について説明する図であり、（ａ）は図２７（ｅ）に相当する断面図であり、（ｂ）は誤った向きで接続した後に、コネクタ４７０５から取り外したコネクタ４８０５の平面図であり、（ｃ）は誤った向きで接続した後に、コネクタ４７０５から取り外したコネクタ４８０５の斜視図である。
【０２５９】
図２８では、コネクタ４７０５に対して、正しい向きから１８０度回転させた誤った向きでコネクタ４８０５を接続した場合を示している。
【０２６０】
コネクタ４８０５は、コネクタ４７０５にコネクタ４８０５を誤った向きで接続した証拠（痕跡）を残存させる痕跡残存手段８０８を備えている。本例では、この痕跡残存手段８０８は、例えば樹脂製であり、コネクタ４７０５の導通部７０７よりも軟らかな部材であって、被ガイド部８０６が兼ね、コネクタ４７０５にコネクタ４８０５を誤った向きで接続した場合に導通部７０７が接触し、この導通部７０７の接触によって部分的あるいは全体的に破損し、その破損状態を保持する。この破損形状は、導通部７０７の形状に応じたものである。
【０２６１】
コネクタ４７０５にコネクタ４８０５を誤った向きで接続した場合には、コネクタ４７０５からコネクタ４８０５を取り外した後にも、痕跡残存手段８０８には破損状態が保持され、それを例えば目視することによって、そのコネクタ４８０５を誤った向きで接続したことがあるという履歴を知り得ることができる。
【０２６２】
本例では、操作部４８０５ｅを操作したときにかかる力の向きが、痕跡残存手段８０８の破損状態（痕跡）を大きくする向きであり、これにより、痕跡残存手段８０８の破損状態を視認しやすくすることができる場合がある。
【０２６３】
痕跡残存手段８０８は、その破損状態によってコネクタ４７０５にコネクタ４８０５を誤った向きで接続した証拠を保持するものに限られるものではなく、例えば、感圧インクの発色によって証拠を保持するものや、その他のいかなる手段によってその証拠を保持するものであってもよい場合がある。
【０２６４】
＜実施例６＞
図２９は、基板に実装した電子機器と他の装置とを電気的に導通する導通部を有する接続部としてのコネクタの一例を示す図であって、（ａ）は斜視図であり、（ｂ）は平面図であり、（ｃ）は側面図であり、（ｄ）は（ｂ）のＡ−Ａ断面図である。
【０２６５】
本例においては、基板７００上にコネクタ５７０５を設けている。基板７００は、例えばネジ７０１によって基板ケース内に固定される場合があり、また例えばネジ７０１によって遊技台の所定位置に固定される場合がある。
【０２６６】
コネクタ５７０５は、基板７００に実装した電子機器と他の装置とを電気的に導通する導通部５７０７ａおよび導通部５７０７ｂを有する。導通部５７０７ａと導通部５７０７ｂとは同じ列に配置される。コネクタ５７０５は、後述するコネクタ５８０５と接続することで、導通部５７０７ａおよび導通部５７０７ｂを介して、コネクタ５８０５に接続した他の装置と、基板７００に実装した電子機器とを電気的に接続する。導通部５７０７ａおよび導通部５７０７ｂは例えば先端が鋭利な金属で構成される。
【０２６７】
また、コネクタ５７０５は、コネクタ５８０５と接続する際に、コネクタ５８０５をガイドするガイド部７０６を有する。本例では、ガイド部７０６は平面であり、このガイド部７０６の面に沿ってコネクタ５８０５を移動させて、コネクタ５７０５にコネクタ５８０５を嵌合して接続する。
【０２６８】
図３０は、図２９に示したコネクタ５７０５と接続するコネクタの一例を示す図であって、（ａ）は斜視図であり、（ｂ）は平面図であり、（ｃ）は側面図であり、（ｄ）は（ｂ）のＢ−Ｂ断面図である。
【０２６９】
本例においては、導線であるハーネス５８００ａおよびハーネス５８００ｂの一端にコネクタ５８０５を設けている。ハーネス５８００ａおよびハーネス５８００ｂの他端は、基板７００に実装した電子機器と接続すべき他の装置に接続する。
【０２７０】
コネクタ５８０５は、ハーネス５８００ａと電気的に導通する導通部５８０７ａ、およびハーネス５８００ｂと電気的に導通する導通部５８０７ｂを有する。コネクタ５８０５は、コネクタ５７０５と接続することで、導通部５８０７ａおよび導通部５８０７ｂを介して、ハーネス８００の他端に接続した他の装置と、基板７００に実装した電子機器とを電気的に接続する。導通部５８０７ａおよび導通部５８０７ｂは例えば平板状の金属で構成される。
【０２７１】
また、コネクタ５８０５は、コネクタ５７０５と接続する際に、コネクタ５７０５のガイド部７０６に対向して設けた被ガイド部８０６を有する。本例では、ガイド部７０６と被ガイド部８０６とが摺りあってコネクタ５７０５にコネクタ５８０５を嵌合して接続する。
【０２７２】
図３１は、図２９に示したコネクタ５７０５の導通部５７０７ａと、図３０に示したコネクタ５８０５の導通部５８０７ａとを接続し、導通部５７０７ｂと導通部５８０７ｂとを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部５７０７ａと導通部５８０７ａとを接続し、導通部５７０７ｂと導通部５８０７ｂとを接続した状態を示す斜視図であり、（ｄ）は（ｂ）の状態の側面図であり、（ｅ）は（ｄ）のＦ−Ｆ断面図である。
【０２７３】
コネクタ５７０５にコネクタ５８０５を正しい向きで接続すると、コネクタ５８０５の被ガイド部８０６が、コネクタ５７０５のガイド部７０６にガイドされて、コネクタ５７０５にコネクタ５８０５が嵌め込まれ、このとき導通部５８０７ａに対して導通部５７０７ａの先端が接触し、導通部５８０７ｂに対して導通部５７０７ｂの先端が接触して導通が実現される。
【０２７４】
これに対して、コネクタ５７０５にコネクタ５８０５を誤った向きで接続した場合について図３２を参照して説明する。
【０２７５】
図３２は、コネクタ５７０５にコネクタ５８０５を誤った向きで接続した場合について説明する図であり、（ａ）は図３１（ｅ）に相当する断面図であり、（ｂ）は誤った向きで接続した後に、コネクタ５７０５から取り外したコネクタ５８０５の平面図であり、（ｃ）は誤った向きで接続した後に、コネクタ５７０５から取り外したコネクタ５８０５の斜視図である。
【０２７６】
図３２では、コネクタ５７０５に対して、正しい向きから１８０度回転させた誤った向きでコネクタ５８０５を接続した場合を示している。
【０２７７】
コネクタ５８０５は、コネクタ５７０５にコネクタ５８０５を誤った向きで接続した証拠（痕跡）を残存させる痕跡残存手段５８０８ａおよび痕跡残存手段５８０８ｂを備えている。本例では、この痕跡残存手段５８０８ａおよび痕跡残存手段５８０８ｂは、例えば樹脂製であり、コネクタ５７０５の導通部５７０７ａや導通部５７０７ｂよりも軟らかな部材であって、被ガイド部８０６が兼ね、コネクタ５７０５にコネクタ５８０５を誤った向きで接続した場合に導通部５７０７ａや導通部５７０７ｂが接触し、この導通部５７０７ａや導通部５７０７ｂの接触によって部分的あるいは全体的に破損し、その破損状態を保持する。この破損形状は、導通部５７０７ａや導通部５７０７ｂの形状に応じたものである。本例では、導通部の数と同じ数の痕跡残存手段を設けているが、これに限らず、１つ以上で、導通部の数と異なる数の痕跡残存手段を設ける場合もある。
【０２７８】
コネクタ５７０５にコネクタ５８０５を誤った向きで接続した場合には、コネクタ５７０５からコネクタ５８０５を取り外した後にも、痕跡残存手段５８０８ａや５８０８ｂには破損状態が保持され、それを例えば目視することによって、そのコネクタ５８０５を誤った向きで接続したことがあるという履歴を知り得ることができる。
【０２７９】
痕跡残存手段５８０８ａや５８０８ｂは、その破損状態によってコネクタ５７０５にコネクタ５８０５を誤った向きで接続した証拠を保持するものに限られるものではなく、例えば、感圧インクの発色によって証拠を保持するものや、その他のいかなる手段によってその証拠を保持するものであってもよい場合がある。
【０２８０】
＜実施例７＞
図３３（ａ）は、基板に実装した電子機器と他の装置とを電気的に導通する導通部を有する接続部としてのコネクタの一例の斜視図であり、図３３（ｂ）は（ａ）の平面図であり、図３３（ｃ）は（ｂ）の側面図であり、図３３（ｄ）は（ｂ）のＡ−Ａ断面図であり、図３３（ｅ）は（ａ）に示したコネクタと接続するコネクタの一例の斜視図であり、図３３（ｆ）は（ｅ）の平面図であり、図３３（ｇ）は（ｆ）の側面図であり、図３３（ｈ）は（ｆ）のＢ−Ｂ断面図である。
【０２８１】
コネクタ６７０５は、基板７００に実装した電子機器と他の装置とを電気的に導通する導通部６７０７ａ、導通部６７０７ｂおよび導通部６７０７ｃを有する。導通部６７０７ａと導通部６７０７ｂと導通部６７０７ｃとは同じ列に配置される。コネクタ６７０５は、コネクタ６８０５と接続することで、導通部６７０７ａ、導通部６７０７ｂおよび導通部６７０７ｃを介して、コネクタ６８０５に接続した他の装置と、基板７００に実装した電子機器とを電気的に接続する。導通部６７０７ａ、導通部６７０７ｂおよび導通部６７０７ｃは例えば先端が鋭利な金属で構成される。
【０２８２】
また、コネクタ６７０５は、コネクタ６８０５と接続する際に、コネクタ６８０５をガイドするガイド部７０６を有する。本例では、ガイド部７０６は平面であり、このガイド部７０６の面に沿ってコネクタ６８０５を移動させて、コネクタ６７０５にコネクタ６８０５を嵌合して接続する。
【０２８３】
本例においては、導線であるハーネス８００の一端にコネクタ６８０５を設けている。ハーネス８００の他端は、基板７００に実装した電子機器と接続すべき他の装置に接続する。
【０２８４】
コネクタ６８０５は、ハーネス８００と電気的に導通する導通部６８０７ａ、導通部６８０７ｂおよび導通部６８０７ｃを有する。コネクタ６８０５は、コネクタ６７０５と接続することで、導通部６８０７ａ、導通部６８０７ｂおよび導通部６８０７ｃを介して、ハーネス８００の他端に接続した他の装置と、基板７００に実装した電子機器とを電気的に接続する。導通部６８０７ａ、導通部６８０７ｂおよび導通部６８０７ｃは例えば平板状の金属で構成される。
【０２８５】
また、コネクタ６８０５は、コネクタ６７０５と接続する際に、コネクタ６７０５のガイド部７０６に対向して設けた被ガイド部８０６を有する。本例では、ガイド部７０６と被ガイド部８０６とが摺りあってコネクタ６７０５にコネクタ６８０５を嵌合して接続する。
【０２８６】
図３４（ａ）〜（ｄ）は、図３３に示したコネクタ６７０５の導通部６７０７ａと、図３３に示したコネクタ６８０５の導通部６８０７ａとを接続し、導通部６７０７ｂと導通部６８０７ｂとを接続し、導通部６７０７ｃと導通部６８０７ｃとを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部６７０７ａと導通部６８０７ａとを接続し、導通部６７０７ｂと導通部６８０７ｂとを接続し、導通部６７０７ｃと導通部６８０７ｃとを接続した状態を示す斜視図であり、（ｄ）は（ｃ）の状態の平断面図であり、（ｅ）〜（ｇ）は、コネクタ６７０５にコネクタ６８０５を誤った向きで接続した場合について説明する図であり、（ｅ）は（ｄ）に相当する平断面図であり、（ｆ）は誤った向きで接続した後に、コネクタ６７０５から取り外したコネクタ６８０５の平面図であり、（ｇ）は誤った向きで接続した後に、コネクタ６７０５から取り外したコネクタ６８０５の斜視図である。
【０２８７】
コネクタ６７０５にコネクタ６８０５を正しい向きで接続すると、コネクタ６８０５の被ガイド部８０６が、コネクタ６７０５のガイド部７０６にガイドされて、コネクタ６７０５にコネクタ６８０５が嵌め込まれ、このとき導通部６８０７ａに対して導通部６７０７ａの先端が接触し、導通部６８０７ｂに対して導通部６７０７ｂの先端が接触し、導通部６８０７ｃに対して導通部６７０７ｃの先端が接触して導通が実現される。
【０２８８】
これに対して、コネクタ６７０５にコネクタ６８０５を誤った向きで接続した場合について図３４（ｅ）〜（ｇ）を参照して説明する。
【０２８９】
図３４（ｅ）〜（ｇ）では、コネクタ６７０５に対して、正しい向きから１８０度回転させた誤った向きでコネクタ６８０５を接続した場合を示している。
【０２９０】
コネクタ６８０５は、コネクタ６７０５にコネクタ６８０５を誤った向きで接続した証拠（痕跡）を残存させる痕跡残存手段６８０８ａ、痕跡残存手段６８０８ｂおよび痕跡残存手段６８０８ｃを備えている。本例では、この痕跡残存手段６８０８ａ、痕跡残存手段６８０８ｂおよび痕跡残存手段６８０８ｃは、例えば樹脂製であり、コネクタ６７０５の導通部６７０７ａ、導通部６７０７ｂや導通部６７０７ｃよりも軟らかな部材であって、被ガイド部８０６が兼ね、コネクタ６７０５にコネクタ６８０５を誤った向きで接続した場合に導通部６７０７ａ、導通部６７０７ｂや導通部６７０７ｃが接触し、この導通部６７０７ａ、導通部６７０７ｂや導通部６７０７ｃの接触によって部分的あるいは全体的に破損し、その破損状態を保持する。この破損形状は、導通部６７０７ａ、導通部６７０７ｂや導通部６７０７ｃの形状に応じたものである。本例では、導通部の数と同じ数の痕跡残存手段を設けているが、これに限らず、１つ以上で、導通部の数と異なる数の痕跡残存手段を設ける場合もある。また、痕跡残存手段の破損形状は、複数の痕跡残存手段のそれぞれで同じものである場合があり、また、異なるものである場合がある。
【０２９１】
コネクタ６７０５にコネクタ６８０５を誤った向きで接続した場合には、コネクタ６７０５からコネクタ６８０５を取り外した後にも、痕跡残存手段６８０８ａ、６８０８ｂや６８０８ｃには破損状態が保持され、それを例えば目視することによって、そのコネクタ６８０５を誤った向きで接続したことがあるという履歴を知り得ることができる。
【０２９２】
痕跡残存手段６８０８ａ、６８０８ｂや６８０８ｃは、その破損状態によってコネクタ６７０５にコネクタ６８０５を誤った向きで接続した証拠を保持するものに限られるものではなく、例えば、感圧インクの発色によって証拠を保持するものや、その他のいかなる手段によってその証拠を保持するものであってもよい場合がある。
【０２９３】
＜実施例８＞
図３５（ａ）は、基板に実装した電子機器と他の装置とを電気的に導通する導通部を有する接続部としてのコネクタの一例の斜視図であり、図３５（ｂ）は（ａ）の平面図であり、図３５（ｃ）は（ｂ）の側面図であり、図３５（ｄ）は（ｂ）のＡ−Ａ断面図であり、図３５（ｅ）は（ａ）に示したコネクタと接続するコネクタの一例の斜視図であり、図３５（ｆ）は（ｅ）の平面図であり、図３５（ｇ）は（ｆ）の側面図であり、図３５（ｈ）は（ｆ）のＢ−Ｂ断面図である。
【０２９４】
コネクタ７７０５は、基板７００に実装した電子機器と他の装置とを電気的に導通する導通部７７０７ａ、導通部７７０７ｂおよび導通部７７０７ｃを有する。導通部７７０７ａと導通部７７０７ｂとは同じ列に配置され、導通部７７０７ａや７７０７ｂと、導通部７７０７ｃとは異なる列に配置される。コネクタ７７０５は、コネクタ７８０５と接続することで、導通部７７０７ａ、導通部７７０７ｂおよび導通部７７０７ｃを介して、コネクタ７８０５に接続した他の装置と、基板７００に実装した電子機器とを電気的に接続する。導通部７７０７ａ、導通部７７０７ｂおよび導通部７７０７ｃは例えば先端が鋭利な金属で構成される。
【０２９５】
また、コネクタ７７０５は、コネクタ７８０５と接続する際に、コネクタ７８０５をガイドするガイド部７０６を有する。本例では、ガイド部７０６は平面であり、このガイド部７０６の面に沿ってコネクタ７８０５を移動させて、コネクタ７７０５にコネクタ７８０５を嵌合して接続する。
【０２９６】
本例においては、導線であるハーネス８００の一端にコネクタ７８０５を設けている。ハーネス８００の他端は、基板７００に実装した電子機器と接続すべき他の装置に接続する。
【０２９７】
コネクタ７８０５は、ハーネス８００と電気的に導通する導通部７８０７ａ、導通部７８０７ｂおよび導通部７８０７ｃを有する。コネクタ７８０５は、コネクタ７７０５と接続することで、導通部７８０７ａ、導通部７８０７ｂおよび導通部７８０７ｃを介して、ハーネス８００の他端に接続した他の装置と、基板７００に実装した電子機器とを電気的に接続する。導通部７８０７ａ、導通部７８０７ｂおよび導通部７８０７ｃは例えば平板状の金属で構成される。
【０２９８】
また、コネクタ７８０５は、コネクタ７７０５と接続する際に、コネクタ７７０５のガイド部７０６に対向して設けた被ガイド部８０６を有する。本例では、ガイド部７０６と被ガイド部８０６とが摺りあってコネクタ７７０５にコネクタ７８０５を嵌合して接続する。
【０２９９】
図３６（ａ）〜（ｅ）は、図３５に示したコネクタ７７０５の導通部７７０７ａと、図３５に示したコネクタ７８０５の導通部７８０７ａとを接続し、導通部７７０７ｂと導通部７８０７ｂとを接続し、導通部７７０７ｃと導通部７８０７ｃとを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部７７０７ａと導通部７８０７ａとを接続し、導通部７７０７ｂと導通部７８０７ｂとを接続し、導通部７７０７ｃと導通部７８０７ｃとを接続した状態を示す斜視図であり、（ｄ）は（ｂ）の状態の側面図であり、（ｅ）は（ｄ）のＨ−Ｈ断面図であり、（ｆ）〜（ｈ）は、コネクタ７７０５にコネクタ７８０５を誤った向きで接続した場合について説明する図であり、（ｆ）は（ｅ）に相当する断面図であり、（ｇ）は誤った向きで接続した後に、コネクタ７７０５から取り外したコネクタ７８０５の平面図であり、（ｈ）は誤った向きで接続した後に、コネクタ７７０５から取り外したコネクタ７８０５の斜視図である。
【０３００】
コネクタ７７０５にコネクタ７８０５を正しい向きで接続すると、コネクタ７８０５の被ガイド部８０６が、コネクタ７７０５のガイド部７０６にガイドされて、コネクタ７７０５にコネクタ７８０５が嵌め込まれ、このとき導通部７８０７ａに対して導通部７７０７ａの先端が接触し、導通部７８０７ｂに対して導通部７７０７ｂの先端が接触し、導通部７８０７ｃに対して導通部７７０７ｃの先端が接触して導通が実現される。
【０３０１】
これに対して、コネクタ７７０５にコネクタ７８０５を誤った向きで接続した場合について図３６（ｆ）〜（ｈ）を参照して説明する。
【０３０２】
図３６（ｆ）〜（ｈ）では、コネクタ７７０５に対して、正しい向きから１８０度回転させた誤った向きでコネクタ７８０５を接続した場合を示している。
【０３０３】
コネクタ７８０５は、コネクタ７７０５にコネクタ７８０５を誤った向きで接続した証拠（痕跡）を残存させる痕跡残存手段７８０８ａ、痕跡残存手段７８０８ｂおよび痕跡残存手段７８０８ｃを備えている。本例では、この痕跡残存手段７８０８ａ、痕跡残存手段７８０８ｂおよび痕跡残存手段７８０８ｃは、例えば樹脂製であり、コネクタ７７０５の導通部７７０７ａ、導通部７７０７ｂや導通部７７０７ｃよりも軟らかな部材であって、被ガイド部８０６が兼ね、コネクタ７７０５にコネクタ７８０５を誤った向きで接続した場合に導通部７７０７ａ、導通部７７０７ｂや導通部７７０７ｃが接触し、この導通部７７０７ａ、導通部７７０７ｂや導通部７７０７ｃの接触によって部分的あるいは全体的に破損し、その破損状態を保持する。この破損形状は、導通部７７０７ａ、導通部７７０７ｂや導通部７７０７ｃの形状に応じたものである。本例では、導通部の数と同じ数の痕跡残存手段を設けているが、これに限らず、１つ以上で、導通部の数と異なる数の痕跡残存手段を設ける場合もある。また、痕跡残存手段の破損形状は、複数の痕跡残存手段のそれぞれで同じものである場合があり、また、異なるものである場合がある。
【０３０４】
なお、本例では、所定の列に配置した導通部と、それに隣接する列に配置した導通部とが、列方向の位置をずらすように配置している。これは、例えば、導通部７７０７ａと導通部７７０７ｃとの列方向の位置が一致していると、コネクタ７７０５にコネクタ７８０５を誤った向きで接続した場合に、導通部７７０７ａによる痕跡残存手段７８０８ａの破損の深度が深いと、導通部７７０７ａと導通部７８０７ｃとが接触してしまい、不良な導通が発生する場合があるからである。
【０３０５】
コネクタ７７０５にコネクタ７８０５を誤った向きで接続した場合には、コネクタ７７０５からコネクタ７８０５を取り外した後にも、痕跡残存手段７８０８ａ、７８０８ｂや７８０８ｃには破損状態が保持され、それを例えば目視することによって、そのコネクタ７８０５を誤った向きで接続したことがあるという履歴を知り得ることができる。
【０３０６】
痕跡残存手段７８０８ａ、７８０８ｂや８８０８ｃは、その破損状態によってコネクタ７７０５にコネクタ７８０５を誤った向きで接続した証拠を保持するものに限られるものではなく、例えば、感圧インクの発色によって証拠を保持するものや、その他のいかなる手段によってその証拠を保持するものであってもよい場合がある。
【０３０７】
＜実施例９＞
図３７（ａ）は、基板に実装した電子機器と他の装置とを電気的に導通する導通部を有する接続部としてのコネクタの一例の斜視図であり、図３７（ｂ）は（ａ）の平面図であり、図３７（ｃ）は（ｂ）の側面図であり、図３７（ｄ）は（ｂ）のＢ−Ｂ断面図であり、図３７（ｅ）は（ａ）に示したコネクタと接続するコネクタの一例の斜視図であり、図３７（ｆ）は（ｅ）の平面図であり、図３７（ｇ）は（ｆ）の側面図であり、図３７（ｈ）は（ｆ）のＡ−Ａ断面図である。
【０３０８】
コネクタ８７０５は、基板７００に実装した電子機器と他の装置とを電気的に導通する導通部８７０７ａおよび導通部８７０７ｂを有する。導通部８７０７ａと導通部８７０７ｂとは同じ列に配置される。コネクタ８７０５は、コネクタ８８０５と接続することで、導通部８７０７ａおよび導通部８７０７ｂを介して、コネクタ８８０５に接続した他の装置と、基板７００に実装した電子機器とを電気的に接続する。導通部８７０７ａは例えば先端が鋭利な金属で構成され、導通部８７０７ｂは例えば平板状の金属で構成される。
【０３０９】
また、コネクタ８７０５は、コネクタ８８０５と接続する際に、コネクタ８８０５をガイドするガイド部７０６を有する。本例では、ガイド部７０６は平面であり、このガイド部７０６の面に沿ってコネクタ８８０５を移動させて、コネクタ８７０５にコネクタ８８０５を嵌合して接続する。
【０３１０】
本例においては、導線であるハーネス８００の一端にコネクタ８８０５を設けている。ハーネス８００の他端は、基板７００に実装した電子機器と接続すべき他の装置に接続する。
【０３１１】
コネクタ８８０５は、ハーネス８００と電気的に導通する導通部８８０７ａおよび導通部８８０７ｂを有する。コネクタ８８０５は、コネクタ８７０５と接続することで、導通部８８０７ａおよび導通部８８０７ｂを介して、ハーネス８００の他端に接続した他の装置と、基板７００に実装した電子機器とを電気的に接続する。導通部８８０７ａは例えば平板状の金属で構成され、導通部８８０７ｂは例えば先端が鋭利な金属で構成される。
【０３１２】
また、コネクタ８８０５は、コネクタ８７０５と接続する際に、コネクタ８７０５のガイド部７０６に対向して設けた被ガイド部８０６を有する。本例では、ガイド部７０６と被ガイド部８０６とが摺りあってコネクタ８７０５にコネクタ８８０５を嵌合して接続する。
【０３１３】
図３８（ａ）〜（ｅ）は、図３７に示したコネクタ８７０５の導通部８７０７ａと、図３７に示したコネクタ８８０５の導通部８８０７ａとを接続し、導通部８７０７ｂと導通部８８０７ｂとを接続する様子を示す図であり、（ａ）は向きをそろえて接続する前の状態を示す斜視図であり、（ｂ）はガイド部７０６と被ガイド部８０６とが接触した状態を示す斜視図であり、（ｃ）は導通部８７０７ａと導通部８８０７ａとを接続し、導通部８７０７ｂと導通部８８０７ｂとを接続した状態を示す斜視図であり、（ｄ）は（ｂ）の状態の側面図であり、（ｅ）は（ｄ）のＪ−Ｊ断面図であり、（ｆ）〜（Ｊ）は、コネクタ８７０５にコネクタ８８０５を誤った向きで接続した場合について説明する図であり、（ｆ）は（ｅ）に相当する断面図であり、（ｇ）は誤った向きで接続した後に、コネクタ８７０５から取り外したコネクタ８８０５の平面図であり、（ｇ）は誤った向きで接続した後に、コネクタ８８０５を取り外したコネクタ８７０５の平面図であり、（ｈ）は誤った向きで接続した後に、コネクタ８７０５から取り外したコネクタ８８０５の平面図であり、（ｉ）は誤った向きで接続した後に、コネクタ８８０５を取り外したコネクタ８７０５の斜視図であり、（ｊ）は誤った向きで接続した後に、コネクタ８７０５から取り外したコネクタ８８０５の斜視図である。
【０３１４】
コネクタ８７０５にコネクタ８８０５を正しい向きで接続すると、コネクタ８８０５の被ガイド部８０６が、コネクタ８７０５のガイド部７０６にガイドされて、コネクタ８７０５にコネクタ８８０５が嵌め込まれ、このとき導通部８８０７ａに対して導通部８７０７ａの先端が接触し、また、導通部８７０７ｂに対して導通部８８０７ｂの先端が接触して導通が実現される。
【０３１５】
これに対して、コネクタ８７０５にコネクタ８８０５を誤った向きで接続した場合について図３８（ｆ）〜（ｊ）を参照して説明する。
【０３１６】
図３８（ｆ）〜（ｊ）では、コネクタ８７０５に対して、正しい向きから１８０度回転させた誤った向きでコネクタ８８０５を接続した場合を示している。
【０３１７】
コネクタ８８０５は、コネクタ８７０５にコネクタ８８０５を誤った向きで接続した証拠（痕跡）を残存させる痕跡残存手段８８０８を備えている。
【０３１８】
また、コネクタ８７０５は、コネクタ８７０５にコネクタ８８０５を誤った向きで接続した証拠（痕跡）を残存させる痕跡残存手段８７０８を備えている。
【０３１９】
本例では、この痕跡残存手段８８０８および痕跡残存手段８７０８は、例えば樹脂製であり、コネクタ８７０５の導通部８７０７ａや、コネクタ８８０５の導通部８８０７ｂよりも軟らかな部材であって、被ガイド部８０６やガイド部７０６が兼ね、コネクタ８７０５にコネクタ８８０５を誤った向きで接続した場合に導通部８７０７ａや導通部８８０７ｂが接触し、この導通部８７０７ａや導通部８８０７ｂの接触によって部分的あるいは全体的に破損し、その破損状態を保持する。この破損形状は、導通部８７０７ａや導通部８８０７ｂの形状に応じたものである。本例では、導通部の数と同じ数の痕跡残存手段を設けているが、これに限らず、１つ以上で、導通部の数と異なる数の痕跡残存手段を設ける場合もある。また、痕跡残存手段の破損形状は、複数の痕跡残存手段のそれぞれで同じものである場合があり、また、異なるものである場合がある。
【０３２０】
コネクタ８７０５にコネクタ８８０５を誤った向きで接続した場合には、コネクタ８７０５からコネクタ８８０５を取り外した後にも、痕跡残存手段８８０８や８７０８には破損状態が保持され、それを例えば目視することによって、そのコネクタ８８０５やコネクタ８７０５を誤った向きで接続したことがあるという履歴を知り得ることができる。
【０３２１】
痕跡残存手段８８０８や８７０８は、その破損状態によってコネクタ８７０５にコネクタ８８０５を誤った向きで接続した証拠を保持するものに限られるものではなく、例えば、感圧インクの発色によって証拠を保持するものや、その他のいかなる手段によってその証拠を保持するものであってもよい場合がある。
【０３２２】
＜実施例１０＞
図３９は、基板に実装した電子機器と他の装置とを電気的に導通する導通部を有する接続部としてのコネクタの一例を示す図であって、（ａ）はコネクタ９８０５の平面図であり、（ｂ）は（ａ）のコネクタの側面図であり、（ｃ）は（ａ）のコネクタの正面図であり、（ｄ）は（ａ）のコネクタに接続されるコネクタ９７０５の平面図であり、（ｅ）は（ｄ）のコネクタの側面図であり、（ｆ）は（ｄ）のコネクタの正面図であり、（ｇ）は（ｄ）のＡ−Ａ断面図である。（ｈ）はコネクタ９８０５とコネクタ９７０５とを向きをそろえて接続した状態を示す平断面図であり、（ｉ）はコネクタ９８０５とコネクタ９７０５とを誤った向きで接続した状態を示す平断面図であり、（ｊ）は誤った向きで接続した後に、コネクタ９８０５から取り外したコネクタ９７０５の平面図である。
【０３２３】
本例においては、不図示の基板上にコネクタ９８０５を設けている。コネクタ９８０５は、基板に実装した電子機器と他の装置とを電気的に導通する導通部９８０７を有する。コネクタ９８０５は、コネクタ９７０５と接続することで、導通部９８０７を介して、コネクタ９７０５に接続した他の装置と、基板に実装した電子機器とを電気的に接続する。導通部９８０７は例えば先端が鋭利な金属で構成される。
【０３２４】
また、コネクタ９８０５は、コネクタ９７０５と接続する際に、コネクタ９７０５をガイドするガイド部９８０６を有する。本例では、ガイド部９８０６は平面であり、このガイド部９８０６の面に沿ってコネクタ９７０５を移動させて、コネクタ９８０５にコネクタ９７０５を嵌合して接続する。
【０３２５】
本例においては、導線である不図示のハーネスの一端にコネクタ９７０５を設けている。ハーネスの他端は、基板に実装した電子機器と接続すべき他の装置に接続する。
【０３２６】
コネクタ９７０５は、ハーネスと電気的に導通する導通部９７０７を有する。コネクタ９７０５は、コネクタ９８０５と接続することで、導通部９７０７を介して、ハーネスの他端に接続した他の装置と、基板に実装した電子機器とを電気的に接続する。導通部９７０７は例えば平板状の金属で構成される。
【０３２７】
また、コネクタ９７０５は、コネクタ９８０５と接続する際に、コネクタ９８０５のガイド部９８０６に対向して設けた被ガイド部９７０６を有する。本例では、ガイド部９８０６と被ガイド部９７０６とが摺りあってコネクタ９８０５にコネクタ９７０５を嵌合して接続する。
【０３２８】
コネクタ９８０５にコネクタ９７０５を正しい向きで接続すると、コネクタ９７０５の被ガイド部９７０６が、コネクタ９８０５のガイド部９８０６にガイドされて、コネクタ９８０５にコネクタ９７０５が嵌め込まれ、このとき導通部９７０７に対して導通部９８０７の先端が接触して導通が実現される。
【０３２９】
これに対して、コネクタ９８０５にコネクタ９７０５を誤った向きで接続した場合について図３９（ｉ）、（ｊ）を参照して説明する。
【０３３０】
図３９（ｉ）、（ｊ）では、コネクタ９８０５に対して、正しい向きから１８０度回転させた誤った向きでコネクタ９７０５を接続した場合を示している。
【０３３１】
コネクタ９７０５は、コネクタ９８０５にコネクタ９７０５を誤った向きで接続した証拠（痕跡）を残存させる痕跡残存手段９７０８を備えている。本例では、この痕跡残存手段９７０８は、例えば樹脂製であり、コネクタ９８０５の導通部９８０７よりも軟らかな部材であって、被ガイド部９７０６が兼ね、コネクタ９８０５にコネクタ９７０５を誤った向きで接続した場合に導通部９８０７が接触し、この導通部９８０７の接触によって部分的あるいは全体的に破損し、その破損状態を保持する。この破損形状は、導通部９８０７の形状に応じたものである。
【０３３２】
コネクタ９８０５にコネクタ９７０５を誤った向きで接続した場合には、コネクタ９８０５からコネクタ９７０５を取り外した後にも、痕跡残存手段９７０８には破損状態が保持され、それを例えば目視することによって、そのコネクタ９７０５を誤った向きで接続したことがあるという履歴を知り得ることができる。
【０３３３】
痕跡残存手段９７０８は、その破損状態によってコネクタ９８０５にコネクタ９７０５を誤った向きで接続した証拠を保持するものに限られるものではなく、例えば、感圧インクの発色によって証拠を保持するものや、その他のいかなる手段によってその証拠を保持するものであってもよい場合がある。
【０３３４】
＜実施例１１＞
図４０は、基板に実装した電子機器と他の基板に実装した他の装置とを電気的に導通する導通部を有する接続部としてのコネクタの一例を示す図であって、（ａ）は基板１０８００に実装したコネクタ１０８０５の平面図であり、（ｂ）は他の基板１０７００に実装したコネクタ１０７０５の平面図であり、（ｃ）〜（ｅ）は、コネクタ１０７０５の導通部１０７０７と、コネクタ１０８０５の導通部１０８０７とを接続する様子を示す図であり、（ｃ）は向きをそろえて接続する前の状態を示す斜視図であり、（ｄ）はガイド部１０７０６と被ガイド部１０８０６とが接触した状態を示す斜視図であり、（ｅ）は導通部１０７０７と導通部１０８０７とを接続した状態を示す斜視図であり、（ｆ）は誤った向きで接続した後に、コネクタ１０７０５から取り外したコネクタ１０８０５の斜視図である。
【０３３５】
本例においては、基板１０８００上にコネクタ１０８０５を設けている。コネクタ１０８０５は、基板１０８００に実装した電子機器１００００（例えばＲＯＭ）と他の装置とを電気的に導通する導通部１０８０７を有する。コネクタ１０８０５は、コネクタ１０７０５と接続することで、導通部１０８０７を介して、コネクタ１０７０５に接続した他の装置と、基板１０８００に実装した電子機器１００００とを電気的に接続する。導通部１０８０７は例えば平板状の金属で構成される。
【０３３６】
また、コネクタ１０８０５は、コネクタ１０７０５に接続する際に、コネクタ１０７０５をガイドするガイド部１０８０６を有する。本例では、ガイド部１０８０６は平面であり、このガイド部１０８０６の面に沿ってコネクタ１０７０５を相対的に移動させて、コネクタ１０８０５にコネクタ１０７０５を嵌合して接続する。
【０３３７】
本例においては、他の基板１０７００上にコネクタ１０７０５を設けている。基板１０７００上には、基板１０８００に実装した電子機器１００００と接続すべき他の装置を実装する
コネクタ１０７０５は、基板１０７００上の他の装置と電気的に導通する導通部１０７０７を有する。コネクタ１０７０５は、コネクタ１０８０５と接続することで、導通部１０７０７を介して、基板１０７００上の他の装置と、基板１０８００に実装した電子機器１００００とを電気的に接続する。導通部１０７０７は例えば先端が鋭利な金属で構成される。
【０３３８】
また、コネクタ１０７０５は、コネクタ１０８０５と接続する際に、コネクタ１０８０５のガイド部１０８０６に対向して設けた被ガイド部１０７０６を有する。本例では、ガイド部１０８０６と被ガイド部１０７０６とが摺りあってコネクタ１０８０５にコネクタ１０７０５を嵌合して接続する。
【０３３９】
コネクタ１０８０５にコネクタ１０７０５を正しい向きで接続すると、コネクタ１０７０５の被ガイド部１０７０６が、コネクタ１０８０５のガイド部１０８０６にガイドされて、コネクタ１０８０５にコネクタ１０７０５が嵌め込まれ、このとき導通部１０８０７に対して導通部１０７０７の先端が接触して導通が実現される。
【０３４０】
これに対して、コネクタ１０８０５にコネクタ１０７０５を誤った向きで接続した場合について図４０（ｆ）を参照して説明する。
【０３４１】
図４０（ｆ）では、コネクタ１０７０５に対して、正しい向きから１８０度回転させた誤った向きでコネクタ１０８０５を接続した場合を示している。
【０３４２】
コネクタ１０８０５は、コネクタ１０７０５にコネクタ１０８０５を誤った向きで接続した証拠（痕跡）を残存させる痕跡残存手段１０８０８を備えている。本例では、この痕跡残存手段１０８０８は、例えば樹脂製であり、コネクタ１０７０５の導通部１０７０７よりも軟らかな部材であって、ガイド部１０８０６が兼ね、コネクタ１０７０５にコネクタ１０８０５を誤った向きで接続した場合に導通部１０７０７が接触し、この導通部１０７０７の接触によって部分的あるいは全体的に破損し、その破損状態を保持する。この破損形状は、導通部１０７０７の形状に応じたものである。
【０３４３】
コネクタ１０７０５にコネクタ１０８０５を誤った向きで接続した場合には、コネクタ１０７０５からコネクタ１０８０５を取り外した後にも、痕跡残存手段１０８０８には破損状態が保持され、それを例えば目視することによって、そのコネクタ１０８０５を誤った向きで接続したことがあるという履歴を知り得ることができる。
【０３４４】
痕跡残存手段１０８０８は、その破損状態によってコネクタ１０７０５にコネクタ１０８０５を誤った向きで接続した証拠を保持するものに限られるものではなく、例えば、感圧インクの発色によって証拠を保持するものや、その他のいかなる手段によってその証拠を保持するものであってもよい場合がある。
【０３４５】
＜実施例１２＞
図４１は、基板に実装した電子機器と他の装置とを電気的に導通する導通部を有する接続部としてのコネクタの別の例を示す図であって、（ａ）は斜視図であり、（ｂ）は平面図であり、（ｃ）は正面図である。
【０３４６】
本例においては、不図示の基板上にコネクタ１１７０５を設けている。
【０３４７】
コネクタ１１７０５は、全体の側面を覆う枠部材１１７０５ａを有する。また、コネクタ１１７０５は、後述するコネクタ１１８０５の係合部１１８０５ｂと係合可能な被係合部１１７０５ｂを有する。被係合部１１７０５ｂは、例えば、枠部材１１７０５ａよりも外側に突出している。
【０３４８】
コネクタ１１７０５は、基板に実装した電子機器と他の装置とを電気的に導通する導通部１１７０７ａ、１１７０７ｂ、１１７０７ｃおよび１１７０７ｄを有する。導通部１１７０７ａと１１７０７ｂとは接続されており、後述のコネクタ１１８０５の導通部１１８０７ａおよび１１８０７ｂと接続するときにはこれらを導通部１１７０７ａと１１７０７ｂとで挟み込むようにする。導通部１１７０７ｃと１１７０７ｄとは接続されており、後述のコネクタ１１８０５の導通部１１８０７ｃおよび１１８０７ｄと接続するときにはこれらを導通部１１７０７ｃと１１７０７ｄと挟み込むようにする。
【０３４９】
コネクタ１１７０５は、コネクタ１１８０５と接続することで、導通部１１７０７ａ、１１７０７ｂ、１１７０７ｃおよび１１７０７ｄを介して、コネクタ１１８０５に接続した他の装置と、基板に実装した電子機器とを電気的に接続する。導通部１１７０７ａ、１１７０７ｂ、１１７０７ｃおよび１１７０７ｄは例えば先端が鋭利な金属で構成される。
【０３５０】
導通部１１７０７ａ、１１７０７ｂ、１１７０７ｃおよび１１７０７ｄのそれぞれは上部にテーパを有し、例えば導通部１１７０７ａは上部にテーパ１１７０７ａａを有する。
【０３５１】
導通部１１７０７ａおよび１１７０７ｂと、導通部１１７０７ｃおよび１１７０７ｄとは、列方向位置が一致しないようにずらして配置してある。
【０３５２】
導通部１１７０７ａおよび１１７０７ｂは端子１１７０７ｆを介して基板に実装され、導通部１１７０７ｃおよび１１７０７ｄは端子１１７０７ｅを介して基板に実装される。
【０３５３】
また、コネクタ１１７０５は、コネクタ１１８０５と接続する際に、コネクタ１１８０５をガイドするガイド部１１７０６ａおよびガイド部１１７０６ｂを有する。本例では、ガイド部１１７０６ａおよび１１７０６ｂは上部にテーパ１１７０６ａａおよび１１７０６ｂａを有する平面であり、このガイド部１１７０６ａおよび１１７０６ｂの面に沿ってコネクタ１１８０５を移動させて、コネクタ１１７０５にコネクタ１１８０５を嵌合して接続する。
【０３５４】
ガイド部１１７０６ａは、外側部１１７０６ａｃが高く、内側部１１７０６ａｂが低く構成している。列方向位置において、この外側部１１７０６ａｃから内側部１１７０６ａｂへと移行するテーパ部分にも、導通部１１７０７ａおよび１１７０７ｂを配置している。
【０３５５】
図４２は、図４１に示したコネクタ１１７０５と接続するコネクタの一例を示す図であって、（ａ）は斜視図であり、（ｂ）は平面図であり、（ｃ）は正面図である。
【０３５６】
本例においては、導線である不図示のハーネスの一端にコネクタ１１８０５を設けている。ハーネスの他端は、基板に実装した電子機器と接続すべき他の装置に接続する。
【０３５７】
コネクタ１１８０５は、全体の側面を覆う枠部材１１８０５ａを有する。また、コネクタ１１８０５は、コネクタ１１７０５の被係合部１１７０５ｂと係合可能な係合部１１８０５ｂを有する。係合部１１８０５ｂは、例えば、枠部材１１８０５ａの外側に配置され、内側に突出している。被係合部１１７０５ｂと係合部１１８０５ｂとが係合することによってコネクタ１１７０５とコネクタ１１８０５とが係止される。係合部１１８０５ｂの先端の、係合時に被係合部１１７０５ｂと接触する箇所にはテーパ１１８０５ｃを設けて係合がスムーズに行えるようにしている。係合部１１８０５ｂは、支点１１８０５ｄを中心に例えば撓んで回動可能に構成されており、操作部１１８０５ｅを内側に押す（操作する）ことによって、係合部１１８０５ｂが外側に移動し、被係合部１１７０５ｂとの係合を解除することが可能である。この係合解除がされない限りコネクタ１１７０５とコネクタ１１８０５とは取り外し不可能である。
【０３５８】
コネクタ１１８０５は、ハーネスと電気的に導通する導通部１１８０７ａ、１１８０７ｂ、１１８０７ｃおよび１１８０７ｄを有する。導通部１１８０７ａと１１８０７ｂとは接続されており、導通部１１８０７ｃと１１８０７ｄとは接続されているが、頂上部では、導通部１１８０７ａと１１８０７ｂとは接触せず、導通部１１８０７ｃと１１８０７ｄとは接触しない。
【０３５９】
コネクタ１１８０５は、コネクタ１１７０５と接続することで、導通部１１８０７ａ、１１８０７ｂ、１１８０７ｃおよび１１８０７ｄを介して、ハーネスの他端に接続した他の装置と、基板に実装した電子機器とを電気的に接続する。導通部１１８０７ａ、１１８０７ｂ、１１８０７ｃおよび１１８０７ｄは例えば平板状の金属で構成される。
【０３６０】
導通部１１８０７ａ、１１８０７ｂ、１１８０７ｃおよび１１８０７ｄのそれぞれは上部にテーパを有し、例えば導通部１１８０７ｂは上部にテーパ１１８０７ｂａを有する。
【０３６１】
導通部１１８０７ａおよび１１８０７ｂと、導通部１１８０７ｃおよび１１８０７ｄとは、列方向位置が一致しないようにずらして配置してある。
【０３６２】
また、コネクタ１１８０５は、コネクタ１１７０５と接続する際に、コネクタ１１７０５のガイド部１１７０６ａおよび１１７０６ｂに対向して設けた被ガイド部１１８０６ａおよび１１８０６ｂを有する。本例では、ガイド部１１７０６ａおよび１１７０６ｂと被ガイド部１１８０６ａおよび１１８０６ｂとが摺りあってコネクタ１１７０５にコネクタ１１８０５を嵌合して接続する。
【０３６３】
コネクタ１１７０５にコネクタ１１８０５を正しい向きで接続すると、導通部１１７０７ａおよび１１７０７ｂと導通部１１８０７ａおよび１１８０７ｂとが接続し、導通部１１７０７ｃおよび１１７０７ｄと導通部１１８０７ｃおよび１１８０７ｄとが接続して導通が実現される。また、このとき係合部１１８０５ｂの先端のテーパ１１８０５ｃは被係合部１１７０５ｂに当接し、係合部１１８０５ｂは外側に広げられ、コネクタ１１７０５にコネクタ１１８０５の嵌め込みが完了すると、係合部１１８０５ｂが被係合部１１７０５ｂに係合し、コネクタ１１８０５はコネクタ１１７０５に係止される。
【０３６４】
これに対して、コネクタ１１７０５にコネクタ１１８０５を誤った向きで接続した場合について図４３を参照して説明する。
【０３６５】
図４３は、コネクタ１１７０５にコネクタ１１８０５を誤った向きで接続した場合について説明する図であり、誤った向きで接続した後に、コネクタ１１７０５から取り外したコネクタ１１８０５の平面図である。
【０３６６】
図４３では、コネクタ１１７０５に対して、正しい向きから１８０度回転させた誤った向きでコネクタ１１８０５を接続した場合を示している。
【０３６７】
コネクタ１１８０５は、コネクタ１１７０５にコネクタ１１８０５を誤った向きで接続した証拠（痕跡）を残存させる痕跡残存手段１１８０８ａおよび１１８０８ｂを備えている。本例では、この痕跡残存手段１１８０８ａおよび１１８０８ｂは、例えば樹脂製であり、コネクタ１１７０５の導通部１１７０７ａ〜１１７０７ｄよりも軟らかな部材であって、被ガイド部１１８０６ａおよび１１８０６ｂが兼ね、コネクタ１１７０５にコネクタ１１８０５を誤った向きで接続した場合に導通部１１７０７ａ〜１１７０７ｄが接触し、この導通部１１７０７ａ〜１１７０７ｄの接触によって部分的あるいは全体的に破損し、その破損状態を保持する。この破損形状は、導通部１１７０７ａ〜１１７０７ｄの形状に応じたものである。この例では、導通部１１７０７ａによって痕跡１１８０８ｂｂが形成され、導通部１１７０７ｂによって痕跡１１８０８ｂａが形成され、導通部１１７０７ｃによって痕跡１１８０８ａｂが形成され、導通部１１７０７ｄによって痕跡１１８０８ａａが形成される。
【０３６８】
この痕跡は、所定の導通部とそれに隣接する導通部との間に形成される場合がある。
【０３６９】
この痕跡は、最も端の導通部よりも外側に形成される場合がある。
【０３７０】
コネクタ１１７０５にコネクタ１１８０５を誤った向きで接続した場合には、コネクタ１１７０５からコネクタ１１８０５を取り外した後にも、痕跡残存手段１１８０８ａおよび１１８０８ａには、痕跡１１８０８ａａ、１１８０８ａｂ、１１８０８ｂａおよび１１８０８ｂｂが保持され、それを例えば目視することによって、そのコネクタ１１８０５を誤った向きで接続したことがあるという履歴を知り得ることができる。
【０３７１】
また、この痕跡は２列に形成されることによって視認しやすい場合がある。
【０３７２】
また、この痕跡は、向きの異なる２列に形成されることによって視認しやすい場合がある。
【０３７３】
＜実施例１３＞
図４４は、基板に実装した電子機器と他の装置とを電気的に導通する導通部を有する接続部としてのコネクタを基板ケースに収納した場合を示す図であって、（ａ）は図１１に示したコネクタ８０５を示す斜視図であり、（ｂ）は図１０に示したコネクタ７０５を実装する基板７００を基板ケースに収納した状態で示す斜視図であり、（ｃ）は向きをそろえて接続する前の状態を示す斜視図であり、（ｄ）はガイド部７０６と被ガイド部８０６とが接触した状態を示す斜視図であり、（ｅ）は導通部７０７と導通部８０７とを接続した状態を示す斜視図である。
【０３７４】
本例において、コネクタ７０５および８０５は、図１０〜図１３を参照して説明した例と同様であるので、同じ番号を付して詳しい説明は省略する。なお、図１０〜図１３を参照して説明した例以外の例であって、ここで説明するのと同様に基板ケースに収納してコネクタの接続、接続解除が可能なものである。
【０３７５】
コネクタ７０５を実装した基板７００を収納する基板ケース７１０には、例えば露出孔７１０ａを設けており、この露出孔７１０ａからコネクタ７０５が基板ケース７１０の外部に露出する。
【０３７６】
コネクタ７０５にコネクタ８０５を接続、接続解除するときには、露出孔７１０ａを介して行うことが可能であり、その都度、コネクタ７０５を実装した基板７００を基板ケース７１０から取り出す必要はない。
【０３７７】
＜痕跡の視認性＞
図４５は、パチンコ機１００を背面側から見た概略外観図であって、コネクタの配置と、コネクタ同士を誤った向きで接続した場合の痕跡の視認しやすさを説明する図である。
【０３７８】
パチンコ機１００を背面側には、上述したように、主基板１５６を収納する主基板ケース１５８、第１副基板１６０を収納する第１副基板ケース１６２、第２副基板１６４を収納する第２副基板ケース１６６および払出基板１７０を収納する払出基板ケース１７２等が設けられる。上述した本発明に係る導通部の構造の各実施例は、これらの基板ケースに収納される基板に設けたコネクタに適用可能である。
【０３７９】
図４５において、上述した各実施例と同様の構成については同じ参照番号を付して詳しい説明を省略する。
【０３８０】
作業者７１５の視線７１５ａでは、上から見ており、痕跡残存手段８０８が上を向いた状態でコネクタ８０５をコネクタ７０５に接続するものであるので、コネクタ７０５からコネクタ８０５を取り外した、その姿勢で痕跡残存手段８０８を視認することが可能である。
【０３８１】
作業者７１５の視線７１５ｂでは、上から見ており、基板に固定されたコネクタ８７０５の痕跡残存手段８７０８が上を向いた状態でパチンコ機１００に取り付けられており、そのままの姿勢で痕跡残存手段８７０８を視認することが可能である。
【０３８２】
作業者７１５の視線７１５ｃでは、図中右から左へ見ており、痕跡残存手段８０８が右を向いた状態でコネクタ８０５をコネクタ７０５に接続するものであるので、コネクタ７０５からコネクタ８０５を取り外した、その姿勢で痕跡残存手段８０８を視認することが可能である。
【０３８３】
＜スロットマシンへの適用＞
なお、本発明に係る遊技台は、図４６に示すスロットマシン１１００にも適用可能である。
【０３８４】
図４６に示すスロットマシン１１００は、本体１１０１と、本体１１０１の正面に取り付けられ、本体１１０１に対して開閉可能な前面扉１１０２と、を備える。本体１１０１の中央内部には、（図示省略）外周面に複数種類の図柄が配置されたリールが３個（左リール１１１０、中リール１１１１、右リール１１１２）収納され、スロットマシン１１００の内部で回転できるように構成されている。これらのリール１１１０乃至１１１２はステッピングモータ等の駆動装置により回転駆動される。
【０３８５】
本実施形態において、各図柄は帯状部材に等間隔で適当数印刷され、この帯状部材が所定の円形筒状の枠材に貼り付けられて各リール１１１０乃至１１１２が構成されている。リール１１１０乃至１１１２上の図柄は、遊技者から見ると、図柄表示窓１１１３から縦方向に概ね３つ表示され、合計９つの図柄が見えるようになっている。そして、各リール１１１０乃至１１１２を回転させることにより、遊技者から見える図柄の組み合せが変動することとなる。つまり、各リール１１１０乃至１１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１１００の中央内部に備えているが、リールの数やリールの設置位置はこれに限定されるものではない。
【０３８６】
各々のリール１１１０乃至１１１２の背面には、図柄表示窓１１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１１００内部において各々のリール１１１０乃至１１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１１０乃至１１１２を停止させる。
【０３８７】
入賞ライン表示ランプ１１２０は、有効となる入賞ライン１１１４を示すランプである。有効となる入賞ラインは、遊技媒体としてベットされたメダルの数によって予め定まっている。入賞ライン１１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを有効な入賞ラインとして設定してもよく、ベット数に関係なく、一律に同一数の入賞ラインを有効な入賞ラインとして設定してもよい。
【０３８８】
告知ランプ１１２３は、例えば、後述する内部抽選において特定の入賞役（具体的には、ボーナス）に内部当選していること、または、ボーナス遊技中であることを遊技者に知らせるランプである。遊技メダル投入可能ランプ１１２４は、遊技者が遊技メダルを投入可能であることを知らせるためのランプである。再遊技ランプ１１２２は、前回の遊技において入賞役の一つである再遊技に入賞した場合に、今回の遊技が再遊技可能であること（メダルの投入が不要であること）を遊技者に知らせるランプである。リールパネルランプ１１２８は演出用のランプである。
【０３８９】
ベットボタン１１３０乃至１１３２は、スロットマシン１１００に電子的に貯留されているメダル（クレジットという）を所定の枚数分投入するためのボタンである。本実施形態においては、ベットボタン１１３０が押下される毎に１枚ずつ最大３枚まで投入され、ベットボタン１１３１が押下されると２枚投入され、ベットボタン１１３２が押下されると３枚投入されるようになっている。以下、ベットボタン１１３２はＭＡＸベットボタンとも言う。なお、遊技メダル投入ランプ１１２９は、投入されたメダル数に応じた数のランプを点灯させ、規定枚数のメダルの投入があった場合、遊技の開始操作が可能な状態であることを知らせる遊技開始ランプ１１２１が点灯する。
【０３９０】
メダル投入口１１４１は、遊技を開始するに当たって遊技者がメダルを投入するための投入口である。すなわち、メダルの投入は、ベットボタン１１３０乃至１１３２により電子的に投入することもできるし、メダル投入口１１４１から実際のメダルを投入（投入操作）することもでき、投入とは両者を含む意味である。貯留枚数表示器１１２５は、スロットマシン１１００に電子的に貯留されているメダルの枚数を表示するための表示器である。遊技情報表示器１１２６は、各種の内部情報（例えば、ボーナス遊技中のメダル払出枚数）を数値で表示するための表示器である。払出枚数表示器１１２７は、何らかの入賞役に入賞した結果、遊技者に払出されるメダルの枚数を表示するための表示器である。貯留枚数表示器１１２５、遊技情報表示器１１２６、および、払出枚数表示器１１２７は、７セグメント（ＳＥＧ）表示器とした。
【０３９１】
スタートレバー１１３５は、リール１１１０乃至１１１２の回転を開始させるためのレバー型のスイッチである。即ち、メダル投入口１１４１に所望するメダル枚数を投入するか、ベットボタン１１３０乃至１１３２を操作して、スタートレバー１１３５を操作すると、リール１１１０乃至１１１２が回転を開始することとなる。スタートレバー１１３５に対する操作を遊技の開始操作と言う。
【０３９２】
ストップボタンユニット１１３６には、ストップボタン１１３７乃至１１３９が設けられている。ストップボタン１１３７乃至１１３９は、スタートレバー１１３５の操作によって回転を開始したリール１１１０乃至１１１２を個別に停止させるためのボタン型のスイッチであり、各リール１１１０乃至１１１２に対応づけられている。以下、ストップボタン１１３７乃至１１３９に対する操作を停止操作と言い、最初の停止操作を第１停止操作、次の停止操作を第２停止操作、最後の停止操作を第３停止操作という。なお、各ストップボタン１１３７乃至１１３９の内部に発光体を設けてもよく、ストップボタン１１３７乃至１１３９の操作が可能である場合、該発光体を点灯させて遊技者に知らせることもできる。
【０３９３】
メダル返却ボタン１１３３は、投入されたメダルが詰まった場合に押下してメダルを取り除くためのボタンである。精算ボタン１１３４は、スロットマシン１１００に電子的に貯留されたメダル、ベットされたメダルを精算し、メダル払出口１１５５から排出するためのボタンである。ドアキー孔１１４０は、スロットマシン１１００の前面扉１１０２のロックを解除するためのキーを挿入する孔である。
【０３９４】
ストップボタンユニット１１３６の下部には、機種名の表示と各種証紙の貼付とを行うタイトルパネル１１６２が設けられている。タイトルパネル１１６２の下部には、メダル払出口１１５５、メダルの受け皿１１６１が設けられている。
【０３９５】
音孔１１８０はスロットマシン１１００内部に設けられているスピーカの音を外部に出力するための孔である。前面扉１１０２の左右各部に設けられたサイドランプ１１４４は遊技を盛り上げるための装飾用のランプである。前面扉１１０２の上部には演出装置１１６０が配設されており、演出装置１１６０の上部には  音孔１１４３が設けられている。この演出装置１１６０は、水平方向に開閉自在な２枚の右シャッタ１１６３ａ、左シャッタ１１６３ｂからなるシャッタ（遮蔽装置）１１６３と、このシャッタ１１６３の奥側に配設された液晶表示装置１１５７（演出画像表示装置）を備えており、右シャッタ１１６３ａ、左シャッタ１１６３ｂが液晶表示装置１１５７の手前で水平方向外側に開くと液晶表示装置１１５７の表示画面がスロットマシン１１００正面（遊技者側）に出現する構造となっている。なお、液晶表示装置でなくとも、種々の演出画像や種々の遊技情報を表示可能な表示装置であればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【０３９６】
本発明に係る操作手段は、スロットマシン１１００におけるレバー１１３５や、ベットボタン１１３０乃至１１３２や、ストップボタン１１３７乃至１１３９などあらゆる遊技者の操作箇所に適用可能である。
【０３９７】
また、スロットマシンの場合は、操作手段の操作後に、いわゆるＢＢやＲＢなどの役に当選している場合に変化手段を変化させて演出を行うようにしてもよい。
【０３９８】
＜封入式遊技機への適用＞
本発明に係る遊技台は、遊技機内に封入された遊技球を循環使用する封入式遊技機にも適用可能である。
【０３９９】
＜その他への適用＞
本発明に係る遊技台は図４７（ａ）に示す、「紙幣投入口２００２に紙幣を投入し、ベット２００４およびスタート２００６操作に基づいて抽選を実行し、抽選結果を抽選結果表示装置２００８で表示し、当選時には特典コイン数を残クレジット数に加算し、キャッシュアウト２００９が選択された場合には、レシート発行機２０１０から残クレジット数に対応するコードが記載されたレシートを発行するカジノマシン２０００」であってもよい。
【０４００】
さらには、同図（ｂ）に示すように、本発明を実現する電子データを記憶する記憶部を備えている携帯電話機３０００、同図（ｃ）に示すように、本発明を実現する電子データを記憶する記憶部を備えているポータブルゲーム機４０００、本発明を実現する電子データを記憶する記憶部を備えている家庭用テレビゲーム機５０００、に適用してもよい。
【０４０１】
より具体的には、同図（ｂ）における携帯電話機３０００は、遊技者によって操作される操作部と、ゲームに関するデータを携帯電話回線を通じで取得するデータ取得部と、取得したゲームに関するデータ（本発明を実現する電子データ）を記憶する記憶部と、記憶部に記憶したデータと操作部の操作とに基づいてゲームの制御を行う制御部を備えている。
【０４０２】
同図（ｃ）におけるポータブルゲーム機４０００は、遊技者によって操作される操作部と、ゲームに関するデータを所定の記憶媒体（ＤＶＤ等）から取得するデータ取得部と、取得したゲームに関するデータ（本発明を実現する電子データ）を記憶する記憶部と、記憶部に記憶したデータと操作部の操作とに基づいてゲームの制御を行う制御部を備えている。同図（ｃ）における家庭用テレビゲーム機５０００は、遊技者によって操作される操作部と、ゲームに関するデータを所定の記憶媒体（ＤＶＤ等）から取得するデータ取得部と、取得したゲームに関するデータ（本発明を実現する電子データ）を記憶する記憶部と、記憶部に記憶したデータと操作部の操作とに基づいてゲームの制御を行う制御部を備えている。
【０４０３】
さらには、同図（ｄ）に示すように、本発明を実現する電子データを記憶したデータサーバ６０００に適用してもよい。このデータサーバ６０００からインタネット回線を介して同図（ｄ）に示す家庭用テレビゲーム機５０００に本発明を実現する電子データをダウンロードするような場合がある。
【０４０４】
また、パチンコ機等の実機の動作を家庭用ゲーム機用として擬似的に実行するようなゲームプログラムにおいても、本発明を適用してゲームを実行することができる。その場合、ゲームプログラムを記録する記録媒体は、ＤＶＤ−ＲＯＭ、ＣＤ−ＲＯＭ、ＦＤ（フレキシブルディスク）、その他任意の記録媒体を利用できる。
【０４０５】
さらに、本発明は、遊技台としてスロットマシンおよびパチンコ機を例にあげたが、これに限るものではなく、アレンジボール遊技機や、じゃん球遊技機、スマートボール等に適用してもよい。
【０４０６】
＜付記１＞
なお、以上説明した本発明は、
１．  第一の接続部が少なくとも実装された基板を備えた遊技台であって、
前記第一の接続部は、第一の状態にある第二の接続部と少なくとも接続可能なものであり、
前記第一の状態にある前記第二の接続部の向きは、第二の状態にある前記第二の接続部の向きとは異なる向きであり、
前記基板は、前記第一の接続部と前記第二の状態にある前記第二の接続部が接続された場合に、該接続の痕跡を残存させる痕跡残存手段が設けられたものである、
ことを特徴とする遊技台、としたので、
接続部（例えばコネクタ）が逆挿入されたか否かが判別できるため、メンテナンス性を向上させることができる場合がある。
【０４０７】
また本発明は、
２．  １．に記載の遊技台であって、
前記第一の接続部は、少なくとも第一の導通部を有するものであり、
前記第二の接続部は、少なくとも第二の導通部を有するものであり、
前記第一の接続部と前記第一の状態にある前記第二の接続部が接続された場合に、前記第一の導通部は前記第二の導通部と少なくとも接触可能なものであり、
前記第一の接続部に前記第二の状態にある前記第二の接続部が接続された場合に、前記痕跡残存手段は前記第二の導通部と少なくとも接触可能なものであり、
前記痕跡残存手段は、前記第二の導通部との接触による痕跡を残存させることが可能なものである、
ことを特徴とする遊技台、としたので、
痕跡残存手段の見た目や触感で痕跡の有無を把握でき、メンテナンス性を向上させることができる場合がある。
【０４０８】
また本発明は、
３．  ２．に記載の遊技台であって、
前記痕跡残存手段は、前記第二の導通部と接触した場合に、少なくとも一部が破損可能なものである、
ことを特徴とする遊技台、としたので、
破損した痕跡残存手段の見た目や触感で痕跡の有無を把握でき、メンテナンス性を向上させることができる場合がある。
【０４０９】
また本発明は、
４．  ２．または３．に記載の遊技台であって、
前記痕跡残存手段は、前記第二の導通部よりも硬度の低い部材で構成されるものである、
ことを特徴とする遊技台、としたので、
痕跡を残しやすくすることができる場合がある。
【０４１０】
また本発明は、
５．  １．〜４．の何れかに記載の遊技台であって、
前記第一の接続部は、前記痕跡残存手段を備えるものである、
ことを特徴とする遊技台、としたので、
コネクタを確認することで痕跡の有無を把握でき、メンテナンス性を向上させることができる場合がある。
【０４１１】
また本発明は、
６．  １．〜５．の何れかに記載の遊技台であって、
前記痕跡残存手段は、前記基板に実装された部品に設けられていることで、前記基板に設けられているものである、
ことを特徴とする遊技台、としたので、
基板に実装された部品を確認することで痕跡の有無を把握でき、メンテナンス性を向上させることができる場合がある。
【０４１２】
＜付記２＞
なお、以上説明した本発明は、
１．  電子機器が実装された基板を備えた遊技台であって、
前記基板は、少なくとも一つの第一の導通部を有する第一の接続部が少なくとも実装されるものであり、
前記第一の接続部は、少なくとも一つの第二の導通部を有する第二の接続部を接続可能に構成されるものであり、
前記第一の接続部に前記第二の接続部が第一の方向で接続された場合に、前記第一の導通部と前記第二の導通部が接触可能に構成されるものであり、
前記第一の接続部に前記第二の接続部が前記第一の方向とは異なる第二の方向で接続された場合に、前記第一の導通部と前記第二の導通部が接触不可能に構成されるものであり、
前記第一の接続部に前記第二の接続部が前記第二の方向で接続された場合に、該接続の痕跡を残存させることが可能な痕跡残存手段を備えたことを特徴とする遊技台、としたので、
接続部（例えばコネクタ）が逆挿入されたか否かが判別できるため、メンテナンス性を向上させることができる場合がある。すなわち、逆挿入されたコネクタによって遊技台に不具合が起こった場合にも、迅速にコネクタを交換することができる場合がある。
【０４１３】
また本発明は、
２．  １．に記載の遊技台において、
前記痕跡残存手段は、前記第一の導通部および前記第二の導通部の少なくともいずれかが接触することによって、該接触による痕跡が残るものである、
ことを特徴とする遊技台、としたので、
痕跡残存手段の見た目や触感で痕跡の有無を把握でき、メンテナンス性を向上させることができる場合がある。
【０４１４】
また本発明は、
３．  ２．に記載の遊技台において、
前記痕跡残存手段は、前記第一の導通部および前記第二の導通部よりも硬度の低い部材で構成されるものである、
ことを特徴とする遊技台、としたので、
痕跡を残しやすくすることができる場合がある。
【０４１５】
また本発明は、
４．  １．乃至３．のうちのいずれか１項に記載の遊技台において、
前記第一の接続部および前記第二の接続部のうちの少なくとも一方は、前記痕跡残存手段を備えるものである、
ことを特徴とする遊技台、としたので、
コネクタを確認することで痕跡の有無を把握でき、メンテナンス性を向上させることができる場合がある。
【０４１６】
＜他の構成＞
また、前記痕跡残存手段は、樹脂製部材で構成されるものであってもよい。
【０４１７】
また、前記基板は、ネジで遊技台に固定されるものであってもよい。
【０４１８】
また、前記基板は、ネジで基板ケースに固定され、該基板ケースが遊技台に設置されるものであってもよい。
【０４１９】
また、前記第二の接続部は、導線の端部に備えられるものであってもよい。
【０４２０】
また、前記第二の接続部は、第二の基板に備えられるものであってもよい。
【０４２１】
また、前記痕跡残存手段は前記第二の接続部に備えられるものであり、前記痕跡残存手段は前記第一の導通部の接触によって該接触による痕跡が残るものであってもよい。
【０４２２】
また、前記痕跡残存手段は前記第一の接続部に備えられるものであり、前記痕跡残存手段は前記第二の導通部の接触によって該接触による痕跡が残るものであってもよい。
【０４２３】
また、前記痕跡残存手段のうちの第一の痕跡残存手段は前記第一の接続部に備えられるものであり、前記痕跡残存手段のうちの第二の痕跡残存手段は前記第二の接続部に備えられるものであり、前記第一の痕跡残存手段は前記第二の導通部の接触によって該接触による痕跡が残るものであり、前記第二の痕跡残存手段は前記第一の導通部の接触によって該接触による痕跡が残るものであってもよい。
【０４２４】
また、前記痕跡残存手段は第一の痕跡残存手段と第二の痕跡残存手段を含むものであり、前記第一の痕跡残存手段と前記第二の痕跡残存手段は前記第二の接続部に備えられるものであり、前記第一の痕跡残存手段と前記第二の痕跡残存手段は前記第一の導通部の接触によって該接触による痕跡が残るものであってもよい。
【０４２５】
また、前記痕跡残存手段は前記第二の接続部に備えられるものであり、前記痕跡残存手段は少なくとも二つの前記第二の導通部の間に配置されるものであってもよい。
【０４２６】
また、前記痕跡残存手段は第一の痕跡残存手段と第二の痕跡残存手段を含むものであり、前記第一の痕跡残存手段と前記第二の痕跡残存手段は前記第二の接続部に備えられるものであり、前記第二の導通部は前記第一の痕跡残存手段と前記第二の痕跡残存手段の間に配置されるものであってもよい。
【０４２７】
また、前記痕跡残存手段は第一の痕跡残存手段と第二の痕跡残存手段を含むものであり、前記第一の痕跡残存手段と前記第二の痕跡残存手段は前記第二の接続部に備えられるものであり、前記第二の接続部は前記証拠を痕跡残存しない非痕跡残存手段を備えるものであり、前記第二の導通部のうちの少なくとも一つは前記第一の痕跡残存手段と前記第二の痕跡残存手段の間に配置されるものであり、前記第二の導通部のうちの少なくとも一つは前記非痕跡残存手段と前記第一の痕跡残存手段または前記第二の痕跡残存手段の間に配置されるものであってもよい。
【０４２８】
また、複数の前記第一の導通部は第一の方向に並んで配置されるものであってもよい。
【０４２９】
また、複数の前記第一の導通部のうちのいずれかは第一の方向に並んで配置され、複数の前記第一の導通部のうちのいずれかは前記第一の方向と平行且つ前記第一の方向とは異なる第二の方向に並んで配置されるものであってもよい。
【０４３０】
また、前記第一の方向に並ぶ前記第一の導通部の数は、前記第二の方向に並ぶ前記第一の導通部の数とは異なっていてもよい。
【０４３１】
また、前記第一の接続部と前記第二の接続部のうちの何れか一方は、前記第一の接続部と前記第二の接続部の接続をガイドするガイド部を有し、前記第一の接続部と前記第二の接続部のうちの何れか他方は、前記ガイド部にガイドされる被ガイド部を有するものであってもよい。
【０４３２】
また、前記痕跡残存手段は、前記ガイド部が前記被ガイド部のガイドを開始した後に前記証拠を痕跡残存するものであってもよい。
【０４３３】
また、前記痕跡残存手段は前記第二の接続部に備えられるものであり、前記痕跡残存手段は前記第一の導通部の接触によって該接触による痕跡が残るものであり、前記第二の導通部は前記痕跡残存手段よりも奥に配置されるものであってもよい。
【０４３４】
また、前記痕跡残存手段は、前記被ガイド部であってもよい。
【０４３５】
また、前記痕跡残存手段は、前記ガイド部であってもよい。
【０４３６】
また、前記第二の接続部は前記第一の接続部の被係合部と係合可能な係合部と該係合部の位置を変化可能な操作部を有し、前記第一の接続部に前記第二の接続部が前記第二の方向で接続された後に前記操作部を操作されながら前記接続が解除される場合には、前記痕跡残存手段は前記接続時の痕跡よりも大きな痕跡が残るものであってもよい。
【０４３７】
また、前記痕跡残存手段は、前記操作部と対向する面に前記痕跡が残るものであってもよい。
【０４３８】
また、前記痕跡残存手段は、前記操作部が操作される方向に位置する面に前記痕跡が残るものであってもよい。
【０４３９】
また、前記痕跡残存手段は前記第二の接続部に備えられるものであり、前記痕跡残存手段は前記第一の導通部の接触によって該接触による痕跡が残るものであり、前記第一の導通部の数は前記痕跡残存手段の数よりも多くてもよい。
【０４４０】
また、前記第一の接続部と前記第二の接続部のうちの何れか一方は逆挿入防止部を備え、前記逆挿入防止部は前記痕跡残存手段と同じ材質で構成されるものであってもよい。
【０４４１】
また、前記第一の接続部の構成を前記第二の接続部に適用してもよい。
【０４４２】
また、前記第二の接続部の構成を前記第一の接続部に適用してもよい。
【０４４３】
また、前記第一の導通部の構成を前記第二の導通部に適用してもよい。
【０４４４】
また、前記第二の導通部の構成を前記第一の導通部に適用してもよい。
【０４４５】
なお、本発明の態様は、上述した個々の実施例に限定されるものではなく、個々の実施例の各要素のいかなる組合せも本発明に含み、また、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【産業上の利用可能性】
【０４４６】
本発明に係る遊技台は、パチンコ機などに代表される遊技台に適用することができる。
【符号の説明】
【０４４７】
１００  パチンコ機
１２４  遊技領域
２０８  装飾図柄表示装置
２０８ａ  左図柄表示領域
２０８ｂ  中図柄表示領域
２０８ｃ  右図柄表示領域
２０８ｄ  演出表示領域
２３０  第１特図始動口
２３２  第２特図始動口
２３４  可変入賞口
２０６  演出装置
２２４  演出用可動体
３００  主制御部
３０４  ＣＰＵ
３０６  ＲＯＭ
３０８  ＲＡＭ
４００  第１副制御部
４０４  ＣＰＵ
４０６  ＲＯＭ
４０８  ＲＡＭ
５００  第２副制御部
【図１】
2014028055.tif 000003
【図２】
2014028055.tif 000004
【図３】
2014028055.tif 000005
【図４】
2014028055.tif 000006
【図５】
2014028055.tif 000007
【図６】
2014028055.tif 000008
【図７】
2014028055.tif 000009
【図８】
2014028055.tif 000010
【図９】
2014028055.tif 000011
【図１０】
2014028055.tif 000012
【図１１】
2014028055.tif 000013
【図１２】
2014028055.tif 000014
【図１３】
2014028055.tif 000015
【図１４】
2014028055.tif 000016
【図１５】
2014028055.tif 000017
【図１６】
2014028055.tif 000018
【図１７】
2014028055.tif 000019
【図１８】
2014028055.tif 000020
【図１９】
2014028055.tif 000021
【図２０】
2014028055.tif 000022
【図２１】
2014028055.tif 000023
【図２２】
2014028055.tif 000024
【図２３】
2014028055.tif 000025
【図２４】
2014028055.tif 000026
【図２５】
2014028055.tif 000027
【図２６】
2014028055.tif 000028
【図２７】
2014028055.tif 000029
【図２８】
2014028055.tif 000030
【図２９】
2014028055.tif 000031
【図３０】
2014028055.tif 000032
【図３１】
2014028055.tif 000033
【図３２】
2014028055.tif 000034
【図３３】
2014028055.tif 000035
【図３４】
2014028055.tif 000036
【図３５】
2014028055.tif 000037
【図３６】
2014028055.tif 000038
【図３７】
2014028055.tif 000039
【図３８】
2014028055.tif 000040
【図３９】
2014028055.tif 000041
【図４０】
2014028055.tif 000042
【図４１】
2014028055.tif 000043
【図４２】
2014028055.tif 000044
【図４３】
2014028055.tif 000045
【図４４】
2014028055.tif 000046
【図４５】
2014028055.tif 000047
【図４６】
2014028055.tif 000048
【図４７】
2014028055.tif 000049